(57)【要約】【課題】本考案は、一般家庭向けテレビビデオの、録画装置の、最小軽量化と電気消費を抑える軽水素トリチウム電子入り圧電素子磁石体の高出力世界最新新技術を、積載する事で、世界的な一般家庭向きテレビビデオの総合電機消費を抑える事を目的としている。【解決手段】本考案は、世界最新技術の、テレビマスコミ及び新聞マスコミで、公開に成って無い世界最新技術の、軽水素トリチウム電子入り圧電素子磁石体の、高出力電磁石新技術と高出力銅筒官コイル配線新技術と高出力発電回路新技術と高出力回路新技術と高出力カメラ回路新技術と高出力ビデオ回路と高出力自動充電池回路新技術と高出力充電池充電システム新技術と高出力タッチパネル音声リモコン新技術と高出力テレポーテイション合成画像移動認識確認認知の新技術と高出力放射線飛散防止の放射線内蔵サモーレントゲン複数カメラパネル切り替え型カメラ等の実用新案登録済の高出力技術の著作権文章図。【選択図】図1
2013093896.tif 000002
【特許請求の範囲】
【請求項１】
実用新案名称の高出力高画質発電ビデオテレビ装置システムは、液晶テレビに防犯カメラシステムとインターネットシステムとビデオ録画装置を、全て内蔵させた高出力高画質発電ビデオテレビ装置システムに成り、テレビ画像表示液晶パネル装置の液晶パネル部分の通常液晶構造部分に対しての新考案技術として、軽水素トリチウム電子ガスとアルゴンガスの混合ガスを、液晶部分の液晶部分内にアルゴンガスと軽水素トリチウム電子ガスを、液晶部分の液晶内部に混合撹拌合成した液晶パネル装置を、テレビビデオの液晶パネル内に内蔵する事で、液晶テレビの液晶パネル部分の液晶電子量を、増幅擦る為の軽水素トリチウム電子ガス入りの液晶内部構造の新技術に成り、液晶内の増幅電子技術の新技術液晶パネルの増幅電子と少量のアルゴンガスによって、液晶層に、少ない電気量によって液晶部分に入れたアルゴンガスによって配光膜を通る光が、明るく成る為の軽水素トリチウム電子ガスとアルゴンガス入りの液晶装置に成り、アルゴンガス入りの液晶内蔵効果によって、電気消費を少なく出来る明るい液晶装置に成り、二種類のガスの軽水素トリチウム電子ガス入りアルゴンガスを混合合成した混合ガスを、液晶デスプレイ装置部分の液晶部分に混合合成内蔵した軽水素とアルゴン混合ガスの液晶パネル混合合成技術主張の画像繊細度の光度量を高めた別名の合成液晶パネルを、積載内蔵した電気消費を、少なくする技術主張の高出力高画質発電ビデオテレビシステムの実用新案著作権原本。
【請求項２】
高出力高画質発電ビデオテレビ装置システムの、テレビの画像表示パネル装置の液晶デスプレイ装置のテレビ画面装置の表ガラス部分のガラス基板装置は、ガラスにあたる光の電気熱を取除く為に、テレビの二枚合わせのクリスタルガラス板構造の内部に無臭透明の窒素ガス入りの透明プラスチックシートを、二枚合わせのクリスタルガラス基板の間に内蔵接着する事で、液晶ガラス基板の温度上昇を、抑える冷却機能シート装置の窒素ガス入りの透明プラスチックシートをテレビのガラス装置に内蔵する事で、ガラス基板の温度を下げる効果をもたらし二枚合わせガラスの合わせ部分の間に窒素ガス入りの透明プラスチックシートをはめ込んだガラス形状システム構造を言い窒素ガス入りの透明プラスチック冷却シート内蔵の二枚合わせのクリスタルガラス冷却技術装置を、積載内蔵した請求項1記載の高出力高画質発電ビデオテレビシステムの実用新案著作権原本。
【請求項３】
高出力高画質発電ビデオテレビ装置システムのテレビ画像表示パネル装置の液晶デスプレイテレビ画面装置のガラス基板の熱瞬間吸収発電装置は、二枚合わせクリスタルガラスの間に、軽水素トリチウム電子ガス入りシリコンシートを、二枚合わせガラスの内枠部分に内蔵した軽水素トリチウム電子ガス入りのシリコン混合撹拌シートを、二枚合わせのクリスタルガラスに入れた熱瞬間吸収発電ガラス装置に成り、二枚合わせガラスの外枠に、軽水素トリチウム電子ガス入りのシリコン混合撹拌シートの圧電素子磁石体粒子の磁気ライン状にクリスタルガラスの端部分に圧電素子磁石体磁気ラインを、内蔵する事でテレビ電気放射熱をガラス基板が受ける事実に対して、軽水素トリチウム電子ガス入り混合撹拌シリコンが電気熱を、瞬間吸収して軽水素トリチウム電子入り圧電素子磁石体粒子が、瞬間に軽水素トリチウム電子入り圧電素子磁石体粒子が瞬間に熱吸収して圧電素子磁石体粒子の磁気電気変換を、行う事を可能にする二枚合わせガラスに内蔵する軽水素トリチウム電子入り圧電素子磁石体粒子内蔵のシリコンシートを、テレビガラス基板の二枚合わせガラス内に積載内蔵した熱の瞬間吸収による熱と光の瞬間吸収発電で有り、熱を、瞬間に熱磁気電子変換出来る技術の軽水素トリチウム電子入り圧電素子磁石体粒子内蔵のシリコン技術積載の電気消費を、少なくする技術主張の請求項1記載の高出力高画質発電ビデオテレビシステムの実用新案著作権原本。
【請求項４】
高出力高画質発電ビデオテレビ装置システムの、液晶ビデオテレビパネル本体の構造形状として蝶番装置を液晶パネル本体の片側の2カ所の両側2カ所の場所に取り付けた二つ折形状の液晶画面装置に成り、二つ折りテレビ本体形状に対しての補助スイッチとして、人の指によって液晶画面上の指タッチ式の高出力高画質発電ビデオテレビ装置システムのタッチシステムスイッチ機能付きの液晶パネル画面付のテレビに成り、インターネット送受信情報用の超小型の複数アンテナとして四本の四回線以上アンテナの多画面インターネット波を引き込める絶縁体付の多層式の複数アンテナのネジ型取り付けのテレビビデオ装置に成り、テレビ波情報アンテナのはめ込みネジ込み型のインターネット波送受信用のエボナイトとプラスチック混合合成の網アンテナに圧電素子磁石体粒子を被せた構造に成り、差し込みナット方式の取り付け型のインターネット波受信用のアンテナの差し込みナット方式アンテナを二つ折両面液晶テレビの情報用多画面インターネットビデオテレビの端にボルトナットによって、取り付け固定した装置を、高出力高画質発電ビデオテレビ装置システムに積載内蔵したインターネット波送受信用のエボナイトプラスチック網を圧電素磁石体アンテナの差し込みナット方式の取り付け型のインターネット波受信用のアンテナ装置の複数アンテナ装置を取り付けた二つ折りのタッチ画面スイッチ機能積載内蔵の超軽量コンパクト構造装置を、積載内蔵した請求項1記載の高出力高画質発電ビデオテレビシステムの実用新案著作権原本。
【請求項５】
高出力高画質発電ビデオテレビ装置システムの、超小型複数アンテナ積載の情報用の多画面画像方式のインターネットテレビは、インターネット画面の映像と音声を、送受信出来る送受信近距離送受信装置の無線波リモコンシステム装置を、超小型にしたリモコン送受信装置を小さくしたリモコン装置構造の説明で有り、リモコン内部の通常コイルの代わりに軽水素トリチウム電子入り圧電素子磁石体粒子と軽水素トリチウム電子ガス入りの圧電素子磁石体粒子物質を、銅筒管コイル配線の銅筒に内蔵した構造の高出力コイル電気配線と通常コンデンサーの代わりに、軽水素トリチウム電子ガス入りの圧電素子磁石体粒子混合撹拌粒子入りのコンデンサー銅筒管コイルと通常コイルの代わりに、軽水素トリチウム電子入り圧電素子磁石体粒子内蔵の高出力銅筒官コイル配線を巻いた電磁石と軽水素トリチウム電子入り圧電素子磁石体粒子入りの、高出力銅筒官電気配線を近距離無線波送受信リモコン装置の新部品として使用できる近距離無線装置の銅配線部品を、高出力技術の軽水素トリチウム電子入り圧電素子磁石体粒子部品技術に変えた装置で有り、複数のデーター画像を、多画面テレビ局の無線リモコンをスイッチで画面を、切り替える事の出来る情報画面それぞれのパソコン画面の映像波と携帯電話波の画像と全自動ロボットのデーター受信画像と衛星放送画像とケーブルテレビ画像とビデオ制作画像と海底水中ケーブルロボット画像と山林ケーブルロボット画像と河川湖ケーブルロボット画像と無線画像と防犯カメラ画像とナビゲイション画像と自動車室内カメラ画像飛行機室内カメラ画像と船室内カメラ画像と公共施設カメラ画像と行きつけの店室内画像と都道府県市町村区テレビ局カメラ画像と都道府県市町村会議室カメラ画像と国会議事堂テレビ局カメラ画像と宇宙ステイション室内カメラ画像と月基地設置カメラ画像などを、情報用の複数局の多画面イターネットテレビ画面で映して見る事の出来る無線波リモコン装置の近距離高出力送受信部品積載内蔵のリモコン無線装置の二つ折り両面液晶テレビ画面パネルを、内蔵積載した請求項1記載の高出力高画質発電ビデオテレビシステムの実用新案著作権原本。
【請求項６】
高出力高画質発電ビデオテレビ装置システムの、インターネット部分のテレビのサイドのスペース空き部分と後部スペースに積載内蔵するウイルス防御カードの構造の内訳は、インターネット送信者の顔写真の輪郭確認の内蔵写真比較チェック作業と手相写真の比較チェックデーターの全自動確認と目の輪郭形状の目の輪郭形状写真の全自動比較チェックと歯の形状の写真比較の全自動チェック作業と声紋比較チェック作業を、行ってインターネットの送信者の相手確認の為の装置に成り、本人以外だとインターネットアクセスを、全自動拒否するプログラムを、内蔵したソフトで有り、ウイルス防御カードに設定したインターネット送受信確認全自動作動出来る装置によるインターネット会話は、ホームページ番号磁気データーとホームページ所有者の顔の輪郭位置形状の本人磁気映像波信号データー照合と認識確認認知実行の為のカードデーターの圧電素子磁気データー蓄積機能と画像輪カメラ磁気データー比較と認識装置と手相本人のカメラ磁気手相データー確認の為の磁気認識と声紋本人圧電素子磁気認識と住所のGPS位置確認の位置認識と衛星GPS位置居所認識と男女個別のカメラ形状認識と生年月日圧電素子磁気データー認識と隠し磁気暗号合言葉の圧電素子磁気データー照合認識確認装置を設定したウイルス防御カード設置者以外のインターネット送受信を、許可する前に相手のインターネット通信理由と相手の通信位置と本人の事情を事前に全自動記録と把握出来る圧電素子磁気カード装置によって、無意味なインターネット送受信を許可しないで違法全自動インターネット取締り局まで全自動連絡する事で、ウイルス犯罪者及び著作権盗作犯罪者及び知的所有財産盗作者のインターネット侵入を、ウイルス防御カード取り付けによって、ウイルス防御カード取り付け者以外のインターネット送受信を、拒否出来るウイルス防御カードシステム内蔵のインターネット犯罪を、防御出来るウイルス防御カードをテレビビデオに積載内蔵した請求項1記載の高出力高画質発電ビデオテレビシステムの実用新案著作権原本。
【請求項７】
高出力高画質発電ビデオテレビ装置システムの、二つ折両面の液晶テレビ装置の外側テレビパネル部分の端の周囲に取り付けるビデオテレビ専用のカメラレンズは、レンズの半分上が魚眼レンズ構造で有り、半分下のレンズが凸レンズ構造の魚眼レンズ構造と凸レンズの一つ削りレンズの魚眼とつ合わせ一つ削り形状のレンズカメラは、レンズの半分上側を、広く見えて、レンズの半分下側が通常画像の魚眼とつ合わせ一つ削りレンズカメラの防犯監視用のカメラレンズとし、防犯犯罪の証拠録画を目的とした人の顔の形状の瞬間に顔の形の形状ラインを、認識出来る装置に成り、被写体のダイオードの光の電気信号の認識確認出来る軽水素トリチウム電子ガスをCCDダイオードパネルのダイオード素子パネルに、予め、混合撹拌合成したダイオード素子パネルに軽水素トリチウム電子ガスを、入れたCCD画像のダイオード軽水素による光電子の人の顔の形状の認識と確認が出来る装置に成り、全体の人のカメラ形状認識確認の軽水素入りダイオードCCDパネルデーター映像波録画と動物カメラレンズ画像形状認識確認の為の録画とロボット形状カメラレンズ画像認識確認の為の圧電素子磁石体磁気粒子ラインによって録画と再生の為の光を磁気電波の画像波をカメラレンズの被写体の光電子画像認識出来るカメラの軽水素トリチウム電子入りのCCDパネルを、別名の高出力CCDパネル装置を、テレビビデオの正面の端部分のカメラに軽水素トリチウム電子ガス入りダイオードCCDパネル装置を、テレビカメラに積載内蔵した請求項1記載の高出力高画質発電ビデオテレビシステムの実用新案著作権原本。
【請求項８】
高出力高画質発電ビデオテレビ装置システムの、蝶番構造によって、二つ折の両面液晶テレビの端に取り付ける防犯カメラ用の魚眼レンズと凸レンズの一体型の一つ削りの合わせレンズ形状のカメラの魚眼レンズ部分のカメラレンズの映像装置は、魚眼レンズのカメラレンズの半分上の映像を、CCDパネルの魚眼映像部分を16分割の魚眼カメラ映像の画像の画像補正の為に画像の伸縮度の全自動のCCDパネルの画像補正計算と修正計算プログラム装置によって、魚眼レンズの伸縮度の設定画像補正を、魚眼カメラの被写体データーの全自動補正計算した画像を、魚眼とつレンズの合わせレンズ画像の魚眼プログラムの魚眼レンズの伸縮画像の全自動補正によって魚眼画像部分を、正面画像から中心画像までは、ゆっくり縮めて、中心画像から、奥の画像は、少しずつ伸ばす事によって、扇状の画像背景をテレビ画面に写し出す事で、凸レンズ画像と同じ画像を魚眼レンズ補正による正しい正画像をビデオ装置に全自動録画再生出来る多層式の圧電素子磁気カードと木材灰入りプラスチックシートを交互に重ねた多層式の圧電素子磁気カードのボックスカード型の録画再生出来る多層式のボックスカード装置を、ビデオテレビのビデオシステムに積載内蔵した請求項1記載の高出力高画質発電ビデオテレビシステムの実用新案著作権原本。
【請求項９】
高出力高画質発電ビデオテレビ装置システムの、緊急非常ライトシステム装置では、二つ折の両面液晶テレビに取り付ける緊急時の非常テレビライトシステム装置に取り付けるLEDライトシステム装置は、一般家庭電気配線の停電時に、全自動の省電気テレビライトシステムが、停電時に、素早く認識出来る全自動の電気スイッチによって作動する液晶テレビのバックライト及びサイドライトの高出力発光LEDライト装置は軽水素トリチウム電子ガスを、ダイオード物質に混合撹拌合成した高出力発光ダイオードライト装置の何処にも無い実用新案構造に成り、軽水素トリチウム電子入りのダイオードの電子増幅分だけ、少ない電気量で、明るいライト光を軽水素トリチウム電子分の増幅電子構造によって、明るい光を、得る事の出来る高出力発光ダイオードライト装置はテレビ前の足元を照らす為の、超小型の高出力発光LEDライトの軽水素トリチウム電子入りアルゴンガス混合合成のガスを発光ダイオードのダイオードに軽水素とアルゴンガスの混合合成のガス入りの発光ダイオードライトをテレビの正面の補助ライトと液晶テレビのバックライトに高出力発光LEDライト装置に積載内蔵した電気消費を少なくする技術の高出力発光LEDライト玉装置を非常テレビライトシステム装置に積載内蔵した請求項1記載の高出力高画質発電ビデオテレビシステムの実用新案著作権原本。
【請求項１０】
高出力高画質発電ビデオテレビシステムの、蝶番を積載使用した二つ折両面液晶テレビに積載して有る外部テレビ波ジャックの取り付け口に取り付ける実用新案配線は、電気の通り易い物質を使用した構造の気化物質の軽水素トリチウム電子ガスと電子を通す事の出来る固形の圧電素子磁石体粒子物質と軽水素トリチウム電子ガスを混合撹拌合成した軽水素トリチウム電子ガス混合合成の圧電素子電気配線を、アルミニウム鉛合金筒管配線に内蔵積載した軽水素トリチウム電子合成の超軽量電気配線を、アルミニウム鉛合金配線の筒型配線の電気配線筒配線の筒の中に軽水素入りの圧電素子電気配線を内蔵した配線に成り、電気配線表皮として、雑草灰入りビニール窒素ビニール粒子入りゴム絶縁体電気配線の電気配線表皮を、アルミニウム鉛合金筒電気配線に被せた電気の通り易い軽水素トリチウム電子と圧電素子磁石体粒子配線を保護する為の、雑草灰入り窒素粒子内蔵のビニール粒子ゴム絶縁体電気配線を、アルミニウム鉛合金筒配線に軽水素トリチウム電子入り圧電素子磁石体粒子配線を電気配線部分として、アルミニウム鉛筒電気配線に電気配線表皮を、雑草灰入り窒素粒子内蔵のビニール粒子ゴム絶縁体電気配線表皮構造の外部テレビ波配線を、アルミニウム鉛合金配線を、燃えづらくした電気配線表皮を、アルミニウム鉛合金筒管配線に被せてビデオテレビ配線としてビデオテレビに積載内蔵した請求項1記載の高出力高画質発電ビデオテレビシステムの実用新案著作権原本。
【請求項１１】
高出力高画質発電ビデオテレビシステムの、ビデオテレビリモコン装置積載の実用新案の為の、電波発射官装置は、絶縁体の生ごみ灰入りのプラスチック合成物質構造の生ゴミ灰入りのプラスチックスクリュー官に、近距離無線波を、スクリュー状に成って入る生ゴミ灰入りのプラスチックスクリュー筒官の中に電波を流す事で、スクリュー形状に飛び出す無線電波と成る近距離スクリュー無線波構造の装置に成り、更に、高速スクリュー電波発信装置によって、テレビ及び携帯電話用の画像と音声連絡の電波の流れスピードを、更に、上げる為に高出力銅筒官配線に、軽水素トリチウム電子入り圧電素子磁石体粒子配線を、使った超軽量コイルの高出力コイルは、軽水素トリチウム電子入りの圧電素子磁石体粒子配線の為、電気の通り易い物質で出来て入る為、電気が、スムーズムに電気配線に流れるコイル配線に成る為、電気の流れの世界で一番早いコイルを、使った高出力コイルに成り、コンデンサー用の電磁石は、高出力銅筒官コイル配線と高出力圧電素子磁石体の軽水素トリチウム電子の多く入った圧電素子磁石体シートと軽水素トリチウム電子の多く入った複数針穴形状のチタン酸バリウムシートを、交互に貼り合わせた高出力圧電素子磁石体に、複数の穴あきの超薄ステンレス板を、高出力圧電素子磁石体に被せた装置に、高出力銅筒官コイル配線を、巻いた電気スピードの流れが、世界で一番早い電磁石は、少ない電気量で高出力の電磁石を可能にした近距離スクリュー無線の送受信装置等の高出力技術を使った近距離スクリュー無線波を、テレビマイク音声とテレビスピーカー音声として流す事によって、スピードの有るリモコン無線波を高速リモコン無線装置として可能にしたスクリュー無線波送受信装置を、積載内蔵した請求項1記載の高出力高画質発電ビデオテレビシステムの実用新案著作権原本。
【請求項１２】
高出力高画質発電ビデオテレビシステムの、リモコン装置の複数家電のリモコンアンテナ装置の実用新案の為のIC回路カードの回路配線は、家電のリモコン波を、複数種類記憶したビデオテレビリモコン装置のIC回路カードの回路リモコン波は、ビデオテレビ内蔵のカードの圧電素子磁気カードシートパネルにプラスチック絶縁体カバーシートを複数重ね形状に、取り付けた圧電素子磁石体粒子磁気内蔵カードに、軽水素トリチウム電子入り圧電素子磁気プラスチック複数回路配線を溝構造にした回路配線の掘り下げた配線溝に軽水素トリチウム電子入り圧電素子磁石体粒子配線を流し込ンだ溝配線に、木材灰入りビニール絶縁体シート溶液を、軽水素トリチウム電子溝回路配線の絶縁体として、木材灰入りのビニール溶液を、被せ、圧電素子磁気ラインのデーター取り込み入力シート装置をIC回路カードの溝状に流し組み込んだIC回路カード回路配線に成り、リモコン波回路を記憶したIC回路薄超小型パネルを、多層式のIC回路カード積載した他社家電リモコンアンテナシステムを、ビデオテレビリモコン装置に多層式ICカード回路配線を、ビデオテレビリモコン装置の回路に積載内蔵した請求項1記載の高出力高画質発電ビデオテレビステムの実用新案著作権原本。
【請求項１３】
高出力高画質発電ビデオテレビシステムの実用新案の為の家電リモコンアンテナ装置は、ブロック波と無線波を組み合わせた近距離リモコンブロック組み合わせ無線波に成り、設定に対して近距離の家電無線リモコンのブロック波の超小型IC回路送信機と超小型の無線IC回路送信機の三枚の絶縁体シート入りの組み合わせによって、IC送信装置内蔵の複数リモコン回路装置の設定による二種類のブロック波とリモコン無線波の組み合わせリモコン無線波とリモコン無線波装置の電気消費を少なくする為に、高出力発電回路入りの軽水素トリチウム電子入り圧電素子磁石体の高出力圧電磁石体素子を使った高出力発電回路の回路電気の増幅電圧の発電装置によって、超小型無線近距離リモコン組み合わせ無波の補助電源として、家電製品のスイッチ切り替えリモコン装置とテレビリモコン装置の二種類のリモコン装置と複数の家電製品を、液晶画面と液晶リモコンタッチスイッチ切り替えによって、複数の家電製品とテレビのリモートコントロールと補助電源の為の発電回路装置を、補助発電確保した装置を積載内蔵した請求項1記載の高出力高画質発電ビデオテレビシステムの実用新案著作権原本。
【請求項１４】
高出力高画質発電ビデオテレビシステムの、ビデオテレビ用のリモコン装置は、音声認識マイク内蔵のリモコン装置になり、リモコン装置の液晶パネルに対しての指タッチスイッチ液晶パネルは、音声マイクを、内蔵した形状に成り、音声を、認識して、液晶パネルの超小型の指タッチパネルスイッチ画面にも成るマイクの部分に液晶パネルを、被せた構造の複数穴空きの超小型の液晶パネル一体型の液晶パネルの指タッチスイッチに成り、次にスイッチ操作を行う液晶パネルの指タッチスイッチ画面を、ビデオテレビリモコン装置の液晶パネルの指タッチスイッチリモコン画面に表記出来るマイク回路に成り、実用新案構造として、音声認識の圧電素子回路チップは、音声を、音声電波符号を、予め一つ一つ圧電素子磁気チップ回路の磁気回路線それぞれに認識して有る音声の圧電素子磁気認識回路チップ装置に成り、音声読み込み及び書き込み回路によって、音声を認識して音声認識スイッチと、他社家電の液晶パネルの指タッチスイッチパネルを、液晶タッチパネル上に内蔵設置して、複数の家電スイッチの液晶パネル画面上の音声画面切り変えを、表記出来る液晶パネルの指タッチスイッチパネル情報データー表記パネル装置を家電リモコン装置に積載内蔵した請求項1記載の高出力高画質発電ビデオテレビシステムの実用新案著作権原本。
【請求項１５】
高出力高画質発電ビデオテレビシステムのテレビ回路とビデオ回路とインターネット回路と防犯カメラ回路の映像回路部分の高出力高画質発電ビデオテレビシステムに対して、高出力超LSI回路のテレビビデオ部品構造の高出力N型シリコンLSI回路装置は、N型シリコンシート装置と新技術の軽水素トリチウム電子入りの複数針穴形状のN型シリコンシート装置を、交互に貼りあわせた軽水素トリチウム電子入りのN型シリコンを、高出力N型シリコンと言い、少ない電気量で作動出来る高力超LSI回路のN型シリコンと高出力P型のインジウムは、複数針穴形状の軽水素トリチウム電子入りのP型インジウムシートとP型のインジウムシートを交互に貼りあわせた高出力P型インジウムと高出力N型シリコンを組み合わせた高出力超LSI回路を、高出力高画質発電ビデオテレビシステムの全ての回路の映像回路に高出力超LSI回路を、積載内蔵した請求項1記載の高出力高画質発電ビデオテレビシステムの実用新案著作権原本。
【請求項１６】
高出力高画質発電ビデオテレビシステムの映像回路積載の、高出力PN接合ダイオードの回路部品は、複数針穴形状の軽水素トリチウム電子入りのP型ダイオード半導体シートとP型ダイオード半導体シート回路の、異なった二つのP型ダイオード半導体を交互に組み合わせ接合した装置を、高出力PN接合ダイオード回路に成り、高出力N型ダイオード半導体の複数針穴形状の軽水素トリチウム電子入りN型半導体シートとN型半導体シートを、交互に貼りあわせた高出力N型半導体と高出力P型ダイオード半導体を、接合した高出力PN接合ダイオード回路装置を、高出力高画質発電ビデオテレビシステムの映像回路に積載内蔵した請求項1記載の高出力高画質発電ビデオテレビシステムの実用新案著作権原本。
【請求項１７】
高出力高画質発電ビデオテレビシステムの映像回路積載の、軽水素アルゴンガス入りの圧電素子ダイオード映像回路チップ装置は、超小型の圧電素子磁石体粒子を超小型の圧電素子磁石体チップとした装置に軽水素とアルゴンガスを混合合成したガスを、圧電素子磁石体のチタン酸バリウムにアルゴンガスと軽水素トリチウム電子を、内蔵したチップ装置とし、映像プラス波は、軽水素アルゴン圧電素子映像回路チップのプラス圧電素子磁気の弱い部分にプラス映像波取り込み配線を取り付けて、軽水素アルゴン圧電素子映像回路チップのプラス圧電素子磁気の強い部分にプラス映像波取り込み配線を取り付けたプラス映像波回路の軽水素アルゴン圧電素子映像回路チップで有り、映像マイナス波は、軽水素アルゴン圧電素子映像回路チップのマイナス圧電素子磁気の弱い部分にマイナス映像波取り込み配線を取り付けて、軽水素アルゴン圧電素子映像回路チップのマイナス圧電素子磁気の強い部分にマイナス映像波取り込み配線を取り付けたマイナス映像波回路の軽水素アルゴン圧電素子映像回路チップの二つプラスとマイナスの軽水素アルゴン圧電素子映像回路チップ装置を、高出力高画質発電ビデオテレビシステムの映像回路に積載内蔵した請求項1記載の高出力高画質発電ビデオテレビシステムの実用新案著作権原本。
【請求項１８】
高出力高画質発電ビデオテレビシステムの、映像回路積載の、高出力発電回路型の装置に内蔵した映像ノイズ取り除き回路チップ装置は、高出力圧電素子磁石体の改良型の軽水素トリチウム電子入りの圧電素子磁石体シートパネルと軽水素トリチウム電子入りチタン酸バリウムシートの複数針穴空きシートとアルゴンガスと軽水素トリチウム電子入りのチタン酸バリウムの複数針穴空きシートを交互に貼りあわせた特製のアルゴンガス入りの高出力アルゴン入り圧電素磁石体のプラス磁気極の一番強い磁気部分に、映像プラス波を流して、軽水素トリチウム電子とアルゴン入りの高出力圧電素子磁石体のプラス極の磁気の一番弱い部分から、映像プラス増幅波を得る事が出来る装置と、高出力発電回路型映像ノイズ取り除きマイナス回路チップ装置は、高出力アルゴン圧電素子磁石体の改良型の軽素トリチウム電子入り圧電素子磁石体シートパネルと軽水素トリチウム電子入りチタン酸バリウム複数針穴空きシートとアルゴン軽水素入りチタン酸バリウム複数針穴空きシートを交互に貼りあわせた特製のアルゴンガスと軽水素トリチウム電子入りの高出力圧電素子磁石体のマイナス極の一番強い部分に、映像マイナス波を流して、軽水素トリチウム電子とアルゴン入りの高出力圧電素子磁石体のマイナス極の磁気の一番弱い部分から、映像マイナス増幅波を得る事が出来る装置それぞれのプラス高出力発電回路型映像ノイズ取り除き回路チップ装置とマイナス高出力発電回路型映像ノイズ取り除き回路チップ装置を高出力高画質発電ビデオテレビシステムの映像回路と音声回路に積載内蔵した請求項1記載の高出力高画質発電ビデオテレビシステムの実用新案著作権原本。
【請求項１９】
高出力高画質発電ビデオテレビシステムの、液晶パネル装置の端隅に取り付けられる高出力CCDカメラ被写体画像の画像認識センサー装置は、マイクロクリスタルレンズとカラーフイルターとマスクと新技術の軽水素トリチウム電子ガス入りのダイオード受光素子は、ダイオードに軽水素トリチウム電子ガスを混合合成した軽水素入りのダイオード受光素子構造の装置を、積載した高出力高画質発電ビデオテレビシステムの、カメラの高出力CCDセンサーの受光素子をテレビカメラに積載内蔵した請求項1記載の高出力高画質発電ビデオテレビシステムの実用新案著作権原本。
【請求項２０】
高出力高画質発電ビデオテレビシステムの、映像回路積載のアルゴン圧電素子ダイオード映像回路チップ装置は、圧電素子磁石体のチタン酸バリウムにアルゴンガスを、混合合成したアルゴンガス入りの圧電素子に成り、プラス映像回路は、アルゴンガス入りの圧電素子磁石体のプラス陽電子磁気部分にプラス映像配線の出力配線を取り付けプラス磁気の弱い部分のプラス中間陽電子部分にプラス映像配線の入力配線を取り付ける事によって、通常プラス映像波の磁波ノイズを磁気整流化する為に、圧電素子磁石体のプラス磁石体にプラス映像波を通して、通常プラス映像波の電波ノイズを取り除いて、アルゴンガス磁気によって、プラス映像波の超微粒子映像波の電子整正を行えるプラスアルゴン圧電素子映像回路チップのノイズ取り除き装置に成り、マイナス映像回路は、アルゴンガス入りの圧電素子磁石体のマイナス陰電子磁気部分にマイナス映像配線の出力配線を取り付けマイナス磁気の弱い部分のマイナス中間陰電子部分にマイナス映像配線の入力配線を取り付ける事によって、通常マイナス映像波の磁波ノイズを磁気整流化する為に、圧電素子磁石体のマイナス磁石体にマイナス映像波を通して、通常マイナス映像波の電波ノイズを取り除いて、アルゴンガス圧電素子磁気によって、マイナス映像波の超微粒子映像波の電子整正を行えるマイナスアルゴン圧電素子映像回路チップのノイズ取り除き装置によって、地震の多い地域の活断層の上などの磁波の乱れによる電波障害の乱れた電波を整流波に変える事の出来るノーマル波及びデジタル波のテレビの映像回路のノイズ取り除き装置のアルゴン圧電素子映像回路チップ装置を、ビデオテレビシステムの映像回路に積載内蔵した請求項1記載の高出力高画質発電ビデオテレビシステムの実用新案著作権原本。
【請求項２１】
高出力高画質発電ビデオテレビシステムの、映像回路と音声回路積載の圧電素子のノイズ取り除きチップ装置は、プラス音声波配線に、圧電素子磁石体のプラス磁気の一番弱い部分に、プラス音声波取り込み配線を取り付け、圧電素子磁石体のプラス磁気の一番強い部分にプラス整流磁気音声波の取り出し配線を取り付ける事によって、磁波の強い活断層の上の地上部分の磁波の乱れが強い部分にテレビ音声波などが、通った場合電波の乱れが生じるが、音声回路のノイズ取り除きチップ装置のマイナス音声波配線に、圧電素子磁石体のマイナス磁気の一番弱い部分に、マイナス音声波取り込み配線を取り付け、圧電素子磁石体のマイナス磁気の一番強い部分にマイナス整流磁気音声波の取り出し配線を取り付ける事によって、磁波の強い活断層の上の地上部分の磁波の乱れが強い部分にテレビ音声波などが、通った場合電波の乱れが生じた音声波及び映像波及びラジオ波及びインターネット波及び携帯波及び無線波及びソナー波及び衛星波及びデジタル波及びノーマル波など、全ての乱れた電波を、圧電素子の磁気整流波現象によって電波ノイズを取り除く事の出来る圧電素子のノイズ取り除きチップ装置を、映像回路と音声回路に積載内蔵した請求項1記載の高出力高画質発電ビデオテレビシステムの実用新案著作権原本。
【請求項２２】
高出力高画質発電ビデオテレビシステムの、映像回路と音声回路の回路装置に対しての電気熱のノイズ除去対策技術として、弱制御の圧電素子磁石体を使った圧電素子磁石体粒子の電波ノイズ取り除き装置は、圧電素子磁石体シートと圧電素子磁石体粒子入り窒素ガス入り固形窒素内蔵チタン酸バリウム複数針穴空きシートを、交互に貼りあわせた冷却圧電素子磁石体は、チタン酸バリウムに冷却窒素ガス入りの固形窒素を入れた圧電素子磁石体に成り、別名、回路電気熱の弱制御圧電素子電波ノイズ取り除き装置は、電気熱上昇を抑える回路チップ素子体として、考案した圧電素子磁石体のチタン酸バリウム物質装置に窒素ガス入りの固形窒素を、混合撹拌合成した冷却回路部品に成り、電気熱が上がる為、プラス配線に冷却圧電素子の、プラス磁気の一番弱い部分に、プラス映像波またはプラス音声波の回路取り込み配線をつないで、プラス冷却圧電素子磁石体の磁気の一番強い部分から、プラス映像波または、プラス音声波を取り出す事が、出来る別名回路電気熱弱制御圧電素子電波ノイズ取り除き装置に成り、電気熱の上がる場合、マイナス配線に冷却圧電素子の、マイナス磁気の一番弱い部分に、マイナス映像波またはマイナス音声波の回路取り込み配線をつないで、マイナス冷却圧電素子磁石体の磁気の一番強い部分から、マイナス映像波または、マイナス音声波を取り出す事が、出来る別名回路電気熱弱制御圧電素子電波ノイズ取り除き装置に成り、陶器カバーなどを取り付けた電気熱ノイズを抑える冷却ガス入り電気抵抗取り除き装置を、映像回路と音声回路の回路配線に積載内蔵した請求項1記載の高出力高画質発電ビデオテレビシステムの実用新案著作権原本。
【請求項２３】
高出力高画質発電ビデオテレビシステムの、映像回路基板と音声回路基板装置の、回路基板配線は、レアーアース金属が高騰の為、古くから有る特許切れのアルミニウム鉛合金溶液の回路配線を、回路基板配線に沿って、予め、回路基板の回路基板配線溝を掘った溝の場所の溝部分に、特許切れ財産のアルミニウム鉛溶液を、薄く敷いた場所に、電気の通り易い物質の軽水素トリチウム電子入りの圧電素子磁石体粒子内蔵の電気の通るプラスチック混合溶液回路配線を流し込む事で、レアーアースを、超えた電気の通り易い物質で作った軽水素トリチウム電子入り圧電素子磁石体粒子の電気の通るプラスチック混合溶液配線を二重の回路配線技術にする事で、レアーアース以上の電気回路板の回路配線の電気の流れの速い電気の流れる回路基板装置によって、低価格の電気消費の少ない安価な二重の回路配線基板装置を、ビデオテレビシステムの回路基板装置に積載内蔵した請求項1記載の高出力高画質発電ビデオテレビシステムの実用新案著作権原本。
【請求項２４】
高出力高画質発電ビデオテレビシステムの、回路基板配線は、、古くから有る特許切れのアルミニウム鉛合金溶液配線を、回路基板配線に沿って、予め回路基板の配線溝が有る溝部分に、特許切れ財産のアルミニウム鉛溶液を、回路溝に薄く敷いた場所に軽水素固形窒素電気の通るプラスチック混合溶液を流し込んだ二重の回路配線全体にフロンガス入り固形窒素プラスチック冷却絶縁体溶液を流し込んだ回路熱制御基板シート溶液装置を、高出力高画質発電ビデオテレビシステムの回路熱制御基板装置をビデオテレビシステムの回路基板装置に積載内蔵した請求項1記載の高出力高画質発電ビデオテレビシステムの実用新案著作権原本。
【請求項２５】
高出力高画質発電ビデオテレビシステムの、音声回路配線内の高出力回路コイルは、銅筒官コイル配線の筒官の中に、軽水素トリチウム電子入りの圧電素子磁石体粒子を銅筒官コイルの回路配線の銅筒官配線の中に軽水素トリチウム電子入り圧電素子磁石体粒子配線を内蔵する事によって、電気の通り易い電気配線が出来上がり電気スピードを電子スピードレベルにする事を可能にした別名の高出力銅筒官コイル配線を音声回路配線内に積載内蔵した請求項1記載の高出力高画質発電ビデオテレビシステムの実用新案著作権原本。
【請求項２６】
高出力高画質発電ビデオテレビシステムの、映像回路基板と音声回路基板装置の、回路絶縁体装置部品部分は、高出力銅筒官配線の別名の銅筒官配線の筒状の銅管に軽水素トリチウム電子入り圧電素子磁石体粒子入り配線に対しての電気絶縁体の電気配線表皮構造に対して、固形窒素と雑草灰を混合合成した混合ゴム表皮を被せた電気配線と絶縁体回路装置には、木材灰と粘土を、混合合成して焼き固めした超軽量陶器回路絶縁体と超軽量回路配線の銅筒官配線の絶縁体表皮を取り付けた超軽量木材灰入り絶縁体を、高出力高画質発電ビデオテレビシステムの回路絶縁体構造とした回路絶縁体装置を、映像回路基板と音声回路基板装置の回路電気配線内に積載内蔵した請求項1記載の高出力高画質発電ビデオテレビシステムの実用新案著作権原本。
【請求項２７】
高出力高画質発電ビデオテレビシステムの、映像回路基板と音声回路基板装置の回路の電気熱の瞬間電気熱吸収発電出来る超軽量絶縁体装置は、絶縁体に4本の高出力銅筒官電気配線と電気熱の瞬間吸収の熱磁気電子変換の出来る発電の為の電気取り込み配線を取り付けた、木材灰と陶器粘土を使った絶縁体の二つ割り構造の絶縁体構造の中に軽水素トリチウム電子入り圧電素子磁石体粒子入りシリコンの熱瞬間吸収発電体を絶縁体の内部に内蔵して、二つ割り超軽量陶器絶縁体の接着方法として、液体セメントを二つ割りの突起結合合わせ部分に、液体セメントを流し込んで、二つ割りの超軽量絶縁体を、結合させて液体セメント接着させた超軽量の回路配線電波取り込み配線と電気熱瞬間発電電気回収配線の超軽量電気配線を取り付けた電気熱発電超軽量絶縁体を、高出力高画質発電ビデオテレビシステムの映像回路基板と音声回路基板装置の回路に積載内蔵した請求項1記載の高出力高画質発電ビデオテレビシステムの実用新案著作権原本。
【請求項２８】
高出力高画質発電ビデオテレビシステムの、音声回路の高出力変圧器構造は、高出力銅筒官コイルの別名の軽水素トリチウム電子入り圧電素子磁石体粒子配線を内蔵した銅筒官コイル配線を四角形の高出力磁石貼り合わせ板の鋼鉄複数穴空き薄磁石板と軽水素トリチウム電子入りの圧電素子磁石シートと軽水素トリチウム電子入りチタン酸バリウムシートを交互に貼りあわせた高出力複数磁石の多層貼り合わせ人工合成磁石板に、高出力銅筒官コイル配線を、変圧器の板に二組巻いた構造に対して、二本の高圧側リード線と四本の低圧側リード線を取り付けた高出力変圧器を、高出力高画質発電ビデオテレビシステムの音声回路に積載内蔵した請求項1記載の高出力高画質発電ビデオテレビシステムの実用新案著作権原本。
【請求項２９】
高出力高画質発電ビデオテレビシステムの、電気取り込み配線コードの装置に対して電気の通り易い銅配線の構造として、超軽量の軽水素トリチウム電子入りの圧電素子磁石体粒子配線を銅線の中を刳り貫いた銅筒官コイル配線の中に、軽水素トリチウム電子入りの圧電素子磁石体粒子配線を内蔵した超軽量の電気の通り易い軽水素トリチウム電子と圧電素子物質で、電気配線を、作り上げた銅筒官コイル配線を、高出力高画質発電ビデオテレビシステムの電気取り込み配線コードの装置を、ビデオテレビシステムに積載内蔵した請求項1記載の高出力高画質発電ビデオテレビシステムの実用新案著作権原本。
【請求項３０】
高出力高画質発電ビデオテレビシステムの、電気取り込みコード配線の表皮構造は、銅筒官コイル配線の別名の高出力銅筒官コイル配線の絶縁電気配線表皮は、ビニールゴム溶液に木材灰及び竹材の灰及び雑草の灰及び生ゴミの灰などの炭素炭物質より軽い灰を、ビニールゴム溶液に、混合合成した物質を、高出力銅筒官コイル配線に、電気配線絶縁表皮として、被せて固めた電気配線の超軽量電気配線表皮を、高出力高画質発電ビデオテレビシステムの電気取り込みコード配線としてビデオテレビシステムに、積載内蔵した請求項1記載の高出力高画質発電ビデオテレビシステムの実用新案著作権原本。
【請求項３１】
高出力高画質発電ビデオテレビシステムの、映像回路の高出力サイリタは、N型半導体に対して、N型シリコン半導体シート形状の装置と複数針穴形状のN型軽水素トリチウム電子入りシリコン半導体シートを、交互に貼りあわせたのが高出力N型半導体に成り、P型シリコン半導体シートに対して複数針穴形状のP型軽水素トリチウム電子入りシリコン半導体シートを、交互に貼りあわせたのが高出力P型半導体に成り、高出力N型半導体にカソード(k)を取り付け、高出力P型半導体に、アノード(Ａ)を取り付け、高出力N型半導体と高出力P型半導体を、交互に貼りあわせた構造に対して、高出力P型半導体一つにゲート(Ｇ)を取り付けた高出力サイリスタに成り、高出力サイリスタを、高出力高画質発電ビデオテレビシステムの映像回路にサイリスタ装置を、ビデオテレビシステムのマザーボードに積載内蔵した請求項1記載の高出力高画質発電ビデオテレビシステムの実用新案著作権原本。
【請求項３２】
高出力高画質発電ビデオテレビシステムの、映像回路の高出力NPN型トランジスタは、コレクタ配線側に高出力N型半導体の、N型半導体シートと複数針穴形状の軽水素トリチウム電子入りのN型半導体シート装置を、交互に貼りつけた高出力N型半導体とエミッタ側に高出力N型半導体の、N型半導体シートと複数針穴形状の軽水素トリチウム電子入りのN型半導体シートを、交互に貼りつけた高出力N型半導体に成り、中央部分のベース部分に、高出力P型半導体の、P型半導体シートと軽水素トリチウム電子入りのP型半導体シートを、交互に貼りつけた高出力P型半導体を、接合した高出力NPN型トランジスタになり、高出力トランジスタカバーは、窒素木材灰入りプラスチックカバーによって、回路熱を抑える為の、材料費の安い窒素を使用した電気熱制御の高出力NPN型トランジスタを高出力高画質発電ビデオテレビシステムのマザーボードに積載内蔵した請求項1記載の高出力高画質発電ビデオテレビシステムの実用新案著作権原本。
【請求項３３】
高出力高画質発電ビデオテレビシステムの、映像回路の高出力PNP型トランジスタは、コレクタ配線側に高出力P型半導体の、P型半導体シートと別の複数針穴形状の軽水素トリチウム電子入りのP型半導体シートを、交互に貼りつけた高出力N型半導体とエミッタ側に高出力N型半導体の、P型半導体シートと複数針穴形状の軽水素トリチウム電子入りのP型半導体シートを、交互に貼りつけた高出力P型半導体に成り、中央部分のベース部分に、高出力N型半導体の、N型半導体シートと複数針穴形状の軽水素トリチウム電子入りのN型半導体シートを、交互に貼りつけた高出力N型半導体を、接した高出力PNP型トランジスタになり、高出力トランジスタカバーは、窒素木材灰入りプラスチックカバーによって、回路熱を抑える為の、材料費の安い窒素を使用した電気熱制御の高出力PNP型トランジスタを高出力高画質発電ビデオテレビシステムのマザーボードに積載内蔵した請求項1記載の高出力高画質発電ビデオテレビシステムの実用新案著作権原本。
【請求項３４】
高出力高画質発電ビデオテレビシステムの、映像回路の高出力FETは、上下の高出力N型半導体のソース側からドレイン側に電気電子が流れ、サイドの高出力P型半導体の一か所にゲート口を設けた構造に成り、複数針穴形状の軽水素トリチウム電子の入っているN型シリコン半導体と通常のN型シリコン半導体を、交互に貼りあわせた高出力N型シリコン半導体とP型シリコン半導体と複数針穴形状の軽水素トリチウム電子入りのP型シリコン半導体を交互に貼りあわせた高出力N型シリコン半導体と高出力P型シリコン半導体効果によって、消費電力をさらに少なくした高出力FETを高出力高画質発電ビデオテレビシステムの映像回路のマザーボードに積載内蔵した請求項1記載の高出力高画質発電ビデオテレビシステムの実用新案著作権原本。
【請求項３５】
高出力高画質発電ビデオテレビシステムの、液晶テレビのバックライトに、使用する電気ライト玉装置に対して、電気の電気電子の増幅システムに対して物質の軽水素トリチウム電子を、発光ダイオードライトのダイオード部分に内蔵撹拌合成する事で、ダイオード内の電子量を、増量する事によって、発光LEDライトの発光量を増幅出来る軽水素トリチウム電子入り発光LEDライト玉を、高出力高画質発電ビデオテレビシステムのバックライトに積載内蔵した請求項1記載の高出力高画質発電ビデオテレビシステムの実用新案著作権原本。
【請求項３６】
高出力高画質発電ビデオテレビシステムの、ビデオ部分の映像と音声の入出力に使用する音声画像の入出力の録画の為の圧電素子磁気カードボックス装置は、超薄型の絶縁板パネルに超最微粒子の圧電素子磁石体の超微粒子圧電素子磁気ラインと木材灰入りの絶縁体を、交互に絶縁体プラスチックシートに貼りつけた圧電素子磁石体超最微粒子の磁気ラインシートを、複数に重ねた磁気シートに対して、超薄の木材灰入りプラスチック絶縁体シートを、挟んで超薄圧電素子磁石体ラインシートを、多層重ねにしたカードボックスに木材灰入りプラスチック絶縁体の超軽量絶縁体プラスチックパネルを、カードボックスに被せた多層シートそれぞれに、カード配線の映像配線と音声配線を取り付け内蔵アンテナ電波送受信装置を取り付けたカードボックスを、著作権先技術主張の高出力高画質発電ビデオテレビシステムに圧電素子磁気カードボックス装置内蔵した高出力高画質発電ビデオテレビシステムを積載内蔵した請求項1記載の高出力高画質発電ビデオテレビシステムの実用新案著作権原本。
【請求項３７】
高出力高画質発電ビデオテレビシステムの、ビデオリモコン装置の操作スイッチは、液晶画面を、指タッチパネルとリモコン装置の二つのスイッチ機能とテレビビデオリモコン装置に内蔵の超小型のスビーカーとマイク音声入力装置は、音声入力の為と、音声認識の為の、圧電素子磁石体の音声圧電素子磁気認識チップ回路の圧電素子磁石体回路チップに木材灰入り絶縁体シートを被せた音声認識チップ回路をリモコン操作の為の音声圧電素子チップ装置をリモコン装置のリモコン回路に積載内蔵する事で、音声によるビデオテレビシステムの操作の音声圧電素子チップの音声認識によるテレビビデオ操作の音声切り替えと液晶タッチ画面の液晶タッチ操作のテレビビデオ操作の二種類のテレビビデオのリモコン操作を可能にした高出力高画質発電ビデオテレビシステムの二つのスイッチ機能装置を、積載内蔵した請求項1記載の高出力高画発電ビデオテレビシステムの実用新案著作権原本
。
【請求項３８】
高出力高画質発電ビデオテレビシステムの、ビデオリモコン操作スイッチ液晶指タッチリモコン装置の作動電気エネルギー源は、高出力電磁誘導発電装置の、軽水素トリチウム電子入りの圧電素子磁石体粒子内蔵の銅線を筒状にしたコイル配線の中に軽水素トリチウム電子入りの圧電素子磁石体粒子を入れた高出力銅筒官コイル配線と高出力圧電素子磁石体の軽水素トリチウム電子入り圧電素子磁石体と軽水素トリチウム電子入りのチタン酸バリウムシートを、交互に貼りあわせた高出力圧電素子磁石体に、複数針穴形状の超薄ステンレス磁石体を、高出力圧電素子磁石体に巻きつけて、高出力圧電素子磁石体滑落防止対策を行った上で、高出力銅筒官コイルを巻いた、高出力電磁石と永久磁石を、自動充電池の振り子装置の電磁石反発装置に積載内蔵した、高出力高画質発電ビデオテレビシステムの高出力電磁誘導発電装置を積載内蔵した請求項1記載の高出力高画質発電ビデオテレビシステムの実用新案著作権原本。
【請求項３９】
高出力高画質発電ビデオテレビシステムの、ビデオリモコン操作液晶タッチパネルの、液晶リモコン装置に積載する充電池装置の充電の為の気化物質として、フロンガスと軽水素トリチウム電子の冷却気化充電物質を、充電池のプラス電極物質とマイナス電極物質として、別々の充電池構造として取り付け、プラス電極専用の永久鋼鉄磁石に液体マグネシウム複数針穴形状の電極に対して固形窒素にフロンガス入りの冷却絶縁体パネルシートと軽水素トリチウム電子入りの圧電素子磁石体粒子入りのマグネシウム混合合成のチタン酸バリウムパネルシートを、交互に重ね合わせた固形窒素入りの液体マグネシウム充電池電極物質を、プラス充電池構造として、マイナス電極専用のプラス永久鋼鉄磁石に液体マグネシウム複数針穴形状の固形窒素にフロンガス入りの冷却絶縁体パネルシートと軽水素トリチウム電子入りの圧電素子磁石体粒子入りのマグネシウムチタン酸バリウムパネルシートを、交互に重ね合わせた固形窒素入りの液体マグネシウム充電池電極物質を、マイナス充電池構造としたプラス極とマイナス極を、別々にした充電池本体は、液体マグネシウムの電気熱燃焼を、避けた世界最速の軽水素トリチウム電池充電時間の短い、液体マグネシウムフロン固形窒素と軽水素シートパネルを充電池構造とした装置を、高出力高画質発電ビデオテレビシステムの充電池装置に積載内蔵した請求項1記載の高出力高画質発電ビデオテレビシステムの実用新案著作権原本。
【請求項４０】
高出力高画質発電ビデオテレビシステムの、映像回路の映像装置の色彩を調整する為の、特許切れのノーマル回路のダイオードチップ回路部品構造の装置は、電気消費を少なくする映像回路ダイオード技術として、デジタル映像回路及びノーマル映像回路のダイオード色彩チップ回路のダイオード回路チップに軽水素トリチウム電子を、混合合成して軽水素トリチウム電子を映像回路ダイオードチップに平均に撹拌合成して入れる事で映像回路ダイオードチップ内の電子反応スピードを、速くする為の軽水素トリチウム電子をダイオード映像回路チップに混合合成したダイオード映像回路チップを、映像回路に積載内蔵する事で色彩を、鮮やかに出来る装置の軽水素トリチウム電子入りダイオード映像回路チップ装置を、ビデオテレビシステムの積載の映像回路に積載内蔵した請求項1記載の高出力高画質発電ビデオテレビシステムの実用新案著作権原本。
【請求項４１】
高出力高画質発電ビデオテレビシステムの、映像回路の映像装置の液晶画面の色彩を、調整する為の特許切れのノーマル回路のダイオードチップ回路の映像波のダイオードの色彩の鮮明度を高める為に、ダイオード映像回路チップに、アルゴンガスを平均に撹拌混合合成したアルゴンガス内蔵のダイオード映像回路チップのアルゴンダイオード映像回路チップをビデオテレビの映像回路にアルゴンガス内蔵のダイオード映像回路チップを、積載内蔵した請求項1記載の高出力高画質発電ビデオテレビシステムの実用新案著作権原本。
【請求項４２】
高出力高画質発電ビデオテレビシステムの、映像回路の液晶画面の映像パネル装置の色彩度を調整する為の、特許切れのノーマル回路のダイオードチップ回路の映像波のダイオードの色彩の鮮明の電気消費を少なくする事とダイオードの色彩認識スピードを若干早くする為に、ダイオード映像回路チップに、アルゴンガスと軽水素トリチウム電子をダイオード映像回路チップに平均に撹拌混合合成したアルゴン軽水素ダイオード映像回路チップを、ビデオテレビシステムの映像回路にアルゴン軽水素ダイオード映像回路チップを、積載内蔵した請求項1記載の高出力高画質発電ビデオテレビシステムの実用新案著作権原本。
【請求項４３】
高出力高画質発電ビデオテレビシステムの、映像回路の液晶画面の映像装置の色彩を調整する為の、特許切れのノーマル回路のダイオードチップ回路の胡麻粒程の大きさの映像波のダイオードの色彩の鮮明度極めたて、電気消費を少なくする事とダイオードの色彩認識スピードを若干早くする為の軽水素トリチウム電子を、ダイオード映像回路チップに、ネオンガスと軽水素トリチウム電子をダイオード映像回路チップに平均に撹拌混合合成したネオンガス入りの軽水素ダイオード映像回路チップを、ビデオテレビシステムの映像回路に積載内蔵した請求項1記載の高出力高画質発電ビデオテレビシステムの実用新案著作権原本。
【請求項４４】
高出力高画質発電ビデオテレビシステムの、映像回路の液晶画面の映像装置の色彩の色の度合いを、調整する為の、特許切れのノーマル回路の胡麻粒程の大きさのダイオード物質を、主体としたダイオードチップ回路の映像波が通る映像回路配線取り付けのダイオードの色彩の鮮明度と電気消費を少なくする事とダイオードの色彩認識スピードを若干早くする為に、ダイオード映像回路チップに、ネオンガスとアルゴンガスと軽水素トリチウム電子をダイオード映像回路チップのダイオード物質に平均に撹拌混合合成したネオンアルゴンガス軽水素入りのダイオード映像回路チップを、ビデオテレビシステムの映像回路に積載内蔵した請求項1記載の高出力高画質発電ビデオテレビシステムの実用新案著作権原本。
【請求項４５】
高出力高画質発電ビデオテレビシステムの、映像回路の液晶画面の映像装置の色彩のを色調整する為の、特許切れのノーマル回路の胡麻粒程の大きさのダイオードチップ回路と映像波のダイオードの色彩の鮮明度を極めたてる為の、アルゴンガスと電気消費を少なくする事とダイオードの色彩認識スピードを若干早くする為に軽水素トリチウム電子を、撹拌混合のダイオード合成になり、映像回路のノイズを取り除く圧電素子磁石体粒子をダイオード映像回路チップのダイオードに混合合成し、ネオンガスとアルゴンガスと軽水素トリチウム電子と圧電素子磁石体をダイオード映像回路チップに平均に撹拌混合合成したネオンアルゴン軽水素圧電素子ダイオード映像回路チップを、ビデオテレビシステムの映像回路に積載内蔵した請求項1記載の高出力高画質発電ビデオテレビシステムの実用新案著作権原本。
【請求項４６】
高出力高画質発電ビデオテレビシステムの、映像回路の液晶画面の映像ゴーストを、取り除く為に、超小型の胡麻粒程の大きさのマイクロ充電池チップと言うあらゆる充電池物質の素子タイプの超小型充電池形状の映像回路チップとして映像回路のプラス映像回路とマイナス映像回路それぞれに取り付けた3ミリメートル程度の超小型マイクロ充電池チップを、それぞれのプラス回路とプラス極充電チップに対して、プラス充電チップのプラス充電池電極の弱い部分から、プラス充電池電極の強い部分にプラス映像波を流す事によって、プラス映像波ノイズを取り除き装置に成り、マイナス回路は、マイナス極充電チップに対して、マイナス充電チップのマイナス充電池電極の弱い部分から、マイナス充電池電極の強い部分にマイナス映像波を流す事によって、マイナス映像波ノイズを取り除き装置に成り映像回路の超小型マイクロ充電池チップ配線を取り付けた映像ゴースト取り除き装置を、ビデオテレビシステムの映像回路に積載内蔵した請求項1記載の高出力高画質発電ビデオテレビシステムの実用新案著作権原本。
【請求項４７】
高出力高画質発電ビデオテレビシステムの、映像回路の液晶画面の映像ゴーストを、取り除く為に、回路内配線内の映像回路に取り付ける超小型の電気量調整の為の、絶縁体程の胡麻粒程の大きさのマイクロ充電池チップ物質に圧電素子磁石体粒子を内蔵合成した圧電素子磁石体粒子内蔵の充電池回路チップは、圧電素子磁石体の磁気の磁界線の磁気整流効果によって、ノイズ電波を、整流化して、更に、充電池素子物質のプラス物質とマイナス物質の電気貯蓄層形状物質によって、電極磁界線のノイズ電波の整流化によって、ノイズを取り除いた音声波と映像波を得る事の出来る圧電素子充電池素子の映像回路チップを、ビデオテレビシステムの映像回路に積載内蔵した請求項1記載の高出力高画質発電ビデオテレビシステムの実用新案著作権原本。
【請求項４８】
高出力高画質発電ビデオテレビシステムの、二つ折の蝶番取り付け方式の両面液晶テレビ画像装置に対して、実用考案として、四つ折りの蝶番取り付け方式の4面型の液晶画面に蝶番装置によって、180度の大きなロビーホール全体をテレビ映像とインターネット映像と市町村インターネット画像などの、様々なインターネット画像を、180度以上の周囲と範囲で、見渡す事の出来るテレビパネル装置の持ち運びが、コンパクトな四つ折り出来る超薄型の4画面液晶パネルを、ビデオテレビシステムに積載内蔵した請求項1記載の高出力高画質発電ビデオテレビシステムの実用新案著作権原本。
【請求項４９】
高出力高画質発電ビデオテレビシステムの、液晶画面のライトカメラ装置は、テレビ装置の前画面の上部とサイドに取り付け取り外し可能な装置として、カートリッジアダプタ形状の、卵型円形形状の鉄銅アルミニウムの三種類の金属合金物質構造の、カートリッジアダプタ系の八角形状の差し込み取り付け形状装置の金属と差し込み卵型円形形状構造のライトとカメラの機能が、ビデオテレビに反映出来る映像波と音声波と電気取り込み配線の為の差し込みアダプタ装置を、ビデオテレビシステムに積載内蔵した請求項1記載の高出力高画質発電ビデオテレビシステムの実用新案著作権原本。
【請求項５０】
高出力高画質発電ビデオテレビシステムの、ビデオテレビ回路基板配線は、レアーアース金属が高騰の為、古くから有る特許切れのアルミニウム鉛合金の溶液配線を、回路基板配線に沿って、予め回路基板の配線溝が有る部分に、特許切れ財産のアルミニウム鉛溶液を、薄く敷いた場所に、電気の通り易い物質の軽水素トリチウム電子入りの圧電素子磁石体粒子入りの電気の通るビニール混合溶液を、古くから有る特許切れのアルミニウム鉛合金溶液配線を、溝回路配線に流し込む事で、レアーアースを、超えた電気の通り易い物質で作った軽水素トリチウム電子入り圧電素子磁石体粒子の電気の通るビニール溶液配線を二重の回路配線にする事で、レアーアース以上の回路の電気の流れの速い回路基板によって、低価格の電気消費の少ない回路基板を、軽水素トリチウム電子入り圧電素子磁石体粒子の電気の通るビニール溶液配線を二重の回路配線を、積載内蔵した著作権先技術文書図面主張の請求項1記載の高出力高画質発電ビデオテレビシステムの実用新案著作権原本。
【請求項５１】
高出力高画質発電ビデオテレビシステムの、ビデオテレビ回路基板は、セメント粒子粉に木材灰と雑草灰と竹灰と燃えるゴミの灰などを窒素セメントと混合した耐熱回路基板に、予め回路配線の溝を掘って有る場所に、電気の通る軽水素トリチウム電子と圧電素子内蔵の電気の通るプラスチック混合溶液を、流した後、木材灰入り固形窒素ビニール溶液を流した後に、鉛溶液を、回路溝に流し込んで急速冷却して固めた耐熱回路基板に、木材灰入りゴムシートパネルを貼り付けた耐熱回路基板を、ビデオテレビ回路基板装置に積載内蔵した請求項1記載の高出力高画質発電ビデオテレビシステムの実用新案著作権原本。
【請求項５２】
追加の特許請求項52として、2013年1月15日朝9時頃考案発明の、従来のテレビの映像回路及びビデオ等に、使用擦る発光ダイオードを、一切使用しない技術に成り、予めカメラ等の色合わせデーター及び発光ダイオード色合わせデーターを、磁気チップに予め入れて置く世界最新技術によって、発光ダイオードの色合わせを、少なく擦る事で、映像回路の縮小化が可能に成り、薄型テレビが可能に成り、映像回路色データーを、圧電素子磁気チップに内蔵した映像回路を、積載内蔵した請求項1記載の高出力高画質発電ビデオテレビシステムの考案特許の著作権原本。
【発明の詳細な説明】
【技術分野】
【０００１】
本考案は、著作権先技術主張の国の全額借金返済と都道府県市町村区の全額借金返済の為のテレビビデオシステムに関する著作権盗作防止の為のテレビビデオの構造説明で有る。
【０００２】
従来の、デジタルテレビは、特許番号明示及び実用新案登録番号明示無しの為、事実上は液晶特許切れとデジタル回路海外特許権料も特許年数25年中の内10年が過ぎた為、特許権使用料金が安く成っているがテレビパネル料金より携帯電話料金の方が、遥かに安く5000円以下の液晶値段より、海外部品なら特許切れの著作権料金の3000円以下の液晶の携帯電話パネルに成るはずの技術料金と部品代金なのに、いまだに特許権明示無しの液晶携帯電話が、5万円と言う市場値段で販売すると同時に、携帯波アンテナと携帯波送受信装置の経費代金も、5年程で、支払いが終える携帯電話設備なのだがいまだ高額料金を、支払う理由がケーブル電話回線は、ケーブル電話回線設備の維持費を、入れても近場で3分10円から考えるとケーブル電話線を、電柱付で取り付けた方が携帯電話料金が安く成る理由に成るのだが、携帯電話の特許権使用料金支払い経費なのか携帯電話の著作権使用料金支払い経費なのか明白で無いままの高額液晶代金を、払わされている現状で有る。
【０００３】
更に、従来のデジタルテレビの電気消費は、圧電素子4電子磁気分割装置などの電気中の熱抵抗電気を取り除く事が出来ない為、電気消費を抑える事が出来なかった。
【０００４】
この他、従来のビデオはDVDの映像と音声の録画量が乏しい装置で有り、日本の三流電気会社のUSBメモリの録画量が乏しい事と、特許権番号明示と著作権番号明示が、無い事実に対してでも3万円以上で販売して特許権番号明示と著作権番号明示無で特許権料金及び著作権料金の弱者庶民は高額代金の請求をされているのが現状で有る。
【０００５】
そして、従来のリモコン装置を、タッチパネルとインターネット波を取り入れたリモコン液晶にした場合電気消費が多く成り過ぎる欠点が有った。
【０００６】
問題視すべき問題は、政治に掛かるお金を、長年、政治家にテレビ局を、持てば政治献金が必要で無くなり、ノーマルテレビからデジタルテレビ局に変える事で政治家放送専門のテレビ局が開設出来る事実と介護者生活等の弱者専門のテレビ局を国が開設する事で、わかり易い介護社会の公開説明が出来るはずだった。
【背景技術】
【０００７】
今までの、テレビビデオは、特許番号明示及び表示が無くても特許切れ値段を、遥かに超える特許権料金込みの資本主義国家と資本主義経済に、絶対にあり得ない企業平等の新技術料金の特許権公開無の電気消費の多い特許権技術のハイビジョンテレビシステムの超薄型回路技術に移行出来たかの超薄型ハイビジョン回路技術の特許権不明確な特許権番号の明示無の製品販売に対応する為の、著作権発生日の著作権発生日の事実証明と著作権と言う発明発想文書図面が、なければ特許文書図面に成らない誰でもわかる発明の基礎を、主体としたアメリカ合衆国の発明優先権主張派の考え方に成り、日本国特許庁は、提出主義と書かれても実は、全く嘘の金支払い主義と国公立大学教授の教養にしか発明は絶対に出来ないから、国公立大学教授の資産保護のみを保護する個々的考え型が、明治時代から続いていた事実に対抗する平等な人権を主張する弱者国民の国の全額借金返済と都道府県市町村区の全額借金返済が一日も早く来る事を、願う発明優先主義の平等な人権主張の弱者国民の考え方の先技術著作権の発明登録の有り方説明に成る。
【先行技術文献】
【特許文献】
【０００８】
【特許文献１】特開2003ー328925号公報の真空装置と機械式発電機を使っただけの水発電機
【０００９】
【特許文献２】特開2004ー304992号公報の圧電素子3電子磁気分割装置の電気から熱抵抗電気を減らして電気を長持ちさせて、電気製品に無理をかけない電気装置の有り方
【００１０】
【特許文献３】特開2004ー304993号公報の一度に複数の電気配線と複数の電気コイルを持ちえた焼けないで力の有るモーター
【００１１】
【特許文献４】特開2004ー135480号公報の自動充電池
【００１２】
【特許文献５】特開2006ー254697号公報の全レールモーター制御無害無給油発電機を使用した電気自動車
【００１３】
【特許文献６】特開2010ー165355号公報の国の900兆円越えの借金全額返済の為の世界最新の公共事業対策
【００１４】
【特許文献７】特開2010ー171943号公報の多機能新技術携帯電話
【００１５】
【特許文献８】特開2011ー60294号公報の発電タッチパソコン
【００１６】
【特許文献９】特開2011ー64060号公報の日本の弱者国民救済の地震対応型の多機能発電ハウスシステム
【００１７】
【特許文献１０】特開2011ー105307号公報の未来的電気自動車
【００１８】
【特許文献１１】特開2011ー155267号公報の超軽量高出力発電人工衛星
【００１９】
【特許文献１２】実用新案登録第3145903号の省エネルギー水気化水発電機の水の気化物質の瞬間吸収物質
【００２０】
【特許文献１３】実用新案登録第3168043号の高出力発電7連結以上モーター
【００２１】
【特許文献１４】実用新案登録第3114491号二連結以上モーター
【発明の概要】
【発明が解決しようとする課題】
【００２２】
今までの、テレビビデオは、DVDテレビは、片面DVDビデオに成り、一時両面録画可能なDVDは、テレビ放送されたが、現在、商品化されて無いが、テレビ局側に、DVD両面側録画再生装置の、著作権者及び著作権番号と特許公開番号を、教えて下さいとテレビの視聴者センターへ電話問い合わせすると、一切特許番号の公開及び著作権者の公開に対しての質問の電話応対とテレビ局の特許番号明示公開と著作権番号明示公開応対を行って無いとの回答しか返さない、テレビ局放映物の著作権の保護と盗作の違法な疑いが、有る著作権保護のテレビ局反応で有り、過去に、テレビ局等の、一般人の見学は、絶対に出来ない事を、国の官庁機関以上の警備システムに成っているのも、関係者以外立ち入り禁止現状だが、著作権の平等な人権保護に逆行している特許公開番号の開示義務では、と著作権者の特許番号及び特願番号開示義務を、テレビ局全社と新聞社全社に義務化する事によって、著作権技術の盗作防止と海外全ての国が主張する特許権切れの著作権主張に対して、日本の特許庁と日本の経済産業省のみが、特許切れ財産に対しては日本国内では、全世界の作品のみならず特許切れ全ての日本企業製品のデザイン違いによって、全て製造販売のみならず、日本企業の特許切れ商品に対しては、デザインを変えれば、全て全世界に、販売出来るなどと言う、あくまでも、金主義の提出主義の先技術著作権保護しない資本主義国家に、反する特許切れ著作権無視の考え方の日本の経済界の考え方の為、商品を、作って販売しない限り、弱者国民の生活改善は、出来ない事だと、国の全額借金返済目的及び都道府県市町村区の借金全額返済を、特許庁の、インターネット公開しても、絶対に国の全額借金返済活動と都道府県市町村区の全額借金返済活動を、認めない特許法の、特例の国の全額借金返済と都道府県市町村区の全額借金返済に対しての全世界の特許提出の無料化と特許提出の国の代行義務システムを、絶対に行わない一部金資本団体の資産保護を、目的とした保護団体国家の、キツネと狸の化かし合いにしか成らないとしか言えないインターネット公開にしか成らない事実に対しての対処インターネット先発明の不明確さと不平等な人権無視のお金を、払わなければ先発明を認めないお金持ちだけの財産保護する人権の無視に対処した先発明の公開事情説明。
【課題を解決するための手段】
【００２３】
本考案の、著作権先技術文書図面主張の高出力高画質発電ビデオテレビシステムの高出力液晶デスプレイの液晶画像の映像切り替えスピードを、速めたり液晶画像を鮮明にする為に、古くから有る液晶技術の液晶部分に、軽水素トリチウム電子とアルゴンガスを、混合合成する事で、液晶の電圧量を、軽水素トリチウム電子入り液晶技術の増幅電子の新技術によって、液晶層に、少ない電気量で液晶電気圧を掛ける事が可能に成り、液晶にアルゴンガスを入れる事で、配光膜を通る光が、カラーフイルター選択スピードを速める為の、アルゴン入りの液晶効果によって、著作権先技術文書図面主張の画像繊細度を高めた高出力高画質発電ビデオテレビシステムに対する、新技術考案が解決しようとする課題は、本来、液晶技術は、日本国の液晶テレビ第一開発会社電気との、テレビ宣伝報道が、長年によって、行われていたが、液晶パネルの生産は、過去に於いて、液晶特許権会社は、製造に関わって無いだけで無く、海外液晶特許技術会社の海外株式券を、日本の企業が、海外株券の出資率によって、特許権切れの液晶パネル部品の生産販売権を取得していたとしか考えられない出版物の生産会社の明示説明に成り、問題の、現在では、液晶パネルのバックライトの特許権切れ技術に対して、日本国の、日本の二流電気会社が訴えたが裁判では、負けていた様子だが、この場合現在の特許庁の権利審査ならば、絶対に特許権で無く、実用新案権にしか成らないだけでなく、日本の液晶特許権の独占販売を、認めた当時の日本の官庁の考え方も疑問視される。
更に、長年に渡って、海外のテレビ特許権技術だが、ブラウン管テレビ特許権電気の日本株を、日本企業が、買って、海外にテレビ販売した経緯が有るが、資本主義に基づく、特許権技術ならば、ブラウン管テレビ特許権電気のみの、海外販売によって、海外の電気製品業界のトップに立てたはずが、日本国の、原子力発電海外売電営業権を、日本の大学トップの原子力発電発明者が、日本の企業すべてに原子力発電の海外営業権を、無料で行ったかと言うと絶対に行って無いのが事実で有る。
この様に、過去から、現在まで、日本国の全額借金返済に対しての活動者は、企業及び大学には、一人も居ないのも現状の事実に成る。
従って、液晶パネルの電気消費を、抑える技術として、排気官を、室内から、外に取り付けた、騒音防止真空二重構造パネルを取り付けた液晶パネルは、確かに電気消費は、少なく出来る他社に無い新技術だが、天然ガス焼却に基づく、京都議定書の二酸化炭素排出基準に達してない事実に対して、新2連振り子型機械式発電機の世界最新技術及び、超小型の循環発電型の燃料電池発電装置等の、内蔵設置によって、電気消費自体の解決対策に成るが、特許切れの液晶ビデオの特許切れ著作権料金と製造コスト料金の企業戦争によって、負ける可能性の秘めている電気消費を、減らす他の技術の、特許開発によって、独占禁止法でも、無理な、個人の特許権技術及び国内に絶対に無い実用新案登録権に基づく、先技術として、液晶の液晶部分の電圧負荷の切り替えスピードを上げる為、特許権技術に匹敵する程の、軽水素トリチウム電子入りの液晶内蔵新技術に成り、この他、軽水素トリチウム電子入りのシリコンビニールの液晶代用品は、液晶の模造品に成るが、軽水素の入らないシリコンビニールだけでは、電圧の負荷スピード切り替えは不可能に成る為、軽水素トリチウム電子入り技術は、シリコンダイオードの液晶代用品に成り、恐らく実用新案権の無い海外特許国では、軽水素トリチウム電子入りのシリコンダイオードの液晶代用品の特許技術確定は、間違いの無い新技術に成るが、軽水素トリチウム電子合成技術の真の本当の先発明者以外、軽水素を使った特許権技術は、全世界に存在しない事に成る。
高出力高画質発電ビデオテレビシステムの、液晶デスプレイ装置部分の液晶画面部分の画像の色彩の自然色に対しての鮮明画像の映写スピードを、早めたり液晶画像を鮮明にする為に、古くから有る液晶パネル技術の液晶パネル部分構造に対して、軽水素トリチウム電子とアルゴンガスの混合ガスを、古くから有る液晶部分の液晶内にアルゴンガスと軽水素トリチウム電子ガスを、液晶部分の液晶内部にアルゴンガスと軽水素ガスを、混合撹拌合成した液晶パネルに変えた装置を、内蔵する事で、液晶テレビの液晶パネル部分の液晶電子量を、上げる為の、軽水素トリチウム電子入りの液晶内部構造の新技術に成り、液晶内の増幅電子技術の新技術液晶パネルの増幅電子と少量のアルゴンガスによって、液晶層に、少ない電気量で液晶部分の電気圧を少ない電気量で液晶電圧を、掛ける事が可能に成り、液晶部分ににアルゴンガスを入れる事で、配光膜を通る光が、明るく成ってカラーフイルター選択スピードを速める為の、アルゴンガス入りの液晶内蔵効果によって、電気消費を少なく出来る二種類のガスの軽水素トリチウム電子ガス入りアルゴンガスを混合合成した混合ガスを液晶デスプレイ装置部分の液晶部分に内蔵した軽水素とアルゴン混合ガスの液晶パネル混合合成技術主張の画像繊細度の光度量を高めた高出力高画質発電ビデオテレビシステム。
【００２４】
本考案の、著作権先技術文書図面主張の高出力高画質発電ビデオテレビシステムのガラス基板は、二枚合わせのクリスタルガラスの中に窒素ガス入りプラスチックシートを、内蔵する事で液晶ガラス基板の温度上昇を、抑える機能を内蔵した高出力高画質発電ビデオテレビシステムのガラス基板をテレビガラス基板に積載内蔵した著作権先技術文書図面主張の請求項1記載の高出力高画質発電ビデオテレビシステムの電気熱瞬間吸収発電シート技術の、二枚合わせガラス内蔵技術は、あらゆるガラスの太陽光の熱瞬間吸収発電ガラスと湯熱等の、瞬間吸収発電シートパネルとして、湯沸し器の二重合わせ金属の中に内蔵する事で、熱瞬間吸収発電に対応出来る為、本発明の、テレビビデオのプラスチックパネルを、二枚合わせにした中に、軽水素トリチウム電子入りの圧電素子磁石体粒子内蔵のシリコン熱瞬間発電シートの配線付シートを、二枚のプラスチックの間に入れる事で、電気製品の電気熱瞬間吸収発電シート内蔵プラスチックパネルに成り、あくまでも、ガラスに入れるとテレビのガラス基板技術に成り、二枚の樹脂パネルの中に内蔵積載した場合は、発電樹脂パネルの電気製品の樹脂パネルの電気熱瞬間吸収発電パネルに成る。
この他、シリコンの熱瞬間吸収発電シート及びパネルの模造品として、軽水素トリチウム電子入りシリコンビニールシートパネル及び軽水素トリチウム電子入りシリコン液晶合成シートパネル及び軽水素トリチウム電子入りシリコンプラスチックシートパネル及び軽水素トリチウム電子入りシリコンゴムシートパネルなどが、熱を瞬間に吸収して、電子化出来るシートパネルに成り、瞬間吸収した熱を、電気により多く変える技術として、この他、シリコンの熱瞬間吸収発電シート及びパネルの模造品として、軽水素トリチウム電子入り圧電素子磁石体粒子内蔵のシリコンビニールシートパネル及び軽水素トリチウム電子入りシリコンの圧電素子磁石体粒子内蔵の液晶合成シートパネル及び軽水素トリチウム電子入りシリコン圧電素子磁石体粒子内蔵のプラスチックシートパネル及び軽水素トリチウム電子入りシリコン圧電素子磁石体粒子内蔵のゴムシートパネルなどが、熱を瞬間に吸収して、より多くの電子化電気変換出来るシートパネルに成り、いずれも、他社が、製造販売すると高額な国税賠償及び無期懲役に成り、現在の日本企業では、払えない金額の国税賠償額と企業の無期懲役の保釈金事態が有り得ない事実背景には、日本国の賠償裁判の決まりでは、賠償額の金額に基図いて、裁判費用を、積まなければ裁判出来ないと言う、金さえ有れば、刑務所暮らしを、避ける事が出来るなど、身分の違う貧困弱者層の人間が、地位と名誉の有る企業人に対して賠償裁判を、成立させて無期懲役及び海外に有った、世界の販売の三倍賠償裁判の様なアメリカ合衆国で、起こった特許賠償事件によって、企業の名誉と資産を、絶対に日本の貧困層の弱者によって、資本主義国家を、潰させては駄目だの理念に基づく資本主義企業家の意思に即した裁判制度に成り、お金の有る者だけを守り通す人権無視は、言うまでも無く事実だが、ここにも、戦争によって敗戦と天皇の財産放棄が行われた事と更に、戦争を一緒に行った第一責任者の国民の同罪との考え方なんでしょうが、お金保護主義は、敗戦後も、ここだけは絶対に変わらなかった場所に成り、資本主義一族以外の、資本国家自立を、許させない人権無視の特許法に成るのだが、昔から庶民の笑い話として、日本国民全員が、お金持ちに成った場合、お金を貸して設ける銀行などが、不必要に成る為、損をする者が居て多額の金を一人占めするのが、当たり前だと言い切るのが、現在の社会、原子力海外売電の海外所得税の未払いによって、資本主義の日本企業国家が、現在は徹って入る税金の不平等な支払い事実を、日本の国民全てが、知っていなかった事実だけでなく、絶対に公表しない、日本の最高位以上の地位の位の企業人存在が、数十人と一族が、数十万人及び数百万人と言われる企業遠戚一族の海外原子力売電の利益によって裕福な生活をしているのも、事実の様で有る。
されど、国営まじかな電気会社社員の、給料所得以上の資産家が、海外売電利益の資金を使って、外資系日本企業として、マスコミテレビの名前と特許番号を伏せた金の成る木に更に金を膨らませる特許番号未公開の、テレビマスコミの資本主義グループに成り、不正競争防止法が、一目で分かって確認出来る知的所有財産番号公開義務時代が来てもらいたいと考える次第で有る。
そう言う時代こそ、弱者貧困層の無駄な、特許提出料金と審査請求料金を、払わなくて済む時代で有り、日本企業の海外特許提出の日本語版と海外審査請求の日本語版を、日本国内の特許提出のみならず、スイッチ一つで、審査請求の海外情報が、日本語版で分かる時代が有れば、審査請求日数の削減など、多くのメリットが、有るのに、特許庁は、特許の審査請求料の減額そして、無料までは、日本企業の海外外資系企業の海外特許提出に対してはおこなわない様で有る。
高出力高画質発電ビデオテレビシステムの、液晶デスプレイ装置のテレビ画面装置の表ガラス部分のガラス基板は、ガラスに中る光の電気熱を下げる為に、二枚合わせのクリスタルガラス板構造の中に無臭透明の窒素ガス入りの透明プラスチックシートを、二枚合わせのクリスタルガラス基板内に内蔵接着する事で、液晶ガラス基板の温度上昇を、抑える機能の窒素ガス入りの透明プラスチックシートを内蔵する事で、ガラス基板の温度を下げる効果をもたらす二枚合わせガラスの合わせ部分の窒素ガス入りの透明プラスチックシートをはめ込んだシステム構造をしたガラス基板を内蔵した高出力高画質発電ビデオテレビシステムのガラス基板をテレビの表ガラス基板に積載内蔵した窒素ガス入りの透明プラスチック冷却シート技術主張の高出力高画質発電ビデオテレビシステム。
【００２５】
本考案の、著作権先技術文書図面主張の高出力高画質発電ビデオテレビシステムの、液晶パネルは、蝶番４カ所を取り付けた二つ折液晶テレビは、プラスチックガラス積載内蔵のタッチ液晶パネル付の情報用多画面インターネット波を引き込めるはめ込み型のインターネット波送受信用のエボナイトプラスチック網に圧電素子磁石体粒子を被せたアンテナを二つ折液晶テレビの情報用多画面インターネットビデオテレビに積載内蔵した著作権先技術文書図面主張の請求項1記載の高出力高画質発電ビデオテレビシステムの、アンテナの、磁気アンテナ素子としては、圧電素子磁石体が、軽くて電気の通り易い物質の為、効果的に成り、圧電素子磁石体にプラスチック合成でも、電波の通り易い物質に成り、圧電素子磁石体とグラスファイバー混合合成でも、アンテナに成り、加工し易い液体マグネシウムと圧電素子磁石体混合合成物質によって、アンテナと蒸気の瞬間吸収発電物質に成り、テレビビデオの枠に、絶縁体シートを貼って、テレビビデオアンテナにするのが、軽量アンテナの手段として、一番良いと考える。
高出力高画質発電ビデオテレビシステムの液晶デスプレイのガラス基板装置は、液晶テレビの連続の映像撮影の作動時に発生するテレビ画像放射熱を、あたって受けるガラス基板に、二枚合わせクリスタルガラスの画像放射熱吸収構造の中のガラス構造に対して、二枚合わせクリスタルガラスの間に、軽水素トリチウム電子入りシリコンシートを、二枚合わせガラスの外枠部分に内蔵した軽水素トリチウム電子入りのシリコンシートを入れた二枚合わせガラスの外枠に、軽水素トリチウム電子入り圧電素子磁石体の電気熱電子の瞬間磁気電子作用を、軽水素トリチウム電子入りのシリコンシートの圧電素子磁気ライン状に内蔵する事で、テレビ電気放射熱をガラス基板が受ける事実に対して、軽水素トリチウム電子入りシリコンが電気熱を、吸収して軽水素トリチウム電子入り圧電素子磁石体粒子が、瞬間に軽水素トリチウム電子入り圧電素子磁石体粒子が瞬間に熱吸収して圧電素子磁気電気変換を、行う事を可能にする二枚合わせガラスに内蔵する軽水素トリチウム電子入り圧電素子磁石体粒子内蔵のシリコンシート技術投入する事で、液晶画像パネルのガラス基板の発生熱の瞬間熱発生の瞬間の熱吸収し熱の電気変換を、瞬間に行える装置の軽水素トリチウム電子入りシリコンの圧電素子磁石体粒子の磁気ライン装置の熱吸収の瞬間の圧電素子磁石体粒子入り軽水素シリコンの熱を、軽水素トリチウム電子入りシリコンが、瞬間吸収した軽水素トリチウム電子入りシリコン熱電子を、同じ構造の軽水素トリチウム電子入りの圧電素子磁石体粒子ラインシリコンの熱電子を、瞬間に熱磁気電子変換の電気熱瞬間吸収発電を、可能にした軽水素トリチウム電子入り圧電素子磁石体粒子入りシリコンシート装置をテレビガラス基板に積載内蔵したソーラーシリコンパネルより、発電量を多く発電する事を可能にした熱と光を瞬間に熱磁気電子分割技術の軽水素トリチウム電子入り圧電素子磁石体粒子内蔵のシリコンソーラーパネル技術の応用主張の高出力高画質発電ビデオテレビシステム。
【００２６】
本考案の、著作権先技術文書図面主張の高出力高画質発電ビデオテレビシステムの、情報用多画面インターネットテレビは、携帯電話及びパソコンのインターネット画像を、専用の携帯電話及びパソコンのインターネット画像の送受信装置の近距離無線リモコン波を使用して、情報用多画面インターネットテレビ画面にパソコン画面の映像と携帯電話の画像と全自動ロボットのデーター受信画像と衛星放送画像とケーブルテレビ画像とビデオ制作画像と海底水中ケーブルロボット画像と山林ケーブルロボット画像と河川湖ケーブルロボット画像と無線画像と防犯カメラ画像とナビゲイション画像と自動車室内カメラ画像と飛行機室内カメラ画像と船室内カメラ画像と公共施設カメラ画像と行きつけの店室内画像と都道府県市町村区テレビ局カメラ画像と都道府県市町村区会議室カメラ画像と国会議事堂テレビ局カメラ画像と宇宙ステイション室内カメラ画像と月基地設置カメラ画像などを、情報用多画面インターネットテレビ画面で映して見る事の出来るインターネット画面の近距離無線波送受信装置リモコン装置を備えた二つ折り液晶テレビを内蔵積載した著作権先技術文書図面主張の請求項1記載の高出力高画質発電ビデオテレビシステムの、インターネット画面の近距離無線波送受信装置リモコン装置を備えた二つ折り液晶テレビ装置は、二つ折り、両面液晶技術は、他社に無い技術に成り、理由に電気消費の多い、ダブル液晶のタッチ電気消費量と液晶パネルより、スイッチボタンの方が、安上がりの為、企業は、連続発電出来る超小型発電システム技術が、無い為、電気消費の多い両面液晶パネル技術の使用困難に成る為、両面液晶パネル技術と両面タッチパネル液晶画面技術の特許提出が、無い理由に成る。
今後、イベント会場用の大型の二つ折り、液晶ビデオパネル等の、活用に基づく、発電回路付の液晶の二つ折の大型パネルの、木材灰入りプラスチック等の超軽量パネル材を積載内蔵した技術が、他社と異なる製品販売と活用が、海外共同生産に基づく、日本国の国の全額借金返済活動と都道府県市町村区の全額借金返済活動が、活発化する様に成るのは言うまでも無いのが、液晶の特許切れ商品の企業のみの販売に成り、特許切れの商品に対しては、日本国の製造販売するテレビと都道府県市町村区の販売するテレビは、介護費及び東北地震災害復旧支援費を、作る為ならば、弱者切り捨てを、長年行って来た政治家判断だからこそ、国の液晶テレビ工場と都道府県市町村区のテレビ製造工場が、有っても、可笑しくない時代背景で有り、今後、高出力発電回路システムの不正競争防止法の違反者と違反企業が出ない事を、祈り、資本主義企業は、資本主義に負けると静かに、何も言わず会社を、無くして行く時代が来ても、恐らく、持ち株しか無くなった特許権に基づく著作権特許切れ技術一切無い株公開会社が潰れても、世間は、騒がなかった様に、日本の第一電気会社及び日本の第二電気会社及び日本の第三電気会社及び日本の第四電気会社及び日本の第五電気会社が、揃って、海外の外資系企業を、含めて、潰して行っても、現在の、日本では、騒ぐ者が居なく成り、代わりに日本国の工場と都道府県市町村区の工場が、今後、電気製品社会の、けん引役で有っても別に、不思議で無く、現に、中国へ、高齢の技術者の中国移転が、中国経済の繁栄を支えた原動力で有ったが、批判した者のマスコミは、余り居ないのは、マスコミの会社経営に基づく、マスコミ従業員の減額給金以外、現在のマスコミ社会を、騒がす根本的理由の国益の損益理由報道が無い事に成る。
高出力高画質発電ビデオテレビシステムの、液晶パネル本体は、蝶番装置を液晶パネル本体の片側の４カ所の場所に取り付けた二つ折の液晶画面の二つ折りテレビは、透明プラスチックガラス基板積載内蔵の従来のテレビの他社の特許切れ技術の人の指の液晶画面のタッチ式の液晶パネル画面付のテレビに成り、新技術として、情報用の超小型の複数アンテナは四本の四回線以上アンテナの多画面インターネット波を引き込める絶縁体付の多層式のアンテナで有り、テレビ波情報アンテナのはめ込みネジ込み型のインターネット波送受信用のエボナイトとプラスチック混合合成の網アンテナに圧電素子磁石体粒子を被せた構造に成り、差し込みナット方式の取り付け型のインターネット波受信用のアンテナの差し込みナット方式アンテナを二つ折両面液晶テレビの情報用多画面インターネットビデオテレビの端にボルトナットによって、取り付け固定した装置を、積載内蔵したインターネット波送受信用のエボナイトプラスチック網を圧電素磁石体アンテナの差し込みナット方式の取り付け型のインターネット波受信用のアンテナ装置の複数アンテナ装置を取り付けた蝶番４カ所を液晶パネルに取り付けた二つ折の液晶画面テレビ構造の高出力高画質発電ビデオテレビシステム
【００２７】
本考案の、著作権先技術文書図面主張の高出力高画質発電ビデオテレビシステムの、インターネットテレビに積載内蔵するウイルス防御カードは、ウイルス防御カードに設定したホームページ番号とホームページ所有者の顔の輪郭位置形状のカードデーター認識と手相認識と声紋認識と住所認識と衛星GPS位置認識と男女個別認識と生年月日認識と合言葉認識を設定したウイルス防御カード設置者以外のインターネット送受信を、許可出来なくする事で、ウイルス犯罪者及び著作権盗作犯罪者及び知的所有財産盗作者のインターネット侵入を、ウイルス防御カード取り付け者以外のインターネット送受信を、拒否出来るインターネット犯罪を、防御出来るウイルス防御カードをテレビビデオに積載内蔵した著作権先技術文書図面主張の請求項1記載の高出力高画質発電ビデオテレビシステムの、個人同志以外は、絶対にインターネット上の画面で、見られたくない場合に効果的な、ウイルス防御カードに成り、今後、海外のパソコンインターネット第一会社及び海外のパソコンインターネット第二会社以外のインターネットの呼び名と異なるテレビカメラ画像の特定のウイルス防御カード所有者だけが、テレビカメラ画像の動画の送受信可能システムとテレビ社会から、続く文字送受信の日本の特許切れ技術に基づく、日本版のテレビカメラ動画と文章データーの送受信社会に成り、今後、ノーマル波アンテナを、建てて、弱者国民自立社会の会員だけの、テレビカメラ動画と文章データーの送受信社会を、山岳ヘリコプターを使用した高い高度位置の、ノーマル波世界弱者ネットワーク時代と金持ち社会の推進する海外のパソコンインターネット第一会社社会と海外のパソコンインターネット第二会社は、原子力発電等の電気を使用促進したインターネット社会作りに成り、弱者国民一人一人の自立の会が、推進するテレビカメラ動画文書データー送受信システムは、介護及び家までの、一生涯の保障を、目的とした弱者国民一人一人の自立の会に成り、将来的に、弱者国民一人一人の世界財団までが、最終目的に成り、細胞活性化装置の、陽電子陰電子静電気治療などの、無料ネットワーク社会を、築く為、新しい、自然財産の育成保護社会に基づく、木材を、一切使用しない、竹材とグラスファイバー合成木材等の固形窒素木材灰入りの生ごみ再生紙の新技術活用によって、新しいリサイクル紙社会の構築等によって、現在社会が、出来なかった事を、進んで推進する資本主義国家と異なる自然保護主義弱者自立の会として、資本主義とは、異なる弱者自立の経済活動によって、資本主義社会とは、異なる弱者自立社会と技術社会の推進を進める事に成る。
2011年7月24日Pm22時14分寝る事にする。
2011年7月25日Pm21時0分から書く。
高出力高画質発電ビデオテレビシステムの、超小型複数アンテナ積載の情報用の多画面画像方式のインターネットテレビは、携帯波電話及びパソコン画像のインターネット波の画像を、テレビビデオ専用の携帯電話波及びパソコンインターネット波を送受信出来る装置を積載使用したインターネット画像の装置で有り、リモコン送受信装置の弱い電波装置構造の、近距離送受信無線リモコン波装置を使して、情報用多画面インターネットテレビ画面に複数のデーター画像を、多画面テレビ局の無線リモコンをスイッチで画面を、切り替える事の出来る情報画面それぞれのパソコン画面の映像波と携帯電話波の画像と全自動ロボットのデーター受信画像と衛星放送画像とケーブルテレビ画像とビデオ制作画像と海底水中ケーブルロボット画像と山林ケーブルロボット画像と河川湖ケーブルロボット画像と無線画像と防犯カメラ画像とナビゲイション画像と自動車室内カメラ画像飛行機室内カメラ画像と船室内カメラ画像と公共施設カメラ画像と行きつけの店室内画像と都道府県市町村区テレビ局カメラ画像と都道府県市町村会議室カメラ画像と国会議事堂テレビ局カメラ画像と宇宙ステイション室内カメラ画像と月基地設置カメラ画像などを、情報用の複数局の多画面イターネットテレビ画面で映して見る事の出来るインターネット画面の送受信出来る送受信近距離無線リモコンシステムを、超小型にしたリモコン送受信装置を小さくした装置の構造として通常コイルの代わりに軽水素トリチウム電子入り圧電素子磁石体粒子と軽水素トリチウム電子入りの銅筒管コイル配線構造の高出力コイルと通常コンデンサーの代わりに、軽水素トリチウム電子入りの圧電素子磁石体粒子入りのコンデンサーコイルと通常コイルの代わりに、軽水素トリチウム電子入り圧電素子磁石体粒子内蔵の高出力銅筒官コイル配線を巻いた電磁石と軽水素トリチウム電子入り圧電素子磁石体粒子入りの、高出力銅筒官電気配線を近距離無線波送受信リモコン装置の部品として使用できる近距離無線装置の部品を、高出力技術の軽水素トリチウム電子入り部品技術に変えた近距離無線装置の二つ折り両面液晶テレビを内蔵積載した主張の高出力高画質発電ビデオテレビシステム。
【００２８】
本考案の、著作権先技術文書図面主張の高出力高画質発電ビデオテレビシステムの、二つ折液晶テレビに取り付ける魚眼一つ削り凸レンズカメラは、防犯監視と防犯犯罪の証拠録画を目的とした人の形状認識確認録画と人の体温形状認識確認録画と動物形状認識確認録画とロボット形状認識確認録画が出来る魚眼と一つ削りレンズカメラのカメラレンズをテレビビデオの正面に積載内蔵した著作権先技術文書図面主張の請求項1記載の高出力高画質発電ビデオテレビシステムの、魚眼一つ削りとつ合わせレンズは、凸レンズでは、見渡せない視界を、半分魚眼レンズ技術によって、可能にした技術に成り、凸レンズに比べて広い視野を、写真背景と出来る特殊レンズに成り、2001年2月考案の著作権作品に成り、特許法自体が、資本主義国家に成り、資産家を、保護する為の、不平等の人権扱いの為、2001年頃の特許法でも、国の全額借金返済活動の国の支援策は、無い状態のまま、2011年まで、来ているが、依然に特許庁も、経済産業も、国の全額借金返済案に、協力しないのが、事実の様で有る。
本題に、戻るが、魚眼一つ削りとつ合わせレンズは、特許切れ著作権料が、魚眼レンズ特許切れ著作権使用契約と凸レンズ特許切れ著作権使用契約の、二つが必要に成り、無線携帯電話ライトカメラ及び無線パソコンライトカメラ及び無線ナビゲイションライトカメラ等に、積載内蔵するカメラに成り、魚眼レンズは、16分割から32分割に魚眼映像部分を、カットして、全自動合成画像として、突レンズとの合わせ合成画像に成り、防犯カメラの活用が、一番理想的な使用場所に成り、将来的には、飛行機カメラ及び船カメラ及び自動車カメラ及び建設機械カメラ及び全自動ロボットカメラ及び人口衛星カメラに積載予定のカメラに成り、今回は、テレビインターネット用カメラとテレビ防犯カメラ積載使用に成る未来的カメラレンズ構造に成る。
高出力高画質発電ビデオテレビシステムの、インターネットテレビのサイドのスペース空き部分と後部スペースに積載内蔵するウイルス防御カードの構造の内訳は、インターネット送信者の顔写真の輪郭確認の内蔵写真比較チェック作業と手相写真の比較チェックデーターの全自動確認と目の輪郭形状の目の輪郭形状写真の全自動比較チェックと歯の形状の写真比較の全自動チェック作業と声紋比較チェック作業を、行ってインターネットの送信者の相手確認の為の装置に成り、本人以外だとインターネットアクセスを、全自動拒否するプログラムを、内蔵したソフトで有り、ウイルス防御カードに設定したインターネット送受信確認全自動作動出来る装置によるインターネット会話は、ホームページ番号磁気データーとホームページ所有者の顔の輪郭位置形状の本人磁気映像波信号データー照合と認識確認認知実行の為のカードデーターの圧電素子磁気データー蓄積機能と画像輪カメラ磁気データー比較と認識装置と手相本人のカメラ磁気手相データー確認の為の磁気認識と声紋本人圧電素子磁気認識と住所のGPS位置確認の位置認識と衛星GPS位置居所認識と男女個別のカメラ形状認識と生年月日圧電素子磁気データー認識と隠し暗号合言葉の圧電素子磁気データー照合認識確認装置を設定したウイルス防御カード設置者以外のインターネット送受信を、許可する前に相手の通信理由と相手の通信位置と本人の事情を事前に全自動記録と把握出来る圧電素子磁気カード装置によって、無意味なインターネット送受信を許可しないで違法全自動インターネット取締り局まで全自動連絡する事で、ウイルス犯罪者及び著作権盗作犯罪者及び知的所有財産盗作者のインターネット侵入を、ウイルス防御カード取り付けによって、ウイルス防御カード取り付け者以外のインターネット送受信を、拒否出来るウイルス防御カードシステム内蔵のインターネット犯罪を、防御出来るウイルス防御カードをテレビビデオに積載内蔵した高出力高画質発電ビデオテレビシステム。
高出力高画質発電ビデオテレビシステムの、二つ折両面液晶テレビの外側部分の端の周囲に取り付けるカメラレンズは、レンズの半分上が魚眼レンズ構造で有り、半分下のレンズが凸レンズ構造の魚眼レンズと凸レンズの一つ削りの魚眼とつ合わせ一つ削りレンズカメラは、レンズの半分上側を、広く見えて、レンズの半分下側が通常画像の魚眼とつ合わせ一つ削りレンズカメラの防犯監視とし、防犯犯罪の証拠録画を目的とした人の顔の形状の被写体のダイオード電気信号の認識確認出来る軽水素トリチウム電子をCCDダイオードパネルのダイオード素子パネルに、予め、混合撹拌合成したダイオード素子に軽水素を、入れたCCD画像のダイオード軽水素による光電子の確認と認識出来るパネルの新技術の軽水素トリチウム電子入りダイオード被写体の光電子の瞬間軽水素入りのダイオードの光電子認識の確認の為の光電子の電気信号変換技術の録画カメラ技術と人の体温の温度差認識の確認をする為の、アルファー放射線内蔵の透明プラスチックシートを、透明クリスタルガラスの二枚合わせクリスタルガラスの間にアルファー放射線内蔵プラスチックシートを、二枚合わせのクリスタルガラス筒にアルファー放射線プラスチックシートを、内蔵したクリスタルガラス筒に成り、カメラ被写体放射線パネルを複数モーターパネルカメラのカメラパネルに内蔵した全体の人のカメラ形状認識確認の軽水素入りダイオードCCDパネルデーター映像波録画と動物カメラレンズ画像形状認識確認の為の録画とロボット形状カメラレンズ画像認識確認の為の圧電素子磁石体磁気粒子ラインによって録画と再生の為の光を磁気電波の画像波をカメラレンズの被写体の光電子画像認識出来るカメラの軽水素トリチウム電子入りのCCDパネルを、テレビビデオの正面の端部分のカメラに積載内蔵した高出力高画質発電ビデオテレビシステム。
【００２９】
本考案の、著作権先技術文書図面主張の高出力高画質発電ビデオテレビシステムの、本考案の、著作権先技術文書図面主張の高出力高画質発電ビデオテレビシステムの、二つ折液晶テレビに取り付ける魚眼の一つ削り合わせ凸レンズレンズカメラの魚眼レンズ映像は、魚眼映像の16分割の画像の伸縮度の全自動魚眼レンズ伸縮度設定補正を、行う事で、凸レンズ画像と同じ補正画像をビデオ装置に全自動録画出来るシステムをビデオテレビに積載内蔵した著作権先技術文書図面主張の請求項1記載の高出力高画質発電ビデオテレビシステムの魚眼一つ削り突合わせレンズは、クリスタルガラスレンズと通常ガラスレンズ使用に成り、現在、携帯電話等に使用されるプラスチックレンズの使用は、しない事に成る。
このほか製品、プラスチックガラスレンズは、値段的には、プラスチックレンズより、値段は高く成るが、著作権財産権争いをしない為の対策案の一つに成るり、低価格ガラスレンズとの、使用も、視野に入れて考えて逝かなければ成らない。
この他、水中人型ロボット及び宇宙使用の人型ロボット等の、ロボットカメラのレンズとして、使用積載予定に成る。
2011年7月25日Pm22時19分寝る事にする。
2011年7月27日Pm18時34分寝るまで、少し書く事にする。
高出力高画質発電ビデオテレビシステムの、二つ折両面液晶テレビの端に取り付ける防犯用の魚眼レンズと凸レンズの一つ削り合わせレンズカメラの魚眼レンズ部分の映像装置は、魚眼レンズのカメラレンズの半分上の映像を、CCDの魚眼映像部分を16分割の魚眼カメラ映像の画像の画像補正の為に画像の伸縮度の全自動のCCDの画像補正計算と修正計算プログラム装置によって、魚眼レンズの伸縮度の設定画像補正を、魚眼カメラの被写体データーの全自動補正計算した画像を、魚眼とつレンズの合わせレンズ画像の魚眼プログラムの魚眼レンズの伸縮画像の全自動補正によって魚眼画像部分を、正面画像から中心画像までは、ゆっくり縮めて、中心画像から、奥の画像は、少しずつ伸ばす事によって、扇状の画像背景をテレビ画面に写し出す事で、凸レンズ画像と同じ画像を魚眼レンズ補正による正しい正画像をビデオ装置に全自動録画再生出来る多層式の圧電素子磁気カードと木材灰入りプラスチックシートを交互に重ねた多層式の圧電素子磁気カードのボックス録画再生システムをビデオテレビに積載内蔵した高出力高画質発電ビデオテレビシステム。
【００３０】
本考案の、著作権先技術文書図面主張の高出力高画質発電ビデオテレビシステムの、二つ折液晶テレビに取り付ける緊急テレビライトは、家庭電気配線の停電時に、液晶テレビバックライトとテレビ前の足元を照らす超小型の高出力LEDライトの軽水素トリチウム電子入りアルゴンガス混合合成の発光ダイオードライトをテレビの正面に積載内蔵した高出力LEDライトを積載内蔵した著作権先技術文書図面主張の請求項1記載の高出力高画質発電ビデオテレビシステムの、テレビパネルの、緊急ライトの内蔵設置に当たっては高出力発電回路と無害無給油の連続無休憩作動発電機が、可能に成った技術が、多数、日本の特許庁の公開特許として、インターネット公開に成っている為、超小型の無害無給油の連続無休憩作動発電機積載の家電も、可能にした技術に成った為、室内のライト位置を、家電に設置したりする事によって、家庭電気配線の必要な場合でも、停電時の緊急ライト使用にしたり、イベント時の、野外緊急ライトに使用したり出来る。
2011年7月31日AM10時41分休日の為、書き始める。
高出力高画質発電ビデオテレビシステムの、ライトシステム装置の、二つ折両面液晶テレビに取り付ける緊急時のテレビライトシステムのLEDライトシステム装置は、一般家庭電気配線の停電時に、全自動の省電気テレビライトシステムが、全自動作動する液晶テレビのバックライト及びサイドライトの高出力発光LEDライトは軽水素トリチウム電子ガスを、ダイオードに混合合成した高出力発光ダイオードの構造に成り、軽水素トリチウム電子入りのダイオードの電子増幅分だけ、少ない電気量で、明るいライト光を軽水素トリチウム電子分の増幅電子構造によって、明るい光を、得る事の出来る高出力発光ダイオード装置はテレビ前の足元を照らす為の、超小型の高出力発光LEDライトの軽水素トリチウム電子入りアルゴンガス混合合成のガスを発光ダイオードのダイオードに軽水素とアルゴンガスの混合合成のガス入りの発光ダイオードライトをテレビの正面の補助ライトと液晶テレビのバックライトに高出力発光LEDライトを、積載内蔵した電気消費を少なくする技術の高出力発光LEDライトを積載内蔵した高出力高画質発電ビデオテレビシステム。
【００３１】
本考案の、著作権先技術文書図面主張の高出力高画質発電ビデオテレビシステムの、二つ折液晶テレビに積載する外部テレビ波ジャック口に取り付ける配線は、電気の通り易い物質の軽水素トリチウム電子と圧電素子磁石体を内蔵積載したアルミニウム鉛合金筒電気配線に雑草灰入りビニールゴム絶縁体電気配線表皮を、アルミニウム鉛合金筒電気配線に被せた電気の通り易い外部テレビ波配線を、積載内蔵した著作権先技術文書図面主張の請求項1記載の高出力高画質発電ビデオテレビシステムは、最近では、日本の大学トップの、世界最速の、超電導配線を、最後に、最新技術の、超電導配線マスコミ報道が無い為、現在の、世界最速の、超電導配線は、日本の大学の、配線に成り、しかしながら、知的所有財産の先知的所有財産の実用新案登録者の実用新案登録第3168043号の高出力発電7連結以上モーターが、主張する電気の通り易い物質で作り上げた軽水素トリチウム電子自体が、電子の気化物質に成り、電気抵抗ゼロスピードを、可能に出来る世界で、今だまだ、使用されていない、気化物質の電気配線に成り、水素より、電気が、通り易いのは、重水素プルトニュウムが、幾分電気抵抗の有る気化物質に成る為、軽水素トリチウム電子の様な、電子のみの気化物質体より、若干に、電気熱発生が、重水素プルトニウムは、電気抵抗状態に陥る事が起こる状態になる。
しかしながら、気化物資事態が、冷却ガスなど、アンモニアガスなどの、臭素物質などは、金属配線と比べると、電気の通りが、かなり良くなると言える。
問題は、火が付かない工夫の為、固形窒素などの混合合成技術が必要に成る理由に成り、対策案に成る。
更に、圧電素子磁石体粒子事態が、電子発生物質の為、電気が通り易い物質の説明が、成りたつ事に成る。
高出力高画質発電ビデオテレビシステムの、蝶番を使った二つ折両面液晶テレビに積載して有る外部テレビ波ジャックの取り付け口に取り付ける配線は、電気の通り易い物質を使用した構造の気化物質の軽水素トリチウム電子ガスと電子を通す事の出来る固形の圧電素子磁石体粒子物質と軽水素トリチウム電子ガスを混合撹拌合成した軽水素トリチウム電子ガス混合合成の圧電素子電気配線を、内蔵積載した軽水素トリチウム電子合成の超軽量電気配線を、アルミニウム鉛合金配線の筒型配線の電気配線筒配線の筒の中に軽水素入りの圧電素子電気配線を内蔵した配線に成り、電気配線表皮として、雑草灰入りビニール窒素ビニール粒子入りゴム絶縁体電気配線の電気配線表皮を、アルミニウム鉛合金筒電気配線に被せた電気の通り易い軽水素トリチウム電子と圧電素子磁石体粒子配線を保護する為の、雑草灰入り窒素粒子内蔵のビニール粒子ゴム絶縁体電気配線を、アルミニウム鉛合金筒配線に軽水素トリチウム電子入り圧電素子磁石体粒子配線を電気配線部分として、アルミニウム鉛筒電気配線に電気配線表皮を、雑草灰入り窒素粒子内蔵のビニール粒子ゴム絶縁体電気配線表皮構造の外部テレビ波配線を、アルミニウム鉛合金配線を、燃えづらくした電気配線表皮を積載内蔵した高出力高画質発電ビデオテレビシステム。
【００３２】
本考案の、著作権先技術文書図面主張の高出力高画質発電ビデオテレビシステムの、ビデオテレビリモコン装置は、絶縁体の生ごみ灰入りのプラスチックスクリュー官に、近距離無線波を、流す事で、スクリュー無線波となった、近距離スクリュー無線波によって、一戸建てハウスの携帯電話変わりの画像音声連絡出来る高出力銅筒官に、軽水素トリチウム電子入り圧電素子磁石体粒子配線を、使った超軽量コイルの高出力コイルは、軽水素トリチウム電子入りの圧電素子磁石体粒子配線の為、電気の通り易い物質で出来て入る為、電気が、スムーズムに流れるコイル配線に成る為、電気の流れの世界で一番早いコイルを、高出力コイルに成り、電磁石は、高出力銅筒官コイル配線と高出力圧電素子磁石体の軽水素トリチウム電子の多く入った圧電素子磁石体シートと軽水素トリチウム電子の多く入った複数針穴形状のチタン酸バリウムシートを、交互に貼り合わせた高出力圧電素子磁石体に、複数の穴あきの超薄ステンレス板を、高出力圧電素子磁石体に被せた装置に、高出力銅筒官コイル配線を、巻いた電気スピードの流れが、世界で一番早い電磁石は、少ない電気量で高出力の電磁石を可能にした装置等の高出力技術を使った近距離スクリュー無線波を、流す事によって、スピードのる無線波を可能にしたスクリュー無線波送受信装置を積載内蔵した著作権先技術文書図面主張の請求項1記載の高出力高画質発電ビデオテレビシステムの、絶縁体スクリュー官構造は、軽量絶縁体物質の木材は灰物質は、燃えない物質の絶縁体物質に成り、今後の、超電導物質にも、転用が考えられる物質に成り、木材灰の他、雑草灰入り、及び生ごみ灰入り及び、稲わら灰入り及び麦わら灰入りなど、あらゆる灰を、主成分としたプラスチック合成灰に成り、ビニールプラスチックと木材灰の合成のスクリュー官に、電波を通して、電波スピードを、上げる為の装置説明に成る。
この他、軽水素トリチウム電子と圧電素子と窒素ガスを、混合合成した燃焼防止の軽水素トリチウム電子入り圧電素子磁石体粒子内蔵の銅筒官コイル配線に成り、高出力銅筒官コイル配線を、巻いた高出力コイル及び高出力電磁石の、軽水素トリチウム電子入りの圧電素子磁石体と軽水素トリチウム電子入りのチタン酸バリウムシートの複数針穴形状の軽水素トリチウム電子入りのチタン酸バリウムシートに成り、軽水素トリチウム電子が、圧電素子磁石体粒子内に、多く入っている分だけ、圧電効果の電子発生率の発電量が多く成る事実に成る。
高出力高画質発電ビデオテレビシステムの、ビデオテレビリモコン装置積載の電波発射官装置は、絶縁体の生ごみ灰入りのプラスチック合成物質構造の生ゴミ灰入りのプラスチックスクリュー官に、近距離無線波を、スクリュー状に成って入る生ゴミ灰入りのプラスチックスクリュー筒官の中に電波を流す事で、スクリュー形状に飛び出す無線電波と成る近距離スクリュー無線波構造の装置に成り、更に、高速スクリュー電波発信装置によって、テレビ及び携帯電話用の画像と音声連絡の電波の流れスピードを、更に、上げる為に高出力銅筒官配線に、軽水素トリチウム電子入り圧電素子磁石体粒子配線を、使った超軽量コイルの高出力コイルは、軽水素トリチウム電子入りの圧電素子磁石体粒子配線の為、電気の通り易い物質で出来て入る為、電気が、スムーズムに電気配線に流れるコイル配線に成る為、電気の流れの世界で一番早いコイルを、使った高出力コイルに成り、コンデンサー用の電磁石は、高出力銅筒官コイル配線と高出力圧電素子磁石体の軽水素トリチウム電子の多く入った圧電素子磁石体シートと軽水素トリチウム電子の多く入った複数針穴形状のチタン酸バリウムシートを、交互に貼り合わせた高出力圧電素子磁石体に、複数の穴あきの超薄ステンレス板を、高出力圧電素子磁石体に被せた装置に、高出力銅筒官コイル配線を、巻いた電気スピードの流れが、世界で一番早い電磁石は、少ない電気量で高出力の電磁石を可能にした近距離スクリュー無線の送受信装置等の高出力技術を使った近距離スクリュー無線波を、テレビマイク音声とテレビスピーカー音声として流す事によって、スピードの有る無線波を可能にしたスクリュー無線波送受信装置積載内蔵した高出力高画質発電ビデオテレビシステム。
【００３３】
本考案の、著作権先技術文書図面主張の高出力高画質発電ビデオテレビシステムの、高出力高画質発電ビデオテレビシステムの、他社家電リモコンアンテナは、他社家電のリモコン波を、記憶した軽水素トリチウム電子入り圧電素子磁気プラスチック回路配線をICカードに溝状に組み込んだICカード配線のリモコン波を記憶したIC回路を、複数積載した他社家電リモコンアンテナを、ビデオテレビリモコン装置にICカードを積載内蔵した著作権先技術文書図面主張の請求項1記載の高出力高画質発電ビデオテレビシステムの、回路基板は、通常の平坦な基板から、回路配線部分を、予め溝上に回路配線の溝基板として、予め、回路基板を、掘り下げた基板に、軽水素トリチウム電子入り圧電素子磁石体粒子の回路基板配線物質を、回路基板の溝に軽水素トリチウム電子入り圧電素子磁石体流し込んだ装置に成り、この他、軽水素トリチウム電子入り窒素ガス混合の圧電素子磁石体粒子の回路配線は、燃焼防止対策とした回路配線に成り、リモコン装置のIC回路基板に成る。
【００３４】
本考案の、著作権先技術文書図面主張の高出力高画質発電ビデオテレビシステムの、他社家電リモコンアンテナは、ブロック波と無線波を組み合わせた近距離リモコン組み合わせ無線波に成り、設定近距離のブロック波IC送信機と無線IC送信機の二枚の送信装置を組み合わせた設定組み合わせ波と高出力発電回路の軽水素トリチウム電子入り圧電素子磁石体の高出力圧電素子を使った高出力発電回路の増幅電圧で、超小型無線近距離リモコン組み合わせ無線波として、家電製品のスイッチ切り替えリモコン装置とテレビリモコン装置の二種類のリモコン装置と複数の家電製品を、液晶タッチスイッチ切り替えによって、複数の家電製品とテレビのリモートコントロールを可能にした装置を積載内蔵した著作権先技術文書図面主張の請求項1記載の高出力高画質発電ビデオテレビシステムの、ブロック波と無線波の二種類のリモコンアンテナ波を、組み合わせる事によって、他社と異なるリモコン電波を可能にした新技術。
2011年7月31日PM16時48分携帯電話料金の支払いを、するために、ペンを置く。
2011年8月3日PM18時11分から、寝る時間まで、少しだけ書く事にする。
【００３５】
本考案の、著作権先技術文書図面主張の高出力高画質発電ビデオテレビシステムの、ビデオテレビリモコン装置は、音声認識マイク内蔵の液晶タッチスイッチは、音声を認識して、液晶タッチスイッチ画面に次にスイッチ操作を行う液晶タッチスイッチ画面を、ビデオテレビリモコン装置の液晶タッチスイッチ画面に表記出来るマイク回路と音声圧電素子回路チップは、音声を、予め一つ一つ圧電素子磁気チップ回路に認識した音声読み込み回路によって、音声を認識して、他社家電のタッチスイッチパネルを、液晶タッチパネル上に表記出来るタッチスイッチパネル装置を積載内蔵した著作権先技術文書図面主張の請求項1記載の高出力高画質発電ビデオテレビシステムの、音声を、認識する回路チップは、圧電素子磁石体を、超小型の回路マイクロチップ技術にする事で、音声入力装置に成り、音声の母音と子音を、一つずつ圧電素子磁石体音声認識回路に入力する事と音声マイク波を、超小型音声波長計測装置の比較によって、音声認識出来る装置に成り、他社と異なる説明として、通常磁気体を、使用しないで、圧電素子磁石体を、使用している点が、他社の音声認識装置と異なる説明に成る。
この他、マイク回路には、高出力コイルと高出力銅筒官コイル配線が、積載使用に成って入るマイク回路積載のマイクを使用する事に成るが、他社に無い技術を、使用した高出力マイク装置に成る。
【００３６】
本考案の、著作権先技術文書図面主張の高出力高画質発電ビデオテレビシステムの、高出力超LSIの高出力N型シリコンは、N型シリコンシートと軽水素トリチウム電子入りのN型シリコンシートを、交互に貼りあわせたN型シリコンは、少ない電気量で作動出来る高出力超LSIのN型シリコンと高出力P型のインジウムは、軽水素トリチウム電子入りのP型インジウムシートとP型のインジウムシートを交互に貼りあわせた高出力P型インジウムと高出力N型シリコンを組み合わせた高出力超LSIを、著作権先技術主張の高出力高画質発電ビデオテレビシステムに積載内蔵した著作権先技術文書図面主張の請求項1記載の高出力高画質発電ビデオテレビシステムの、高出力超LSI装置は、LSIの反応を、速める技術として、N型シリコンシートと軽水素トリチウム電子入りのN型シリコンシートを、交互に貼り合わせる技術と複数針穴形状の、N型シリコンシートと軽水素トリチウム電子入りのN型シリコンシートを、交互に貼り合わせる技術によって、N型シリコンの電子の流れを早くする事を、可能にした世界最新技術に成る
ので有る。
【００３７】
本考案の、著作権先技術文書図面主張の高出力高画質発電ビデオテレビシステムの、高出力PN接合ダイオードは、軽水素トリチウム電子入りのP型ダイオード半導体シートとP型ダイオード半導体シートの、異なった二つのP型ダイオード半導体と高出力N型ダイオード半導体の軽水素トリチウム電子入りN型半導体シートとN型半導体シートを、交互に貼りあわせた高出力N型半導体とP型ダイオード半導体を、接合した高出力PN接合ダイオードを、著作権先技術主張の高出力高画質発電ビデオテレビシステムに積載内蔵した著作権先技術文書図面主張の請求項1記載の高出力高画質発電ビデオテレビシステムの、高出力PN接合ダイオードは、軽水素トリチウム電子入りのP型ダイオード半導体シートとP型ダイオード半導体シートの、異なった二つのP型ダイオード半導体と高出力N型ダイオード半導体の軽水素トリチウム電子入りN型半導体シートとN型半導体シートを、交互に貼りあわせた高出力N型半導体とP型ダイオード半導体を、接合した高出力PN接合ダイオードの高出力PN接合ダイオードは、軽水素トリチウム電子入りのP型ダイオード半導体シートと複数針穴形状の、P型ダイオード半導体シートの異なった二つのP型ダイオード半導体と高出力N型ダイオード半導体の軽水素トリチウム電子入りN型半導体シートと複数針穴形状のN型半導体シートを、交互に貼りあわせた高出力PN接合ダイオード構造に成る。
【００３８】
本考案の、著作権先技術文書図面主張の高出力高画質発電ビデオテレビシステムの、軽水素アルゴン圧電素子映像回路チップは、超小型の圧電素子磁石体チップに軽水素とアルゴンガスを混合合成した圧電素子磁石体チップに、映像プラス波は、軽水素アルゴン圧電素子映像回路チップのプラス圧電素子磁気の弱い部分にプラス映像波取り込み配線を取り付けて、軽水素アルゴン圧電素子映像回路チップのプラス圧電素子磁気の強い部分にプラス映像波取り込み配線を取り付けたプラス映像波回路の軽水素アルゴン圧電素子映像回路チップで有り、映像マイナス波は、軽水素アルゴン圧電素子映像回路チップのマイナス圧電素子磁気の弱い部分にマイナス映像波取り込み配線を取り付けて、軽水素アルゴン圧電素子映像回路チップのマイナス圧電素子磁気の強い部分にマイナス映像波取り込み配線を取り付けたマイナス映像波回路の軽水素アルゴン圧電素子映像回路チップの二つの軽水素アルゴン圧電素子映像回路チップを、著作権先技術文書図面主張の高出力高画質発電ビデオテレビシステムに積載内蔵した請求項1記載の高出力高画質発電ビデオテレビシステムの、、軽水素アルゴン圧電素子映像回路チップは、映像ノイズを、取り除く為の装置に成り、通常の電波ノイズとマグマ磁波ノイズは、圧電素子磁石体粒子回路チップによって、取り除く事が可能に成るが、カメラ撮影時の映像に、電気熱ノイズ及び映像回路の劣化ノイズを、取り除く為に、アルゴンガスに映像波を通す事で、超微粒子の映像波電気熱ノイズを、アルゴンガスによって、アルゴンガスの電気光源変化効果によって、映像波を滑らかに出来る事に成る。
この他、軽水素トリチウム電子は、電気消費を少なく出来る軽水素ガスに成り、圧電素子磁石体のチタン酸バリウムに軽水素とアルゴンガスを、混合合成する世界初の新技術説明に成る。
更に、圧電素子磁石粒子入りの、軽水素アルゴン圧電素子映像回路チップは、音声回路チップの音声ノイズ取り除き装置としても、使用可能な世界初の電波ノイズ取り除き装置に成り、昔ながらの、最初の、液晶パネルには、電波ノイズ取り除き装置として、絶対に必要な装置に成る。
【００３９】
本考案の、著作権先技術文書図面主張の高出力高画質発電ビデオテレビシステムの、高出力発電回路型映像ノイズ取り除き回路チップ装置は、高出力圧電素子磁石体の改良型の軽水素トリチウム電子入り圧電素子磁石体シートパネルと軽水素トリチウム電子入りチタン酸バリウム複数針穴空きシートとアルゴン軽水素入りチタン酸バリウム複数針穴空きシートを交互に貼りあわせた特製のアルゴンガス入りの高出力圧電素子磁石体のプラス極の一番強い部分に、映像プラス波を流して、アルゴン入りの高出力圧電素子磁石体のプラス極の磁気の一番弱い部分から、映像プラス増幅波を得る事が出来る装置と、高出力発電回路型映像ノイズ取り除きマイナス回路チップ装置は、高出力圧電素子磁石体の改良型の軽水素トリチウム電子入り圧電素子磁石体シートパネルと軽水素トリチウム電子入りチタン酸バリウム複数針穴空きシートとアルゴン軽水素入りチタン酸バリウム複数針穴空きシートを交互に貼りあわせた特製のアルゴンガス入りの高出力圧電素子磁石体のマイナス極の一番強い部分に、映像マイナス波を流して、アルゴン入りの高出力圧電素子磁石体のマイナス極の磁気の一番弱い部分から、映像マイナス増幅波を得る事が出来る装置それぞれのプラス高出力発電回路型映像ノイズ取り除き回路チップ装置とマイナス高出力発電回路型映像ノイズ取り除き回路チップ装置を著作権先技術主張の高出力高画質発電ビデオテレビシステムに積載内蔵した請求項1記載の高出力高画質発電ビデオテレビシステムの、高出力発電回路型映像ノイズ取り除き回路チップ装置の構造として、高出力圧電素子磁石体の改良型の軽水素トリチウム電子入り圧電素子磁石体シートパネルと軽水素トリチウム電子入りチタン酸バリウム複数針穴空きシー
トとアルゴンガスと軽水素入りチタン酸バリウム複数針穴空きシートを交互に貼りあわせた特製のアルゴンガス入りの高出力圧電素子磁石体に成り、圧電素子磁石体の混合ガス合成技術と混合液体合成技術は、他社に無い新技術に成る。
2011年8月3日PM20時58分寝る時間なので、ペンを置く。
2011年8月4日PM18時54分寝るまで、少しだけ書く。
【００４０】
本考案の、著作権先技術文書図面主張の高出力高画質発電ビデオテレビシステムの、高出力CCDセンサーは、マイクロクリスタルレンズとカラーフイルターとマスクと新技術の軽水素トリチウム電子入りのダイオード受光素子は、ダイオードに軽水素トリチウム電子を混合合成した軽水素入りのダイオード受光素子を、著作権先技術文書図面主張の高出力高画質発電ビデオテレビシステムの、カメラの高出力CCDセンサーに積載内蔵した請求項1記載の高出力高画質発電ビデオテレビシステムの、高出力CCDセンサーは、マイクロクリスタルレンズとカラーフイルターとマスクと新技術の軽水素トリチウム電子入りのダイオー受光素子は、ダイオードに軽水素トリチウム電子を混合合成した軽水素入りのダイオード受光素子は、軽水素トリチウム電子と言う電気電子の固まりの気化集合体の為、CCDカメラパネルセンサーに内蔵する事で、ダイオード電気信号感知が早く成る為、カメラ積載の、液晶画像パネルの、画像を写し出すスピードが早く成る為、カメラ回路の、レアーアースに投資するより、安くカメラ映像回路基板の製作費が安く済む事に成る。
この他、人工衛星のカメラのCCDカメラ技術にまで成ると、電気消費を、少なく出来るメリットが、大きく成り、他社及び、人工衛星関係の日本企業でも、真似の出来ないカメラCCD新技術に成り、高出力カメラ技術のカメラ撮影スピードを、速める技術に成る。
【００４１】
本考案の、著作権先技術文書図面主張の高出力高画質発電ビデオテレビシステムの、アルゴン圧電素子映像回路チップは、圧電素子磁石体にアルゴンガスを、混合合成した圧電素子に成り、プラス映像回路は、アルゴンガス入りの圧電素子磁石体のプラス陽電子磁気部分にプラス映像配線の出力配線を取り付けプラス磁気の弱い部分のプラス中間陽電子部分にプラス映像配線の入力配線を取り付ける事によって、通常プラス映像波の磁波ノイズを磁気整流化する為に、圧電素子磁石体のプラス磁石体にプラス映像波を通して、通常プラス映像波の電波ノイズを取り除いて、アルゴンガス磁気によって、プラス映像波の超微粒子映像波の電子整正を行えるプラスアルゴン圧電素子映像回路チップのノイズ取り除き装置に成り、マイナス映像回路は、アルゴンガス入りの圧電素子磁石体のマイナス陰電子磁気部分にマイナス映像配線の出力配線を取り付けマイナス磁気の弱い部分のマイナス中間陰電子部分にマイナス映像配線の入力配線を取り付ける事によって、通常マイナス映像波の磁波ノイズを磁気整流化する為に、圧電素子磁石体のマイナス磁石体にマイナス映像波を通して、通常マイナス映像波の電波ノイズを取り除いて、アルゴンガス圧電素子磁気によって、マイナス映像波の超微粒子映像波の電子整正を行えるマイナスアルゴン圧電素子映像回路チップのノイズ取り除き装置によって、地震の多い地域の活断層の上などの磁波の乱れによる電波障害の乱れた電波を整流波に変える事の出来るノーマル波及びデジタル波のテレビの映像回路のノイズ取り除き装置を、積載内蔵した著作権先技術文書図面主張の請求項1記載の高出力高画質発電ビデオテレビシステムの、アルゴン圧電素子映像回路チップは、圧電素子磁石体にアルゴンガスを、混合合成した圧電素子に成り、軽水素トリチウム電子入りと異なる映像ノイズ取り除きの回路チップに成り、軽水素トリチウム電子入りの映像回路ノイズ取り除き装置より、少しだが、電気消費が多く成るが、テレビ液晶業界他社には、絶対に無い新技術に成る。
【００４２】
本考案の、著作権先技術文書図面主張の高出力高画質発電ビデオテレビシステムの、音声回路のノイズ取り除きチップ装置のプラス音声波配線に、圧電素子磁石体のプラス磁気の一番弱い部分に、プラス音声波取り込み配線を取り付け、圧電素子磁石体のプラス磁気の一番強い部分にプラス整流磁気音声波の取り出し配線を取り付ける事によって、磁波の強い活断層の上の地上部分の磁波の乱れが強い部分にテレビ音声波などが、通った場合電波の乱れが生じるが、音声回路のノイズ取り除きチップ装置のマイナス音声波配線に、圧電素子磁石体のマイナス磁気の一番弱い部分に、マイナス音声波取り込み配線を取り付け、圧電素子磁石体のマイナス磁気の一番強い部分にマイナス整流磁気音声波の取り出し配線を取り付ける事によって、磁波の強い活断層の上の地上部分の磁波の乱れが強い部分にテレビ音声波などが、通った場合電波の乱れが生じた音声波及び映像波及びラジオ波及びインターネット波及び携帯波及び無線波及びソナー波及び衛星波及びデジタル波及びノーマル波など、全ての乱れた電波を、磁気整流波に変える事の出来る
装置を、著作権先技術文書図面主張の積載内蔵した請求項1記載の高出力高画質発電ビデオテレビシステムの、音声回路のノイズ取り除きチップ装置のプラス音声波配線に、圧電素子磁石体のプラス磁気の一番弱い部分に、プラス音声波取り込み配線を取り付け、圧電素子磁石体のプラス磁気の一番強い部分にプラス整流磁気音声波の取り出し配線を取り付ける事によって、磁波の強い活断層の上の地上部分の磁波の乱れが強い部分にテレビ音声波などが、通った場合電波の乱れが生じるが、音声回路のノイズ取り除きチップ装置のマイナス音声波配線に、圧電素子磁石体のマイナス磁気の一番弱い部分に、マイナス音声波取り込み配線を取り付け、圧電素子磁石体のマイナス磁気の一番強い部分にマイナス整流磁気音声波の取り出し配線を取り付ける事によって、音声ノイズを、取り除いている装置に成り、乱れた音声波を圧電素子磁石体の磁気整流波作用によって音声ノイズを、無くす技術に成り、今後の、超高速の、無線型の携帯波送受信装置とインターネット波送受信装置には、絶対欠かせない世界最新技術の音声ノイズ取り除き装置に成る。
【００４３】
本考案の、著作権先技術文書図面主張の高出力高画質発電ビデオテレビシステムの、回路電気熱弱制御圧電素子電波ノイズ取り除き装置は、圧電素子磁石体シートと圧電素子磁石体粒子入り窒素ガス内蔵チタン酸バリウム複数針穴空きシートを、交互に貼りあわせた冷却圧電素子は、別名回路電気熱弱制御圧電素子電波ノイズ取り除き装置は、電気熱上昇を抑える回路チップ素子体として、考案した商品に成り、電気熱の上がる場合、プラス配線に冷却圧電素子の、プラス磁気の一番弱い部分に、プラス映像波またはプラス音声波の回路取り込み配線をつないで、プラス冷却圧電素子磁石体の磁気の一番強い部分から、プラス映像波または、プラス音声波を取り出す事が、出来る別名回路電気熱弱制御圧電素子電波ノイズ取り除き装置に成り、電気熱の上がる場合、マイナス配線に冷却圧電素子の、マイナス磁気の一番弱い部分に、マイナス映像波またはマイナス音声波の回路取り込み配線をつないで、マイナス冷却圧電素子磁石体の磁気の一番強い部分から、マイナス映像波または、マイナス音声波を取り出す事が、出来る別名回路電気熱弱制御圧電素子電波ノイズ取り除き装置に成り、陶器カバーなどを取り付けた電気熱ノイズを抑える装置を、積載内蔵した著作権先技術文書図面主張の請求項1記載の高出力高画質発電ビデオテレビシステムの、回路電気熱弱制御圧電素子電波ノイズ取り除き装置は、圧電素子磁石体シートと圧電素子磁石体粒子入り窒素ガス内蔵チタン酸バリウム複数針穴空きシートを、交互に貼りあわせた冷却圧電素子は、別名回路電気熱弱制御圧電素子電波ノイズ取り除き装置は、電気熱を、低価格の窒素ガス入りの圧電素子磁石体に成り、フロンガスと窒素ガス合成ガスを、圧電素子磁石体のチタン酸バリウムシートに混合合成する技術によって、冷却圧電素子磁石体の回路ノイズ取り除き装置は、電気熱を、上げない様にする効果が有る。
これとは、逆に、電気熱を、瞬間に磁気電気変換する新技術も、著作権先技術発明者の著者には有る。
更に、図10の、59の、冷却ガス入り電気抵抗取り除き装置の軽水素トリチウム電子入り圧電素子磁石体シートパネルと軽水素トリチウム電子入りチタン酸バリウムシートとフロンガス混合合成の軽水素トリチウム電子入りチタン酸バリウムシートと軽水素アルゴンチタン酸バリウムシートと軽水素トリチウム電子入りネオンシートを交互に貼りあわせた特殊高出力圧電素子磁石体を使用積載した圧電素子4電子磁気分割装置は、電気中の熱抵抗磁気電気を、取り除いたり、映像波と音声波の電波ノイズと電気ノイズを、瞬間に取り除ける超小型の、映像回路チップに成り、高出力発電回路にも、適用出来る新技術に成り、圧電素子磁石体内を、複数の異なった磁気電子合成シートを複数重ねする事によって、高出力圧電素子磁石体が、長く成って行くが、圧電素子磁石体の能力自体の低下は、余り無いと軽水素トリチウム電子効果によって、考えられる為、色々な圧電素子合成磁石体を作る事を、可能にした世界最新技術説明に成る。
【００４４】
本考案の、著作権先技術文書図面主張の高出力高画質発電ビデオテレビシステムの、回路基板配線は、レアーアース金属が高騰の為、古くから有る特許切れのアルミニウム鉛合金溶液配線を、回路基板配線に沿って、予め回路基板の配線溝が有る部分に、特許切れ財産のアルミニウム鉛溶液を、薄く敷いた場所に、電気の通り易い物質の軽水素圧電素子磁石体粒子入り電気の通るプラスチック混合溶液回路配線を流し込む事で、レアーアースを、超えた電気の通り易い物質で作った軽水素トリチウム電子入り圧電素子磁石体粒子の電気の通るプラスチック溶液配線を二重の回路配線にする事で、レアーアース以上の回路電気の流れの速い回路基板によって、低価格の電気消費の少ない回路基板を、積載内蔵した著作権先技術文書図面主張の請求項1記載の高出力高画質発電ビデオテレビシステムの、回路基板配線は、レアーアース金属が高騰の為、古くから有る特許切れのアルミニウム鉛合金溶液配線を、回路基板配線に沿って、予め回路基板の配線溝が有る部分に、特許切れ財産のアルミニウム鉛溶液を、薄く敷いた場所に、電気の通り易い物質の軽水素圧電素子磁石体粒子入り電気の通るプラスチック混合溶液回路配線を流し込む事で回路製作費を、軽減する効果に成り、他社では、電気スピードを早くし、電気消費を、若干少なくする為に、高価なレアーアース金属を使用して、商品の値段の吊り上げ費に加算している現状にしか成らないが、墫野和夫の技術では、レアーアース金属を、使用しないでテレビ回路及び携帯電話回路などの、あらゆる回路基板の作製新技術に成る。
【００４５】
本考案の、著作権先技術文書図面主張の高出力高画質発電ビデオテレビシステムの、回路基板配線は、、古くから有る特許切れのアルミニウム鉛合金溶液配線を、回路基板配線に沿って、予め回路基板の配線溝が有る部分に、特許切れ財産のアルミニウム鉛溶液を、薄く敷いた場所に軽水素固形窒素電気の通るプラスチック混合溶液を流し込んだ二重の回路配線全体にフロンガス入り固形窒素プラスチック冷却絶縁体を流し込んだ回路熱制御基板装置を、著作権先技術文書図面主張の高出力高画質発電ビデオテレビシステムの回路熱制御基板装置を積載内蔵した請求項1記載の高出力高画質発電ビデオテレビシステムの、回路基板配線は、、古くから有る特許切れのアルミニウム鉛合金溶液配線を、回路基板配線に沿って、予め回路基板の配線溝が有る部分に、特許切れ財産のアルミニウム鉛溶液を、薄く敷いた場所に軽水素固形窒素電気の通るプラスチック混合溶液を流し込んだ二重にした回路配線全体にフロンガス入り固形窒素プラスチック冷却絶縁体を流し込んだ回路熱制御基板装置に成り、今後、レアーアースの効果な回路配線技術の対策用の、世界最新技術の回路基板新技術に成る。
【００４６】
本考案の、著作権先技術文書図面主張の高出力高画質発電ビデオテレビシステムの、高出力回路コイルは、銅筒官コイル配線の軽水素トリチウム電子入り圧電素子磁石体粒子を敷き詰めた二枚合わせ銅筒官コイルの回路配線によって、電気スピードを上げる事を可能にした別名の高出力銅筒官コイル配線を積載内蔵した著作権先技術文書図面主張の請求項1記載の高出力高画質発電ビデオテレビシステムの、高出力回路コイルは、銅筒官コイル配線の軽水素トリチウム電子入り圧電素子磁石体粒子を敷き詰めた二枚合わせ配線を、銅筒官コイルの銅筒の中に電気回路配線にする事によって、電気スピードを上げる事を可能にした別名の高出力銅筒官コイル配線に成り、軽水素トリチウム電子は、気化軽水素物質の為、チタン酸バリウムと混合合成して、圧電素子磁石体の雲母石粒子などと混合合成した高出力圧電素子磁石体粒子物質と混合合成して使用する事に成る為、電気の通り易くて、電気の粒子の電子に電気を通す為、電気抵抗無の電気配線を、可能にした世界最新技術に成り、世界各国に、先駆けて、気化物質の軽水素トリチウム電子を、圧電素子磁石体の中に混合合成した電気配線に成り、銅線を、筒状にした中に軽水素トリチウム電子入り圧電素子磁石体粒子を、内蔵積載させた世界初の新技術に成る。
2011年8月4日PM21時6分特許庁の電子出願ソフトを、インターネット喫茶から提出する。
2011年8月7日AM9時45分テレビ技術の実用新案登録願を書き始める。
【００４７】
本考案の、著作権先技術文書図面主張の高出力高画質発電ビデオテレビシステムの、絶縁体は、高出力銅筒官配線の別名の銅筒官配線の筒性の銅管に軽水素トリチウム電子入り圧電素子磁石体粒子入り配線と電気配線表皮に固形窒素と雑草灰を混合合成した混合ゴム表皮を被せた回路配線と絶縁体には、木材灰と粘土を、混合合成した超軽量陶器絶縁体と超軽量回路配線の銅筒官配線を取り付けたね超軽量絶縁体を、著作権先技術文書図面主張の高出力高画質発電ビデオテレビシステムの絶縁体構造とした絶縁体装置を、積載内蔵した請求項1記載の高出力高画質発電ビデオテレビシステムの絶縁体は、木材灰を、陶器粘土に混合合成する事で、陶器を、軽くする為の木材灰及び雑草灰及び竹灰及び生ごみ灰及び燃えるゴミ灰などを、粘土材に混合合成する事で、超軽量陶器が出来る事に成り、燃えるゴミ灰のガラス物質は、取り除いた超軽量灰のみを使用する新技術に成り、本来は、木材灰及び竹材灰などの、捨てられた物質と海外技術の世界最軽量繊維の、炭素繊維の元に成る炭素炭より、軽い物質に成り、超軽量プラスチック合成パネルなど、燃えにくいパネルとしては、若干火に強い、天然ノリ接着材と木材灰を、混合撹拌して乾燥させた超軽量パネルは、電気熱に強いパネルに成り、木材灰と天然ノリと粘土溶液を、混合合成して、低温で焼くと超軽量絶縁陶器パネルに成り、セラミック溶液と木材灰を、混合合成させた超軽量セラミックパネルに成り、今後、超軽量のセラミックパネル利用としても、事業利益等によって、国の全額借金と都道府県市町村区の全額借金返済をする知的所有財産の著作権のアイデア考案財産としては、最適な材料に成る為、他社の、技術介入の不正の技術開発のマスコミ公開は、お断りします。
尚、燃えるゴミの灰の利用は、2000年5月考案の著作権文書に明記されているが、今後2000年度の著作権文章も、特許図面及び実用新案登録図面として、北海道庁知事郵便物受理書証明書と共に、公開しなければ、企業と大学のみの、先技術無料公開のテレビマスコミの資本主義テレビマスコミ経済界システムに対しての、弱者国民の人権無視としての、対策として、北海道知事の郵便物受理書の証拠証明書に基づく、特許権アイデアと実用新案権アイデアと意匠権アイデアの先技術公開を、先発明者自身が、テレビマスコミ経済界に対応して、公開して行く事とテレビマスコミの商品の特許番号公開と実用新案登録番号公開によって、著作権商品の技術不正盗作の有無の確認とテレビマスコミによる不正技術公開事実に対しての、全世界の、特許切れ使用品の、勝手に作って販売して、利益を上げる事が出来る事を、テレビマスコミの社員全員に公開テレビ画面にて、先著作権技術の、不正に、盗作出来て、利益を上げる事が出来る説明を、テレビマスコミ関係者全員一人一人から、説明をしてもらわなければ、騙され続けて、税金だけを、払わされてきている弱者国民を、無視し続けるテレビマスコミ全員の行動と政治家と大学関係者の行動説明をしてもらう時代が来てしまった事をここで、お伝えすると同時に、人権無視社会の改善を、国会議員に特許切れ著作権の先技術に対して、お金の有る者だけが、現在まで、実用新案登録と特許公開登録とテレビマスコミ公開出来た人権不平等の考え方説明を明白にしていただかなければ成らない時代が来てしまった。
【００４８】
本考案の、著作権先技術文書図面主張の高出力高画質発電ビデオテレビシステムの、電気熱発電超軽量絶縁体装置は、絶縁体に4本の高出力銅筒官電気配線と電気熱発電電気取り込み配線を取り付けた、木材灰と陶器粘土を使った絶縁体の二つ割り構造の絶縁体構造の中に軽水素トリチウム電子入り圧電素子磁石体粒子入りシリコン熱瞬間吸収発電体を絶縁体の内部に内蔵して、二つ割り超軽量陶器絶縁体の接着方法として、液体セメントを二つ割りの突起結合合わせ部分に、液体セメントを流し込んで、二つ割りの超軽量絶縁体を、結合させて液体セメント接着させた超軽量の4本の超軽量電気配線を取り付けた電気熱発電超軽量絶縁体を、著作権先技術文書図面主張の高出力高画質発電ビデオテレビシステムに積載内蔵した請求項1記載の高出力高画質発電ビデオテレビシステムの、電気熱発電超軽量絶縁体装置は、絶縁体に4本の高出力銅筒官電気配線と電気熱発電電気取り込み配線を取り付けた、木材灰と陶器粘土を使った絶縁体の二つ割り構造の絶縁体構造の中に軽水素トリチウム電子入り圧電素子磁石体粒子入りシリコン熱瞬間吸収発電体を絶縁体の内部に内蔵して、二つ割り超軽量陶器絶縁体の接着方法として、液体セメントを二つ割りの突起結合合わせ部分に、液体セメントを流し込んで、二つ割りの超軽量絶縁体を、結合させて液体セメント接着させた超軽量の4本の超軽量電気配線を取り付けた電気熱発電超軽量絶縁体に成り、電気熱を、瞬間に吸収発電出来る装置及び超小型装置が、存在しなかった時代が、長く続いたのも事実に成り、通常の、シリコンソーラーパネルのみの、熱瞬間吸収発電は、超微量しか出来なかったのも事実で有り、シリコンに圧電素子磁石体と軽水素トリチウム電子の二つの異なった物質を入れなければ、瞬間に多くの熱吸収熱電気変換発電出来ないのも、事実に成ります。
この他、シリコンに水銀と圧電素子磁石体と軽水素トリチウム電子を内蔵する技術が有り、水銀の熱吸収物質効果を、応用した新技術にも成る。
この他、シリコン内部に軽水素圧電素子チタン酸バリウムシリコンシートと酸素圧電素子チタン酸バリウムシリコンシートと液体マグネシウム圧電素子チタン酸バリウムシリコンシートの複数重ねシートの熱瞬間吸収発電複合合成シリコンパネルなどが、考えられるが、いずれにしても、熱瞬間吸収発電パネルの軽水素トリチウム電子入り圧電素子磁石体粒子内蔵シリコンパネルの応用作品に成り、発明者以外は、不正技術に成る作品に成り、今後、高出力の上の技術の、開発の為の、足がかりのアイデアの実用新案技術に成る。
この場合、酸素シートの酸素の量と液体マグネシウム圧電素子チタン酸バリウムシリコンシートの複数重ねシートの熱瞬間吸収発電複合合成シリコンパネルから気化した水蒸気の通路をシリコンシート内部に作らなければ成らない事で有る。
【００４９】
本考案の、著作権先技術文書図面主張の高出力高画質発電ビデオテレビシステムの、高出力変圧器は、高出力銅筒官コイル別名の銅筒官コイル配線を四角形の高出力磁石貼り合わせ板の鋼鉄複数穴空き薄磁石板と軽水素トリチウム電子入りの圧電素子磁石シートと軽水素トリチウム電子入りチタン酸バリウムシートを交互に貼りあわせた高出力磁石貼り合わせ板に、高出力銅筒官コイル配線を、二組巻いた構造に対して、二本の高圧側リード線と四本の低圧側リード線を取り付けた高出力変圧器を、著作権先技術文書図面主張の高出力高画質発電ビデオテレビシステムに積載内蔵した請求項1記載の高出力高画質発電ビデオテレビシステムの、高出力変圧器は、高出力銅筒官コイル別名の銅筒官コイル配線を四角形の高出力磁石貼り合わせ板の鋼鉄複数穴空き薄磁石板と軽水素トリチウム電子入りの圧電素子磁石シートと軽水素トリチウム電子入りチタン酸バリウムシートを交互に貼りあわせた高出力磁石貼り合わせ板に、高出力銅筒官コイル配線を、二組巻いた構造に対して、二本の高圧側リード線と四本の低圧側リード線を取り付けた高出力変圧器に成り、ここでも、軽水素トリチウム電子とチタン酸バリウムシートと軽水素トリチウム電子の多く入った圧電素子磁石体シートパネルを、交互に貼りあわせた高出力圧電素子磁石体技術が、積載内蔵に成り、軽水素トリチウム電子入り圧電素子磁石体粒子入りの高出力銅筒官コイル配線技術が、積載内蔵された技術に成り、大量の軽水素と圧電素子磁石体が、高出力の絶対必要条件に成り、燃えない対策案として、窒素ガス入り固形窒素及び、窒素ガス入りの高出力圧電素子磁石体が、考えられる新技術に成り、他社は、絶対に真似の出来ない新技術に成り、今後、テレビマスコミ経済界主張の資本主義国家社会と大学経済界の資本主義国家社会と政治経済界主張の資本主義国家社会の主張してきた現在までの、事実を踏まえた場合、実用新案登録第3168043号の高出力発電7連結以上モーターの高出力技術の提携会社一社のみに成り、テレビマスコミ経済界主張の資本主義国家社会と大学経済界の資本主義国家社会と政治経済界主張の資本主義国家社会の主張に伴った、今後の経済界は、資本主義に乗っ取って、実用新案登録第3168043号の高出力発電7連結以上モーターの高出力世界新技術の提携会社一社以外は、不正競争防止法とは、著作権技術盗作及び実用新案権登録盗作及び事業利益盗作及び日本国の借金全額返済利益の盗作と都道府県市町村区の借金全額返済の盗作の為、恐らく、新聞全社とテレビマスコミ全社は、自己破産会社が、数十社日本国本日限り店を、たたみます以外のマスコミ報道以外無い事実が長年、資本主義社会によって、築かれた経済界の後始末が文句を、絶対に言わないの資本主義の格言だった為、知的所有財産法の現在までの、お金の有る者だけが、提出しなければ、全世界では、アイデア先技術は、全世界全てが、提出主義と人権無視社会の正当化を、今でも、テレビマスコミと一緒に成って、特許番号未公開の作品だけを、報道し続ける事実だからこそ、不正競争に当たらない特許切れ先技術主張の実用新案登録第3168043号の高出力発電7連結以上モーター主張案は、提携出来る契約者は、先技術証明者のみに成る為、人権無視を避けた知的所有財産の��約行動の有り方の公開にも成る。
多くの、似た商品を、作らない事で国により多くの税金が入り、多すぎた建設会社を、少なくして来たと同じ対策として、多すぎる似た作品の電気事業会社を、一つにする事で、無駄な、経済界に、出資する国税を、減らす事で日本国内の海外販売製品工場を、一社の会社の工場にする事で、競争相手を、少なくする事で、世界各国の電気製品販売ルートを、安定化出来る為、国の再建と都道府県の再建には、今まで潰して来た中小企業書店街の事実と建設会社の倒産事実を、踏まえて電気会社の一社のみの会社運営は、世界株式の株価を、安定化させる為の対策案に成る為、電気業界一社以外の自己破産に対しての国税投入は、従ってゼロに成り、海外進出会社の事業変えなどが今後、テレビマスコミの公開話題放送に成るだけの時代でなければ、資本主義とは似た商品の販売会社の集団を資本主義経済社会とは、絶対に誰も、断言出来ないのが事実で有り、逆に、不正競争商品販売国家に成る為、世界株価が、大崩して、経済を、混乱させている要因なのをテレビマスコミ関係者及び大学の有識者及び法務の裁判官及び政治家などは、少し似た商品の販売事実に対しての世界株を、安くしている事実に目を向けて、商品の特許番号の公開義務法案と最低、50年の懲役刑を、設けるなどの対策を講じなければ狸とキツネの化かし合い、政治家とテレビマスコミの化かし合いにピリオードを示す時が来たのを、日本国の大和撫子国民一人一人としての日本国民としての自覚を、示す時が来たようです。
例えば、似た商品としては、昔の古い液晶テレビ技術にデジタル回路に変えただけでは、ハイビジョンと同等の映像が得られないが、電気業界各社が揃って、パソコン及び、携帯電話及びテレビの、同等の映像の映り商品を、本来、販売出来なくても、販売している事に対しては、裏契約などがなければ、資本主義経済界では、通らない商品販売の不正競争防止法に成り、例えば、原子力売電資金の日本の一流電気会社が、資本主義ならば、絶対に、同じ商品は、作らないのが、事実で有り、例えばね親戚に成る他者企業でも不正競争防止法の観点から、親戚電気業者を、潰して自社一社にして行くのが、資本主義経済で有り、自社を、守る資本主義に成り、例えば、DVDが、日本の大学の特許権ならば、他社が、作る事は、絶対にあり得ない事で有り、他社の似た電気商品を、原子力売電資金資本主義の過去の企業大学教授が、似た電気商品を、作る事自体が、裏契約の、自社株の保有株放棄などの、名目がなければ、つまり、計画倒産にして、似た商品で得た利益を、海外投資して、日本国の一流電機会社を、例えば、潰す事の方が、アメリカの日本の一流電機会社を、潰す方が、日本の一流電機会社全体を、守る為の、日本の日本の一流電機会社を潰す事が、あり得る事実背景には、最近の日本の電気会社大手の倒産及び過去の十数年前の音響分野の電気会社の倒産などが有り、例えばだが、目立った電気商品の特許権は、日本の一流電機会社以外全社では、特許権番号を、商品に明記して販売しない事実から、海外特許権保有者の株式を、日本国の電気業界各社が、海外株を、多く買って、株式保有の損益から、勝手に、特許切れ商品の特許番号明記無の似た商品の作成販売は、海外の、特許権者及び特許切れ保有者が、訴えない限り、日本国の、経済産業省は、不正競争とは、似た商品を、作っても、経済産業省自体が、不正の言葉では、表現しないのも事実に成る。
この場合、電気会社の日本の一流電気会社と二流電気会社の統合がテレビマスコミで騒がれたが、海外の日本の二流電気会社のアメリカの日本の二流電気会社が、倒産に成ると日本の三流電気会社の倒産及び日本の自動車の一流会社の倒産に、匹敵する程の騒ぎに成るが、この様に、日本の電気会社が、潰れても、騒がない事実としては、テレビ放送で世界のトップ液晶技術とは、液晶技術本来に無く、液晶ビデオカメラが世界トップで、25年間全世界で、独占的に販売した日本の液晶付きビデオ株を、日本国内の銀行の金全てを、日本液晶付きビデオ電気株買付など、バブル当時の、日本の一流ゲーム株を、四流電気会社各社が、買付した中では、一番株式投資の速かったのが、日本の五流電気会社に成り、情報を、入手する事では、日本の二流電気会社などと、同じだけ、情報入手手段が、速い電気業界に成る。
この場合、上手に株式買付を、行う事で、莫大な利益を、上げる事が、電気業界各社で可能にした事実の中では、日本の液晶付きビデオカメラの世界各国の25年の独占販売権と25年間の日本の一流ゲーム機の独占販売権と日本の一流自動車の低排気ガスの小型車のセラミックエンジン内蔵のアメリカでの、超人気販売の25年間の日本の自動車及びトラクターのエンジン業界の、25年間の独占販売に成り、バブル当時、日本の銀行に、一円も無かった噂の事実背景に、海外株式購入事実に成り、原子力海外売電利益の日本の一流電気会社及び日本の二流電気会社及び日本の船の一流会社及び日本の三流電気会社などは、この、25年間で、海外株式でも、莫大な利益を、獲れた理由に成り、自動車業界では、最近に成って、逆に海外メーカーが、日本自動車株を、あきらめて買って、自動車エンジンの共同開発の名目で、日本進出を果たしているが、日本の自動車株は、世界株取得の日本の一流電気会社グループなどは、日本株全ての買付を、絶対にしない理由が損して、得を取るの名言通り、海外の、日本自動車会社すなわち、外資系と言われている海外日本自動車株は、絶対に潰さないで、日本自動車株は、海外企業取得のままが、資本主義の有るべき、損して、得を取るの名言説明に成る。
この他、長年、日本の一流テレビ会社のブラウン管テレビは、長年世界特許権に成らなかったのは、部品の殆どが海外技術で有った為、日本の一流テレビ会社が、大きくする為に、当時の日本の一流電気会社と日本の二流電気会社に、テレビの製造販売権に対して現在では有りえない。
日本の電気業者が、一流テレビ電気株を、買い付けて株式購入損益理由と、経済界の力によって、本来、日本国の、官庁が、日本の一流テレビ電気会社のテレビの独占販売を、認めたならば、資本主義の日本の一流テレビ電気会社の世界トップの電気業界が、出来たはずだが、原子力売電利益の日本の一流電気会社及び日本の二流電気会社の日本の三流電気会社の介入を、国の官庁が認めた為、金優先主義の経済界が、資本主義国家と呼ばれる理由の一つに成り、株式利益の国税の支払いの税金の支払い額でも長年に渡って政治献金社会によって日本の技術を、守ったので無く、日本の原子力海外売電利益を、守る為の日本国の全てのマスコミ及び新聞までもが、特許番号の明記義務無の製品掲示は利益なければ、新聞社生活が出来ない事実から弱者切り捨ての特許番号明記無の商品の新聞掲示に成ってしまったので有る。
従って、日本国は、いつでも借金苦で無ければ成らないのが、経済企業団体で有り、弱者国民の日本国の借金が増えるだけで有り、消費税反対の言葉を、テレビマスコミと経済界と大学で、狸とキツネの化かし合いを、続けて、国のお金が無くなるまで、消費税反対を、言い続けるが海外原子力売電の海外所得税の海外所得税支払いに対しては、テレビマスコミも新聞社も大学も日本国国税庁も経済界も絶対に、海外原子力売電の海外所得税の一円も日本国に、支払って無い事実を、口にする者が居なくなり、消費税しか無いとし、テレビマスコミを通じて、日本国の借金全額返済に対しては、実用新案登録第3168043号の高出力発電7連結以上モーターの実用新案登録の知的所有財産も、一切無いと近い将来テレビマスコミのテレビスタフと芸能人を使って消費税案に明け暮れた次の時代では、日本国の未来の子供達一人一人が、知的所有財産の特許権無のスーパーマンと言いかねない時代しか待っていないとは残念なのですが似た商品を、各社が大量に作っても日本国の借金は、減るので無く増える事だったと説明して於きます。
【００５０】
本考案の、著作権先技術文書図面主張の高出力高画質発電ビデオテレビシステムの、銅筒官コイル配線の別名の高出力銅筒官コイル配線の絶縁表皮は、ビニールゴム溶液に木材灰及び竹材の灰及び雑草の灰及び生ゴミの灰などの灰を、ビニールゴム溶液に、混合合成した物質を、高出力銅筒官コイル配線に、電気配線絶縁表皮として、被せて固めた電気配線の超軽量電気配線表皮を、著作権先技術文書図面主張の高出力高画質発電ビデオテレビシステムの電気配線に積載内蔵した請求項1記載の高出力高画質発電ビデオテレビシステムの、銅筒官コイル配線の別名の高出力銅筒官コイル配線の絶縁表皮は、ビニールゴム溶液に木材灰及び竹材の灰及び雑草の灰及び生ゴミの灰などの灰を、ビニールゴム溶液に、混合合成した物質を、高出力銅筒官コイル配線に、電気配線絶縁表皮として、被せて固めた電気配線の超軽量電気配線表皮は、今までは、ゴム及びビニールゴムが、使用積載されて来たが、燃えづらい物質の木材灰以外では、ケイ素及びヨウ素などの、石炭燃え殻が有り、この他、今まで使用されなかった、土材などを、ビニールゴムグラス溶液に混合合成する手段が有り、グラスビニールゴムの電気配線表皮の他、窒素ガス入りのグラスビニールゴムの電気配線表皮新技術に成り、低価格戦争では、再生タイヤのゴムと再生ビニールと固形窒素と土及び木材灰などを、使った電気配線の絶縁体表皮が、考えられるが、今後、高出力銅筒官コイル電気配線表皮の使用に対して、需要が多く成るのは明白な時代に成る。
【００５１】
本考案の、著作権先技術文書図面主張の高出力高画質発電ビデオテレビシステムの、高出力サイリタは、N型半導体に対して、N型シリコン半導体シートとN型軽水素トリチウム電子入りシリコン半導体シートを、交互に貼りあわせたのが高出力N型半導体に成り、P型シリコン半導体シートに対してP型軽水素トリチウム電子入りシリコン半導体シートを、交互に貼りあわせたのが高出力P型半導体に成り、高出力N型半導体にカソード(k)を取り付け、高出力P型半導体に、アノード(Ａ)を取り付け、高出力N型半導体と高出力P型半導体を、交互に貼りあわせた構造に対して、高出力P型半導体一つにゲート(Ｇ)を取り付けた高出力サイリスタに成り、高出力サイリスタを、著作権先技術文書図面主張の高出力高画質発電ビデオテレビシステムに積載内蔵した請求項1記載の高出力高画質発電ビデオテレビシステムの、高出力サイリタは、N型半導体に対して、N型シリコン半導体シートとN型軽水素トリチウム電子入りシリコン半導体シートを、交互に貼りあわせたのが高出力N型半導体に成り、P型シリコン半導体シートに対してP型軽水素トリチウム電子入りシリコン半導体シートを、交互に貼りあわせたのが高出力P型半導体に成り、高出力N型半導体にカソード(k)を取り付け、高出力P型半導体に、アノード(Ａ)を取り付け、高出力N型半導体と高出力P型半導体を、交互に貼りあわせた構造に対して、高出力P型半導体一つにゲート(Ｇ)を取り付けた高出力サイリスタに成るが、通常のN型半導体とP型シリコン半導体は、超薄型シリコンシートとして、軽水素トリチウム電子入りの、通常のN型半導体とP型シリコン半導体は、複数の針穴形状シリコンシートと複数の網目形状シリコンシートが考えられるが、この他、シリコンを使わないで、軽水素トリチウム電子入りのビニール溶液シートに、ビニール溶液シートを交互に貼りあわせたNB型半導体とPB型半導体が、考えられるが、そして、シリコンを使わないで、軽水素トリチウム電子入りのビニール溶液シートに、ビニール溶液シートを交互に貼りあわせたNB型半導体とPB型半導体が、考えられるが、そして、シリコンを使わないで、軽水素トリチウム電子入りのダイオード溶液シートに、ダイオード溶液シートを交互に貼りあわせたNＤ型半導体とPＤ型半導体が、考えられ、これらは、シリコンを使わない半導体説明に成り、シリコンを使わないで、軽水素トリチウム電子入りの液晶溶液シートに、液晶溶液シートを交互に貼りあわせたNＥ型半導体とPＥ型半導体が、考えられ、これらは、シリコンを使わない半導体説明に成る。
この様に、軽水素トリチウム電子を使った溶液半導体は、ビニールシートカバーなどで、保護される構造に成る。
【００５２】
本考案の、著作権先技術文書図面主張の高出力高画質発電ビデオテレビシステムの、高出力NPN型トランジスタは、コレクタ配線側に高出力N型半導体の、N型半導体シートと軽水素トリチウム電子入りのN型半導体シートを、交互に貼りつけた高出力N型半導体とエミッタ側に高出力N型半導体の、N型半導体シートと軽水素トリチウム電子入りのN型半導体シートを、交互に貼りつけた高出力N型半導体に成り、中央部分のベース部分に、高出力P型半導体の、P型半導体シートと軽水素トリチウム電子入りのP型半導体シートを、交互に貼りつけた高出力P型半導体を、接合した高出力NPN型トランジスタになり、高出力トランジスタカバーは、窒素木材灰入りプラスチックカバーによって、回路熱を抑える為の、材料費の安い窒素を使用した電気熱制御の高出力NPN型トランジスタを著作権先技術文書図面主張の高出力高画質発電ビデオテレビシステムに積載内蔵した請求項1記載の高出力高画質発電ビデオテレビシステムの、高出力NPN型トランジスタは、コレクタ配線側に高出力N型半導体の、N型半導体シートと軽水素トリチウム電子入りのN型半導体シートを、交互に貼りつけた高出力N型半導体とエミッタ側に高出力N型半導体の、N型半導体シートと軽水素トリチウム電子入りのN型半導体シートを、交互に貼りつけた高出力N型半導体に成り、中央部分のベース部分に、高出力P型半導体の、P型半導体シートと軽水素トリチウム電子入りのP型半導体シートを、交互に貼りつけた高出力P型半導体を、接合した高出力NPN型トランジスタになり、高出力トランジスタカバーは、窒素木材灰入りプラスチックカバーによって、回路熱を抑える為の、材料費の安い窒素を使用した電気熱制御の高出力NPN型トランジスタの他、高出力NBPBNB型トランジスタは、コレクタ配線側に高出力NB型半導体の、NB型半導体シートと軽水素トリチウム電子入りのNB型半導体シートを、交互に貼りつけた高出力NB型半導体とエミッタ側に高出力NB型半導体の、NB型半導体シートと軽水素トリチウム電子入りのNB型半導体シートを、交互に貼りつけた高出力NB型半導体に成り、中央部分のベース部分に、高出力PB型半導体の、PB型半導体シートと軽水素トリチウム電子入りのPB型半導体シートを、交互に貼りつけた高出力PB型半導体を、接合した高出力NBPBNB型トランジスタになり、高出力トランジスタカバーは、窒素木材灰入りプラスチックカバーによって、回路熱を抑える為の、材料費の安い窒素を使用した電気熱制御の高出力NBPBNB型トランジスタ構造等が、考えられる構造に成る。
【００５３】
本考案の、著作権先技術文書図面主張の高出力高画質発電ビデオテレビシステムの、高出力PNP型トランジスタは、コレクタ配線側に高出力P型半導体の、P型半導体シートと軽水素トリチウム電子入りのP型半導体シートを、交互に貼りつけた高出力N型半導体とエミッタ側に高出力N型半導体の、P型半導体シートと軽水素トリチウム電子入りのP型半導体シートを、交互に貼りつけた高出力P型半導体に成り、中央部分のベース部分に、高出力N型半導体の、N型半導体シートと軽水素トリチウム電子入りのN型半導体シートを、交互に貼りつけた高出力N型半導体を、接合した高出力PNP型トランジスタになり、高出力トランジスタカバーは、窒素木材灰入りプラスチックカバーによって、回路熱を抑える為の、材料費の安い窒素を使用した電気熱制御の高出力PNP型トランジスタを著作権先技術文書図面主張の高出力高画質発電ビデオテレビシステムに積載内蔵した請求項1記載の高出力高画質発電ビデオテレビシステムの、高出力PBNBPB型トランジスタは、コレクタ配線側に高出力PB型半導体の、PB型半導体シートと軽水素トリチウム電子入りのPB型半導体シートを、交互に貼りつけた高出力NB型半導体とエミッタ側に高出力NB型半導体の、PB型半導体シートと軽水素トリチウム電子入りのPB型半導体シートを、交互に貼りつけた高出力P型半導体に成り、中央部分のベース部分に、高出力N型半導体の、NB型半導体シートと軽水素トリチウム電子入りのNB型半導体シートを、交互に貼りつけた高出力N型半導体を、接合した高出力PBNBPB型トランジスタになり、高出力トランジスタカバーは、窒素木材灰入りプラスチックカバーによって、回路熱を抑える為の、材料費の安い窒素を使用した電気熱制御の高出力PNP型トランジスタに成る。
【００５４】
本考案の、著作権先技術文書図面主張の高出力高画質発電ビデオテレビシステムの、高出力FETは、上下の高出力N型半導体のソース側からドレイン側に電気電子が流れ、サイドの高出力P型半導体の一か所にゲート口を設けた構造に成り、軽水素トリチウム電子の入っている高出力N型半導体とP型半導体効果によって、消費電力をさらに少なくした高出力FETを著作権先技術文書図面主張の高出力高画質発電ビデオテレビシステムに積載した請求項1記載の高出力高画質発電ビデオテレビシステムの、高出力FETは、上下の高出力NB型半導体のソース側からドレイン側に電気電子が流れ、サイドの高出力PB型半導体の一か所にゲート口を設けた構造に成り、軽水素トリチウム電子の入っている高出力NB型半導体とPB型半導体効果によって、消費電力をさらに少なくした高出力FETBに成る。
【００５５】
本考案の、著作権先技術文書図面主張の高出力高画質発電ビデオテレビシステムの、バックライトに使用する電子増幅物質の軽水素トリチウム電子を、発光ダイオードライトのダイオード部分に内蔵合成する事で、ダイオードの電子量を、増幅する事によって、発光LEDライトの発光量を増幅出来る軽水素トリチウム電子入り発光LEDライト玉を、著作権先技術文書図面主張の高出力高画質発電ビデオテレビシステムに積載した請求項1記載の高出力高画質発電ビデオテレビシステムの、バックライトに使用する電子増幅物質の軽水素トリチウム電子を、発光ダイオードライトのダイオード部分に内蔵合成する事で、ダイオードの電子量を、増幅する事によって、発光LEDライトの発光量を増幅出来る軽水素トリチウム電子入り発光LEDライト玉は、ダイオード部分に軽水素トリチウム電子を入れるだけ、混合合成した軽水素トリチウム電子入りのダイオードによって、ダイオード内の軽水素トリチウム電子効果によって、発光ダイオードの電子発光を軽水素トリチウム電子で、補助して発光する為、電気消費が、少なくて、通常の発光ダイオードよりも、明るい発光ダイオードライト玉が出来る事に成る。
この他、発光ダイオードに、アルゴンガスと軽水素トリチウム電子の混合ガス合成の、ガスを発光ダイオードのダイオード部分に混合合成する新技術の他、発光ダイオードのダイオードに、ネオンガスと軽水素トリチウム電子を、混合合成する技術も、軽水素トリチウム電子の量の比率を多くする事で、発光ダイオードの光度量を、増幅出来る事に成る。
ちなみに、発光ダイオードにネオンガスのみを、入れても、軽水素ネオン混合ガス入り発光ダイオードの光度量に追いつかない理由として、発光ダイオードの玉が、小さい為ネオンガスが、余り入らない事とネオンガスの量が、少ない事と発光ダイオードのダイオード効果は、あくまでも、ダイオード電子の増幅に成り、ネオンガスのみを、輝かせるのには、少し小さいライトとネオンガスの量が、少ないと考える。
この他、アルゴンガスと軽水素トリチウム電子の混合ガス入りの発光ダイオードライト玉に対しても、軽水素トリチウム電子入りのダイオードを、発光させる技術のダイオード電子増幅発電効果で有って、アルゴンガスのみの発光より、軽水素トリチウム電子アルゴン混合ガス合成の発光ダイオードの場合、アルゴンガスのみより、軽水素トリチウム電子入りのアルゴン発光ダイオードの方が、軽水素トリチウム電子入りダイオード効果によって、アルゴンダイオードを、より輝きの有る増幅発光ダイオードライト玉装置に成る。
【００５６】
本考案の、著作権先技術文書図面主張の高出力高画質発電ビデオテレビシステムの、ビデオ入出力に使用する音声画像の入出力録画装置に使用する超最微粒子の圧電素子磁石体超細ラインと木材灰入りの絶縁体を、交互に絶縁体プラスチックシートに貼りつけた圧電素子磁石体超最微粒子の磁気ラインシートを、複数重ねた磁気シートの超薄の木材灰入りプラスチックシート絶縁体シートを、挟んで超薄圧電素子磁石体ラインシートを、多層重ねにしたカードボックスに木材灰入りプラスチック絶縁体の超軽量絶縁体プラスチックパネルを、カードボックスに被せた多層シートそれぞれに、カード配線を、取り付け内蔵アンテナ電波送受信装置を取り付けたカードボックスを、著作権先技術主張の高出力高画質発電ビデオテレビシステムに内蔵した著作権先技術文書図面主張の高出力高画質発電ビデオテレビシステムを積載した請求項1記載の高出力高画質発電ビデオテレビシステムの、ビデオ入出力に使用する音声画像の入出力録画装置に使用する超最微粒子の圧電素子磁石体超細ラインと木材灰入りの絶縁体を、交互に絶縁体プラスチックシートに貼りつけた圧電素子磁石体超最微粒子の磁気ラインシートを、複数重ねた磁気シートの超薄の木材灰入りプラスチックシート絶縁体シートを、挟んで超薄圧電素子磁石体ラインシートを、多層重ねにしたカードボックスに木材灰入りプラスチック絶縁体の超軽量絶縁体プラスチックパネルを、カードボックスに被せた多層シートそれぞれに、カード配線を取り付け内蔵アンテナ電波送受信装置を取り付けたカードボックスは、2001年の、4月末に元ずく複数カード方式を、基礎とした2001年10月上旬の、アンテナ充電池内蔵カードの著作権考案技術を、基礎としたアイデア考案技術に元ずい
て書かれている新技術に成り、この他、現在、廃止のビデオテープの表裏両面の録画再生システムの他、複数の、フレッシブルデスクを積載内蔵した複数フレッシブルデスクカード著作権考案技術の他、表裏両面卵型空洞型ＭＤカード及び表裏両面CDの他、表裏両面カード内蔵卵型空洞型ＭＤ装置などの、一度に情報を、多く入れる事の出来る磁気カードなどが、2001年の1月頃、この当時の、北海道庁の全額借金返済の為の、携帯電話カードを、考案する事に成り通常のカードとして、日本のゲーム第2会社のカードと海外製のICカードと海外製のCD版が有り、パソコン等には、日本製のフレッシブルデスクが使用積載に成って居たが、情報録音録画量が少なくて、情報の入力スピードが、遅すぎた為、新しく情報量の多い録画録音再生装置の開発に成ったが、著作権考案が、この2001年当時は、データー入力を、増やすのが、精一杯で有ったが、現在の木材灰入りのビニール絶縁シート及び木材灰入りのプラスチック絶縁シート及び木材灰入りの、プラスチックビニール絶縁シートの世界最軽量の、絶縁シートに、圧電素子磁石体粒子ラインと木材灰入りプラスチック絶縁体を使った圧電素子磁石体磁気粒子ラインの、磁気ラインカード方式へ他社と異なる磁気使用と世界最軽量の絶縁体を使用積載した多層式カードボックスは、今までの、ビデオテープの録画再生量を、超えた世界最新技術に成り、他社では、真似の出来ない世界最新技術に成り今後、著作権先考案技術文書図の、北海道知事郵便物受理書の著作権先考案技術文書図の、公開と共に、日本国の特許庁の先考案技術主義より、先金提出主義の先考案より、先金提出主義の特許庁の人権無視の、お金の有る者の知的財産の文書図の、お金を使っての特許提出の優先権主張の為、先発明著作権技術が、数千件有っても、全て無視出来ると言う、明治時代そのもの、日本国の人権無視を、現在も行って入るのが金主義を言いながら、国の全額借金返済活動すら認めないと言う日本国の借金苦で、苦しむ日本国財政が、明白でも、特許法の特別処置法の、国の全額借金返済活動に対してのみ、全世界の、特許提出を無料化にすべき事に対しての、理由として、アメリカ特許法などは、先発明主義国等の、理由説明が、人権平等の特許法に相応しい発明の年月日証明の事実説明だと言えるのは、残念だが、日本国では、特許庁提出の日本の国の全額借金返済と都道府県市町村区の全額借金返済の知的所有財産の先発明の考え方のアメリカ合衆国よりの特許法の考え方の一人と言う事に成る。
【００５７】
本考案の、著作権先技術文書図面主張の高出力高画質発電ビデオテレビシステムの、ビデオリモコン操作スイッチは、液晶タッチパネルリモコン装置と音声入力の為と、音声認識の為の、圧電素子磁石体音声認識チップ回路の圧電素子磁石体回路チップに木材灰入り絶縁体を被せた音声認識チップ回路をリモコン装置のリモコン回路に積載内蔵した著作権先技術文書図面主張の高出力高画質発電ビデオテレビシステムを積載した請求項1記載の高出力高画質発電ビデオテレビシステムの、ビデオリモコン操作スイッチは、液晶タッチパネルリモコン装置と音声入力の為と、音声認識の為の、圧電素子磁石体音声認識チップ回路の圧電素子磁石体回路チップに木材灰入り絶縁体を被せた音声認識チップ回路は、通常の、音声認識回路は、通常磁気回路を、使用積載するのが、通常の音声認識回路の取り込み装置の構造に成り、圧電素子磁石体は、通常磁気の場合は、電気ノイズを、取り除けないが、圧電素子磁気は、電気ノイズを圧電素子磁石体粒子の整流作用効果によって、録画録音データーを、綺麗に整流波作用しながら録画録音を、可能に出来る装置に成る。
【００５８】
本考案の、著作権先技術文書図面主張の高出力高画質発電ビデオテレビシステムの、ビデオリモコン操作スイッチ液晶タッチリモコン装置の作動電気エネルギー源は、高出力電磁誘導発電装置の、軽水素トリチウム電子入りの圧電素子磁石体粒子内蔵の銅線を筒状にしたコイル配線の中に軽水素トリチウム電子入りの圧電素子磁石体粒子を入れた高出力銅筒官コイル配線と高出力圧電素子磁石体の軽水素トリチウム電子入り圧電素子磁石体と軽水素トリチウム電子入りのチタン酸バリウムシートを、交互に貼りあわせた高出力圧電素子磁石体に、複数針穴形状の超薄ステンレス磁石体を、高出力圧電素子磁石体に巻きつけて、高出力圧電素子磁石体滑落防止対策を行った上で、高出力銅筒官コイルを巻いた、高出力電磁石と永久磁石を、自動充電池の振り子装置の電磁石反発装置に積載内蔵した、著作権先技術文書図面主張の高出力高画質発電ビデオテレビシステムを積載した請求項1記載の高出力高画質発電ビデオテレビシステムの、ビデオリモコン操作スイッチ液晶タッチリモコン装置の作動電気エネルギー源は、高出力電磁誘導発電装置の、軽水素トリチウム電子入りの圧電素子磁石体粒子内蔵の銅線を筒状にしたコイル配線の中に軽水素トリチウム電子入りの圧電素子磁石体粒子を入れた高出力銅筒官コイル配線と高出力圧電素子磁石体の軽水素トリチウム電子入り圧電素子磁石体と軽水素トリチウム電子入りのチタン酸バリウムシートを、交互に貼りあわせた高出力圧電素子磁石体に、複数針穴形状の超薄ステンレス磁石体を、高出力圧電素子磁石体に巻きつけて、高出力圧電素子磁石体滑落防止対策を行った上で、高出力銅筒官コイルを巻いた、高出力電磁石と永久磁石を、自動充電池の振り子装置の電磁石反発装置に積載内蔵した高出力電磁石に成り、少ない電気量で電磁石として、電磁石作動出来る世界初の高出力電磁石装置は、高出力圧電素子磁石体と通常コイルだけでも、高出力電磁石に成らないのは、高出力銅筒官コイル配線の軽水素トリチウム電子入りの圧電素子磁石体粒子内蔵配線の電気の通り易い物質の電気と同じ物質の軽水素トリチウム電子と圧電効果で、電子発生可能な圧電素子磁石体粒子配線を、混合合成した軽水素トリチウム電子入りの圧電素子磁石体粒子配線は、電気抵抗物質が無い電気配線の為、高出力圧電素子磁石体パネルに巻く高出力銅筒官コイル配線によって、電気抵抗の無い分電気消費の少ない電磁石装置に成り、あらゆる電磁石装置の高出力電磁石装置に使用積載される電気消費の世界で一番少ない電磁石装置に成る。
【００５９】
本考案の、著作権先技術文書図面主張の高出力高画質発電ビデオテレビシステムの、ビデオリモコン操作液晶タッチパネルリモコン装置に積載する充電池は、液体マグネシウムと固形窒素とフロンガスと軽水素トリチウム電子を、充電池のプラス電極物質とマイナス電極物質に、別々に固形窒素にフロンガス入りの冷却絶縁体シートパネルによって、軽水素トリチウム電子とフロンガスと固形窒素入りの液体マグネシウム充電池電極物質を、プラスとマイナス極の接合部分を、真空層構造にして、液体マグネシウムの電気熱燃焼を、避けた世界最速充電時間の、液体マグネシウムフロン固形窒素軽水素充電池を著作権先技術文書図面主張の高出力高画質発電ビデオテレビシステムを積載した請求項1記載の高出力高画質発電ビデオテレビシステムの、ビデオリモコン操作液晶タッチパネルリモコン装置に積載する充電池は、液体マグネシウムと固形窒素とフロンガスと軽水素トリチウム電子を、充電池のプラス電極物質とマイナス電極物質に、別々に固形窒素にフロンガス入りの冷却絶縁体シートパネルと圧電素子磁石体粒子入りチタン酸バリウムシートによって、軽水素トリチウム電子とフロンガスと固形窒素入りの液体マグネシウム充電池電極物質を、プラスとマイナス極の接合部分を、真空層構造にして、液体マグネシウムの電気熱燃焼を、避けた世界最速充電時間の、液体マグネシウムフロン固形窒素軽水素充電池は、燃料電池のマグネシウムのプラス極とマイナス極別々の電極の電気充電熱を、磁気電気熱にして、瞬間に磁気電気の磁気電気整流化によって、熱電気抵抗を、少なくして、磁気電気化する事によって、世界最速の充電池が、圧電素子4電子磁気分割装置の積載使用によって、電気抵抗無の世界最速充電が、可能に
成る。
注意事項として、オーバ充電防止の充電量を、細かく計測出来る電気充電圧計測装置と全自動フル充電電気充電遮断装置などは、絶対に取り付けなければ成らない装置に成る。
この充電池の特徴は、液体マグネシウムを積載内蔵している点で有り、電気熱燃焼防止の為、プラス電極とマイナス電極を、別々にする事で、電気熱燃焼事故を、避けて、固形窒素を、液体マグネシウムに内蔵する事で、充電電気熱の液体マグネシウムの電気熱燃焼を避けている点に成り、更に、急速充電する為に、軽水素トリチウム電子を、固形窒素入り液体マグネシウムに、混合合成する事で、電気充電スピードを、世界最速時間にする事が出来て、半永久充電池物質の交換無しの充電池に成り、リチウム電池は数年に一度電池交換が、必要とするが、軽水素液体マグネシウム充電池は交換不必要な充電池に成る。
2011年8月7日PM21時21分寝る時間の為、ペンを置く。
2011年8月8日PM18時44分寝る時間まで少し書く事にする。
【００６０】
本考案の、著作権先技術文書図面主張の高出力高画質発電ビデオテレビシステムの、映像回路の映像装置の色彩を調整する為の、特許切れのノーマル回路のダイオードチップ回路の電気消費を少なくする技術として、デジタル映像回路及びノーマル映像回路のダイオード色彩チップ回路のダイオードに軽水素トリチウム電子を、混合合成して軽水素を入れる事でダイオード内の電子反応スピードを、速くする為の軽水素トリチウム電子をダイオード映像回路チップに積載内蔵した請求項1記載の高出力高画質発電ビデオテレビシステムの、映像回路の映像装置の色彩を調整する為の、特許切れのノーマル回路のダイオードチップ回路の電気消費を少なくする技術として、デジタル映像回路及びノーマル映像回路のダイオード色彩チップ回路のダイオードに軽水素トリチウム電子を、混合合成して軽水素を入れる事でダイオード内の電子反応スピードを、速くする為の軽水素トリチウム電子をダイオード映像回路チップは、ダイオードスイッチ回路に、軽水素トリチウム電子を入れるとスイッチ切り替えスピードが、速く成り、ダイオードの色彩回路に軽水素トリチウム電子を入れるとダイオード回路の色彩認識が、速く成り、ダイオードに、アルゴンガスを混合合成すると色彩が鮮やかに成る。
【００６１】
本考案の、著作権先技術文書図面主張の高出力高画質発電ビデオテレビシステムの、映像回路の映像装置の色彩を調整する為の、特許切れのノーマル回路のダイオードチップ回路の映像波のダイオードの色彩の鮮明度を高める為に、ダイオード映像回路チップに、アルゴンガスを混合合成したアルゴンダイオード映像回路チップをテレビの映像回路に積載内蔵した請求項1記載の高出力高画質発電ビデオテレビシステムの、映像回路の映像装置の色彩を調整する為の、特許切れのノーマル回路のダイオードチップ回路の映像波のダイオードの色彩の鮮明度を高める為に、ダイオード映像回路チップに、アルゴンガスを混合合成したアルゴンダイオード映像回路チップは、ダイオードにアルゴンガスを、混合合成する事で、ダイオードの色彩の鮮明度の鮮やかさを、極めだてる効果をもたらす。
【００６２】
本考案の、著作権先技術文書図面主張の高出力高画質発電ビデオテレビシステムの、映像回路の映像装置の色彩を調整する為の、特許切れのノーマル回路のダイオードチップ回路の映像波のダイオードの色彩の鮮明度と電気消費を少なくする事とダイオードの色彩認識スピードを若干早くする為に、ダイオード映像回路チップに、アルゴンガスと軽水素トリチウム電子をダイオードに積載内蔵した請求項1記載の高出力高画質発電ビデオテレビシステムの、映像回路の映像装置の色彩を調整する為の、特許切れのノーマル回路のダイオードチップ回路の映像波のダイオードの色彩の鮮明度と電気消費を少なくする事とダイオードの色彩認識スピードを若干早くする為に、ダイオード映像回路チップに、アルゴンガスと軽水素トリチウム電子をダイオードに積載内蔵したアルゴン軽水素合成ダイオード映像色彩回路は、色彩の認識スピードと色彩の鮮明度を同時に、解決出来る映像色彩回路チップに成る。
【００６３】
本考案の、著作権先技術文書図面主張の高出力高画質発電ビデオテレビシステムの、映像回路の映像装置の色彩を調整する為の、特許切れのノーマル回路のダイオードチップ回路の映像波のダイオードの色彩の鮮明度と電気消費を少なくする事とダイオードの色彩認識スピードを若干早くする為に、ダイオード映像回路チップに、ネオンガスと軽水素トリチウム電子をダイオードに積載内蔵した請求項1記載の高出力高画質発電ビデオテレビシステムの、映像回路の映像装置の色彩を調整する為の、特許切れのノーマル回路のダイオードチップ回路の映像波のダイオードの色彩の鮮明度と電気消費を少なくする事とダイオードの色彩認識スピードを若干早くする為に、ダイオード映像回路チップに、ネオンガスと軽水素トリチウム電子をダイオードに積載内蔵したネオン軽水素合成ダイオード映像回路は、ダイオード回路の色彩色を、アルゴンと似た映像の色彩色を、くっきりさせる効果に成る。
【００６４】
本考案の、著作権先技術文書図面主張の高出力高画質発電ビデオテレビシステムの、映像回路の映像装置の色彩を調整する為の、特許切れのノーマ回路のダイオードチップ回路の映像波のダイオードの色彩の鮮明度と電気消費を少なくする事とダイオードの色彩認識スピードを若干早くする為に、ダイオード映像回路チップに、ネオンガスとアルゴンガスと軽水素トリチウム電子をダイオードに積載内蔵した請求項1記載の高出力高画質発電ビデオテレビシステムの、映像回路の映像装置の色彩を調整する為の、特許切れのノーマル回路のダイオードチップ回路の映像波のダイオードの色彩の鮮明度と電気消費を少なくする事とダイオードの色彩認識スピードを若干早くする為に、ダイオード映像回路チップに、ネオンガスとアルゴンガスと軽水素トリチウム電子をダイオードに積載内蔵したアルゴンネオン軽水素合成ダイオードは、映像回路の、色彩色をアルゴン効果によって、色彩の鮮明度の鮮やかさを、もたらし、ネオンは、色彩の色度を、明白にして、軽水素は、映像回路のダイオードの色彩認識スピードを速める効果とアルゴンガス効果とネオンガス効果を、極み経てる効果をもたらす事に成る。
【００６５】
本考案の、著作権先技術文書図面主張の高出力高画質発電ビデオテレビシステムの、映像回路の映像装置の色彩を調整する為の、特許切れのノーマル回路のダイオードチップ回路と映像波のダイオードの色彩の鮮明度を極めたてるアルゴンガスと電気消費を少なくする事とダイオードの色彩認識スピードを若干早くする軽水素に成り、映像回路のノイズを取り除く圧電素子磁石体粒子をダイオード映像回路チップに、ネオンガスとアルゴンガスと軽水素トリチウム電子と圧電素子磁石体をダイオードに積載内蔵した請求項1記載の高出力高画質発電ビデオテレビシステムの、アルゴンネオン軽水素圧電素子合成ダイオード映像回路チップは、アルゴンは、映像波の映像の鮮明度を、鮮やかにして、ネオンガスは、色彩の色度を、高め、軽水素トリチウム電子は、色彩の色彩認識スピードを速め、圧電素子は、映像回路ノイズを、取り除く効果を発する超小型の映像回路のアルゴンネオン軽水素圧電素子合成ダイオード映像回路チップに成る。
2011年8月8日PM21時48分寝る時間なので、ぺんを置く。
2011年8月13日AM10時18分盆休の為、書き始める。
【００６６】
本考案の、著作権先技術文書図面主張の高出力高画質発電ビデオテレビシステムの、映像回路の映像ゴーストを取り除く為に、超小型マイクロ充電池チップと言う超小型充電池映像回路チップとしての、3ミリメートル程度の超小型マイクロ充電池チップに映像回路の配線を取り付けた映像ゴースト取り除き装置を積載内蔵した請求項1記載の高出力高画質発電ビデオテレビシステムの、超小型マイクロ充電池チップは、映像波ノイズと音声波ノイズを取り除く為に、プラス映像波回路とマイナス映像波回路とプラス音声回路とマイナス音声回路のノイズ取り除き装置として、それぞれのノイズ取り除き装置として、取り付ける事に成る。
2011年8月13日PM22時54分寝る時間なので、ペンを置く。
2011年8月14日AM10時10分盆休の為、今から書き始める。
【００６７】
本考案の、著作権先技術文書図面主張の高出力高画質発電ビデオテレビシステムの、映像回路の映像ゴーストを取り除く為に、超小型マイクロ充電池チップ物質に圧電素子磁石体粒子を内蔵合成した圧電素子磁石体粒子内蔵充電池回路チップは、圧電素子磁石体の磁界線効果によって、ノイズ電波を、整流化して、更に、充電池素子物質によって、電極磁界線のノイズ電波の整流化によって、ノイズを取り除いた音声波と映像波を得る事の出来る圧電素子充電池素子回路チップを積載内蔵した請求項1記載の高出力高画質発電ビデオテレビシステムの、映像回路の映像ゴーストを取り除く為に、超小型マイクロ充電池チップ物質に圧電素子磁石体粒子を内蔵合成した圧電素子磁石体粒子内蔵充電池回路チップは、電波ノイズ取り除き装置の圧電子磁石体粒子を使った映像回路電波と音声回路電波のノイズ取り除き装置として、圧電素子磁石体粒子の磁気磁界の整流効果と充電池回路チップの電極電界の整流効果の、二つの整流効果によって、電波ノイズを、完全に取り除く為、現在の、地上ノーマルは、マグマ磁波の場所では、回路に圧電子と充電池素子か、アルゴンガス及びネオンガス及び軽水素トリチウム電子と超電導物質を、混合合成したアルゴン内蔵合成超電導物質及びネオン内蔵合成超電導物質なども微量の軽水素を、混合合成する事で、超電導物質ノイズ取り除き装置によって、多少の整流効果を得る事が出来る為、映像回路チップとしても、使用可能に成るが、ノイズ取り除き回路チップとしては、圧電素子磁石体粒子回路チップ及び充電池素子回路チップが効果的なノイズ取り除き装置に成る。
従って、アルゴンガス及びネオンガスと混合合成する物質には、ケイ素粒子及びヨウ素粒子及びホウ粒子素及びセラミック粒子及び陶器粉粒子及び貝殻粉粒子及び木材灰粒子及び炭素粒子などと、アルゴンガスシリコンシートと軽水素合成ガスシリコンシートとインジウムシリコンシートと圧電素子シリコンシート等に、超電導物質と冷却ガスの混合合成技術によって、電波ノイズと電気抵抗電気ノイズを、徹底的に取り除ける事に成る。
【発明の効果】
【００６８】
上述の様に、(特許文献12)の 実用新案登録第3168043号の高出力発電7連結以上モーターの高出力発電回路世界最新技術と高出力銅筒官コイル配線世界最新技術と高出力電磁石世界最新技術と高出力電磁誘導発電世界最新技術と高出力モーター技術は、お金支払いの実用新案登録願受理に基づく、日本国内に、絶対に無い世界の特許技術の世界最先端技術が、日本国内では、実用新案登録によって、他社に無い技術の明白な事実でも、世界の特許提出を、日本国が、無料に一日も、速く行う事で、日本国の借金全額返済と都道府県市町村区の全額借金返済を、一日も早く出来る事実確認を、明白に、国の全額借金返済と都道府県市町村区の借金全額返済を、墫野和夫が、無料で国と都道府県市町村区に対しては、行うとインターネットの特許文章に、書いて有っても、国の特許庁機関と国の経済産業省機関と国の財務省機関と国の厚生労働省機関と国の社会保障機関と国の農業水産林業省機関と国の建設省機関と国のテレビマスコミと新聞マスコミを管理する総務省機関と国の宮内庁機関と国立大学の著作権技術と実用新案技術の施策試験に基づく経済の回復に基づく技術者に対する技術確認報告義務機関などが、インターネット上で確認している事実に対して日本国民の平等な人権に基づく平等な生活権保護を、日本国の法律に基ずいて、行われているならば、国の全額借金返済と都道府県市町村区の全額借金返済に対しての申し立てに対する無視に対する法律の罰則を、無期懲役に成る様に、国の国会で、一日も、速く決める事が、弱者国民一人一人の、救済手段が、少ない国の資金使うだけで、国の全額借金返済と都道府県市町村区の全額借金返済技術が可能に成り、弱者国民一人一人の平等な人権保護に成る為の知的所有財産有り方としてもテレビの新技術の実用新案登録として、日本のテレビ各社の世界各国のテレビ技術の特許提出番号の公開請求出来る事に成る。
【００６９】
この他、日本国たった一つの民間放送局の、ブラウン管ハイビジョンテレビのハイビジョン送受信装置の超小型化に対して、液晶テレビに積載内蔵する為の、ハイビジョン送受信装置に変わる複数の映像回路ノイズ取り除き装置と音声回路ノイズ取り除き装置を、積載内蔵し、カメラ映像の映像を、忠実に液晶テレビ画像に映す為の、アルゴン圧電素子冷却ガス入り映像回路チップによって、ノーマル波でも、デジタル波と同じだけのカメラ撮影時の映像を、忠実に再現出来るアルゴン軽水素入り圧電素子磁石体粒子内蔵冷却ガス入りダイオード色彩回路チップによって、デジタル波では、無理な、電波ノイズ取り除き技術と電波送信局から送られた来た画像色データーを、鮮明に表現出来るアルゴン軽水素ガス入り圧電素子粒子混合合成映像回路ダイオードチップ装置は、映像マグマ磁波ノイズとテレビ回路電気熱ノイズを取り除く事と映像波の超微粒電子電波ノイズを取り除いた後にダイオード3原色に対しての、色彩色最大種類の数百色のダイオード回路それぞれに、軽水素トリチウム電子を入れる事でダイオードの色彩反応時間を、縮めると同時に、ノーマル映像回路とデジタル映像回路の、色彩の映像回路電波認識スピードを、速める事で、デジタル回路の色彩組み合わせの無駄な数百以上の組み合わせ画色数を、数百通りまでに、少なくする事を、可能にした映像回路のダイオード映像回路チップに成る。
【産業上の利用可能性】
【００７０】
図1の、本考案の、軽水素トリチウム電子とアルゴンガス合成ガスを、LED発光ライトのダイオードに入れると、低電気消費の発光ダイオードに成り、軽水素トリチウム電子入りアルゴンガス内蔵の圧電素子磁石体回路チップは、映像のノイズ取り除き装置に成り、ソーラーパネルに軽水素トリチウム電子と圧電素子磁石体粒子を入れると通常のソーラーパネルの発電量を、遥かに超える新技術に成り、燃料電池水素と酸素の発電を、軽水素トリチウム電子と酸素の発電に変えると、通常の水素と酸素の発電量より、重水素の分だけ、発電量が、軽水素トリチウム電子と酸素の燃料電池発電の方が、発電量が、多く成り、現在、世界トップの、超電導配線発明者の日本の大学のケイ素とヨウ素などを、使用した超電導配線より、高出力銅筒官コイル配線の銅線を、筒状にした中に、軽水素トリチウム電子と圧電素子磁石体を入れた高出力銅筒官コイル配線は、誰でも分かる電気の集合体の軽水素トリチウム電子と電子を発生する圧電素子の組み合わせによって、日本の大学の超電導配線とは、考え方方は、電気中の熱抵抗電気を取り除く事と反して、電気の流れと同じ軽水素トリチウム電子と電子自体を発生する圧電素子磁石体を電気配線にする発想案商品の方が日本の大学より、電気の流れを早くする事の出来るコイル配線と電気配線は、安値の固形窒素等を内蔵使用する事で、燃えづらいコイル配線と燃えづらい電気配線が可能に成る。
一番、考えたのが、回路配線に成り、軽水素トリチウム電子入りの圧電素子磁石体配線を、アルミニウム鉛合金の、回路配線を、回路配線溝に流し込んだ所に、冷えた溝に軽水素トリチウム電子入り圧電素子磁石体の回路配線を、流し込んで、固形窒素と木材灰入りのビニール混合溶液を、回路配線燃焼の点から、燃焼防止シート及び吹き付けコーテング及び冷却パネル貼り付けによって、レアーアース以上の電気の流れが、速い回路配線が可能に成る。
更に、電気製品に欠かせない特に、テレビ回路の高出力超LSI及び高出力PN接合ダイオード及び高出力NPN型トランジスタ及び高出力PNP型トランジスタ及び高出力サイリスタ及び高出力FETは、通常N型シリコンシートと複数針穴空きの軽水素トリチウム電子入りN型シリコンシートを、交互に貼りあわせる事で、N型シリコンの電子反応スピードを速めたりする事が可能に成り、通常P型シリコンシートと複数針穴空きの軽水素トリチウム電子入りP型シリコンシートを、交互に貼りあわせる事で、P型シリコンの電子反応スピードを速めたりする事が可能に成る事によって、組み合わせ方法によって、高出力超LSI及び高出力PN接合ダイオード及び高出力NPN型トランジスタ及び高出力PNP型トランジスタ及び高出力サイリスタ及び高出力FETの電気反応と電気スピードの速い回路装置に成る。
この他、軽水素アルゴン圧電素子映像回路チップと軽水素入りの高出力発電回路型映像ノイズ取り除き回路チップ及び高出力CCDセンサーの軽水素トリチウム電子入り受光素子及び軽水素トリチウム電子入りの回路配線及び軽水素トリチウム電子入りの圧電素子磁石体粒子入りシリコンの瞬間熱吸収体及び高出力変圧器の軽水素と圧電素子磁石体入りの銅筒官コイル配線に成り、軽水素と圧電素子磁石体内蔵の高出力電磁石銅筒官組み合わせセットに成り、この様に、軽水素トリチウム入り圧電素子合成物質を、使って使用内蔵すると圧電素子の磁気力が上がり、軽水素トリチウム電子入りに成ると電子増幅効果によって、あらゆる物質を、電子内蔵物質に変える事が、可能に成る為、軽水素トリチウム電子入り圧電素子磁石体入りの商品には、必ず高出力の名称が、先に付く事に成り、ダイナモに、軽水素トリチウム電子入りの圧電素子磁石体を、内蔵した場合は発電量を、圧電素子のダナモ電気打撃分と軽水素トリチウム電子の増幅電子効果によって、通常ダイナモを超える発電量を得る事が出来る様に、軽水素は、あらゆる物質に応用が出来る、全世界でゆういつ見逃され続けて来た軽水素トリチウム電子に成るが、重水素プルトニウム及び水素では、重水素プルトニウムの分だ、電気抵抗に成る為、軽水素トリチウム電子を、使用する事に成り、圧電。素子は、軽水素トリチウム電子を、プラス電子とマイナス電子に瞬間に分けてくれる他者のマジック魔法の出来る神の磁石体になり、今後、世界の高出力技術のトップを、駆け巡れて、永遠の弱者国民一人一人の財団と国の全額借金返済と都道府県市町村区の全額借金返済に必ず役に立つ高出力技術に成る。
2011年8月19日Pm22時54分ペンを置く。
2011年8月15日昼am12時50分から図面の簡単な説明を書く。
【図面の簡単な説明】
【００７１】
【図１】本考案の高出力低電気消費の液晶デスプレイの構造説明図で有る。
【図２】2001年度考案著作権作品の二つ折液晶パネルの新型構造説明図で有る。
【図３】2001年度考案著作権のタッチ液晶パネル応用技術の現在、二つ折り、タッチパネル携帯電話公開に伴ったタッチビデオテレビリモコン装置の構造説明図。
【図４】高出力液晶パネル新技術の軽水素トリチウム電子とアルゴンガスの混合ガス内蔵の液晶パネルの構造説明図。
【図５】高出力超LSIの最新技術の軽水素トリチウム電子入りN型シリコンと軽水素トリチウム電子入りのP型インジウムを組み合わせた高出力LSI構造説明図。
【図６】高出力PN接合ダイオードの構造説明図。
【図７】軽水素アルゴン圧電素子映像回路チップの圧電素子磁石体に、軽水素トリチウム電子とアルゴンガスを、混合合成させた軽水素アルゴン圧電素子映像回路チップの構造説明図。
【図８】高出力発電回路型映像ノイズ取り除き回路チップの軽水素トリチウム電子入りチタン酸バリウム複数針穴空きシートと軽水素トリチウム電子入り圧電素子磁石体シートパネルと軽水素アルゴンガス入りチタン酸バリウム複数針穴空きシートを、それぞれ重ね合わせた高出力圧電素子磁石体を使用した高出力発電回路付の映像波ノイズ取り除き回路チップ装置の構造説明図。
【図９】音声回路ノイズ取り除き圧電素子圧電素子磁石体チップの構造説明図。
【図１０】冷却ガス入り電気抵抗取り除き装置の、圧電素子磁石体シートと軽水素窒素ガス入りチタン酸バリウム複数針穴空きシートを交互に貼りあわせた高出力冷却圧電素子磁石体を、使用した圧電素子4電子磁気分割装置の構造説明図。
【図１１】高出力CCDセンサーの新技術部分を説明した軽水素トリチウム電子入りダイオード受光素子の構造位置説明図。
【図１２】テレビ回路のネオン圧電素子映像回路チップの構造説明図。
【図１３】高いお金を使わない回路基板配線のフロンガス入り固形窒素プラスチック軽水素圧電素子磁石体粒子溶液回路配線を回路基板溝に予めアルミニウム鉛合金回路配線溶液を流し込んだ回路基板溝にフロンガス入り固形窒素プラスチック軽水素圧電素子磁石体粒子溶液回路配線を流し込む二重の回路基板配線によって、レアーメタル配線使用を無くす為の基板配線の構造説明図。
【図１４】亜鉛粒子混合の鉛溶液回路配線の一例に成り、銅粒子入りの鉛溶液回路配線とフロンガス入り固形窒素プラスチック冷却絶縁体シート構造の説明図。
【図１５】テレビ回路の電気熱発電絶縁体の構造説明図。
【図１６】テレビ回路の高出力変圧器の構造説明図。
【図１７】テレビ回路の高出力NPN型トランジスタの構造説明図。
【図１８】テレビ回路の高出力PNP型トランジスタの構造説明図。
【図１９】テレビ回路の高出力サイリスタの構造説明図。
【図２０】テレビ回路の高出力FETの構造説明図。
【図２１】2011年7月25日のゲーム内に、自分の自画像を取り込んだゲーム主人公に対して、室内衛星GPS位置確認認識認知全自動位置連絡の送受信の位置連絡装置付きの腕に二つと、足首二つの場所に、バンド式の、豆鉄球移動型の軽水素トリチウム電子入り圧電素子磁石体の豆鉄球発電装置によって、体の振りのスピード計測が、軽水素トリチウム電子入りの圧電素子磁石体の発電電気量によって、手と足の振りのスピードを、全自動計測来て、画面に連絡出来て、画面の自分の自画像を、作動させる事が、出来る装置に成る。更に、医療及び、スポーツの遠隔アドバイスが、可能に成る技術に成り、握力計測サポータ及び筋力測定サポータによって、自分の体力の全自動計を、電波で、運動体力エネルギー全自動計測スーパーコンピューターセンターまで、全自動によって、データーを、送って、より良いアドバイス支援情報を、得る事の出来るシステムに成る。
【図２２】2011年8月21日今日から、特許図面及び特許文章の書き初めに成る二階建てダブルリニアー装置の著作権ハガキ文書図で有り、北海道庁には、既に、著作権文書図のハガキが、送られているのが、現状で有る説明文書図に成り、国の全額借金返済と都道府県市町村区の全額借金返済の為の文書図。2011年8月15日Pm14時7分から考案を実施する為の形態を書き始める。
【図２３】2013年1月15日郵便ポスト投函のテレビの映像回路の古い発光ダイオードを、使った技術に対しの色合わせ技術に対して、一切発光ダイオードを、使用しない磁気に予め色合わせした色の限界色カメラ撮影色データー及び発光色色のダイオードデーターを、磁気チップ及び磁気カードに予め、色合わせデーターを、入力して書き消せない対処を、してからテレビ等の色合わせデーターとして、発光ダイオードを、使用しない技術として使用する説明を書いた文書証拠図。
【発明を実施するための形態】
【００７２】
以下、本考案の実施の形態を図1から図20に基づいて説明する。
【００７３】
図1に於いて、本考案の、高出力液晶デスプレイの液晶パネル部分の構造組立実施説明を始める。
従って、図1の1の低電気液晶パネルは、8の新技術の発光LEDになり、軽水素トリチウム電子ガスとアルゴンガスを混合させた合成ガスを、発光LEDライトのダイオード部分に混合合成させたダイオードの電子増幅効果とアルゴンガスの軽水素トリチウム電子の増幅効果によって、通常のアルゴンガスライトより、少ない電気量で発光出来る8の高出力LEDライトを、9のサイドライト方式は、バックライトと異なり、サイドから光を送る為、超薄型の反射板を使用した9のサイドライト方式に成り、5の偏光板を通り6のガラス基板は、割れない構造の為、割高なクリスタルガラスを使用して光が通り、3の配向膜を光が通り、2の新技術の軽水素アルゴンガス入り液晶層に光が通り、3の配向膜を光が通り、4のカラーフイルターを光が通り6のガラス基板と5の偏光板に映像を写し出す装置に成り、2の軽水素アルゴン入り液晶層のアルゴンガスと軽水素ガスの光電子反応によって、液晶自体が、光源放射物質体に成る為、9のサイドライトの光源の電気使用量を少なく出来る構造に成って入るのが他社と異なる技術に成り、9のサイドライト及びバックライト無の液晶パネルは、有機ＥＬパネル同様にバックライト無の時代も近く成り、その時代では、決して液晶パネル技術は誰も日本の液晶トップ会社技術と言わなく成る日が近いと言える新技術考案の液晶デスプレイの構造説明で有る。
【００７４】
図2に於いて、本考案の、7の高出力液晶デスプレイの、17の二つ折り液晶テレビパネルの付属部品の構造を説明する。
従って、17の二つ折液晶テレビは、テレビ画面本体と18の、情報用多画面インターネットテレビ画面を、13の蝶番装置によって、繋げて入る構造に成り、18の、情報用多画面インターネットテレビ画面では、19のはめ込み型インターネット波圧電素子アンテナがセット出来る構造に成っており、受信アンテナは、少し大きめのを使用している構造に成り、20のウイルス防御カードは、指定した者同士しか、インターネット通信出来ないシステムに成って下り、20のウイルス防御カードに、GPS位置個人行動位置登録と手相及び指紋及びDNA認識読み取りセンサーカードなどの、本人確認が、明白な者同士が、情報交換出来る18の情報用多画面インターネットテレビに成る。
【００７５】
図2の続きとして、テレビ画面本体では、防犯用の、10の魚眼とつ合わせ一つ削りレンズカメラは、11の、緊急カメラライトと停電時に使用する高出力発電回路内蔵の緊急テレビライトが、複数箇所テレビの上下に取りつくボルトナット止め構造に成って入る。
この他、外部テレビ波ジャック口は、軽水素トリチウム電子入り圧電素子磁石体を内蔵した二枚合わせ銅鉄アルミニウムのトリプル合金板の中に電気の通り易い軽水素トリチウム電子入り圧電素子磁石体粒子を内蔵積載した12の外部テレビ波ジャック口に成る。
更に、15のカードブロックボックス録画再生用の装置は、超小型の送受信装置を内蔵したテレビビデオ装置に成り、他社とは、異なる超小型の長時間録音再生可能なビデオ装置に成り15の、カードブロックボックス録画再生用の装置は、12角ジャック金属板取り付け構造とした16のテレビ足取り付け型の17の二つ折液晶テレビに成る。
【００７６】
図3に於いて、本考案の、27のテレビリモコン装置の構造の説明を始める。
従って、27のテレビリモコン装置は、二つ折のリモコンタッチ液晶パネルに成り、24の液晶タッチスイッチ画面本体と21の超小型液晶タッチ画面が、蝶番構造によって、二つ折液晶の、リモコン液晶パネルに成り、22のスクリュー波無線アンテナは、近距離無線電話超小型装置が、内蔵に成って入る装置に成り、23の、他社家電リモコンアンテナは、多機種設定によって、複数の家電のリモコン操作を、一つのリモコン装置のリモコン波の送信切り替えIC回路によってリモコン波切り替え構造に成っており、21の超小型液晶画面には、スクリューネジ形状多層式カードの海外ゲームなどが、楽しめる構造に成って下り、25の、インターネット用及びテレビゲーム用及び防犯用超小型高出力LEDライトカメラが積載内蔵に成って入る27のビデオテレビリモコン装置は、28の衝撃吸収用シリコン粒子内蔵ゴムによって、24の、液晶タッチスイッチと21の、超小型液晶画面の二つ折りタッチ液晶パネルの落下による装置破損を防ぐ28の、衝撃吸収用シリコン粒子内蔵ゴムによって衝撃吸収出来るリモコン装置に成って入る。
最大の特徴として、26の、高出力2連振り子型自動充電池の複数の高出力発電回路内蔵の26の、高出力2連振り子型自動充電池によって、27のビデオリモコン装置システムの電源確保に成って入る。
【００７７】
図4に於いて、本考案の、121の合成液晶は、2の、液晶と軽水素トリチウム電子とアルゴンガスの混合合成によって、液晶に電圧を掛けると軽水素トリチウム電子効果とアルゴンガス効果によって、液晶自体が、光源体に成る構造に成っておる為、合成液晶は、電子変換の速い液晶に成る為、電気消費が少ない液晶技術を可能にした121の合成液晶新技術に成る。
【００７８】
図5に於いて、本考案の、29の高出力超LSIは、通常のN型シリコンシート軽水素トリチウム電子入りのN型シリコンシートを交互に貼りあわせた30の、軽水素トリチウム電子入りN型シリコンに成り、軽水素トリチウム電子入りのN型シリコンシート膜は、複数の針穴構造のシート構造が望ましく成り、古いP型のインジウムシートと複数針穴形状の軽水素トリチウム電子入りのP型インジウムシートを交互に貼りあわせた31の、軽水素トリチウム電子入りP型のインジウムの高出力の、軽水素トリチウム電子入りN型シリコンと高出力の31の、軽水素トリチウム電子入りP型のインジウムを組み合わせた29の高出力LSI装置に成り、テレビ回路の一部装置に成る。
【００７９】
図6に於いて、本考案の、32の、高出力PN接合ダイオードは、古いP型ダイオード半導体シートと古いP型ダイオード半導体シートに軽水素トリチウム電子を混合合成させた複数針穴形状のP型ダイオード半導体シートを、交互に貼りあわせたのが33の、高出力P型軽水素トリチウム電子入り半導体と、古いN型ダイオード半導体シートと古いN型ダイオード半導体シートに軽水素トリチウム電子を混合合成させた複数針穴形状のN型ダイオード半導体シートを、交互に貼りあわせたのが34の、高出力N型軽水素トリチウム電子入り半導体を接合して、それぞれに電気配線を取り付けた29の、高出力超LSI新技術に成り、少ない電気でも、反応する29の、高出力超LSI構造と電気反応構成を説明した事に成る。
【００８０】
図7に於いて、本考案の、35の、軽水素アルゴン圧電素子映像回路チップの構造形態説明を始める。
従って、36の、プラス映像波回路に取り付けるプラス映像波回路チップは、圧電素子磁石体に軽水素トリチウム電子とアルゴンガスを混合合成させた軽水素アルゴンガス入り圧電素子磁石体は、36のプラス映像波回路に取り付けるプラス映像波回路配線は、圧電素子磁石体のプラス磁気に取り付け、映像波取り出し配線として、圧電素子磁石体のプラス磁気の一番弱い部分に、超小型の銅板配線を取り付けた41のプラス映像波ノイズを取り除いたプラス映像波を得る事が出来る。
その為、122の、マイナス映像波回路に取り付けるマイナス映像波回路チップは、圧電素子磁石体に軽水素トリチウム電子とアルゴンガスを混合合成させた軽水素アルゴンガス入り圧電素子磁石体は、122のマイナス映像波回路に取り付けるマイナス映像波回路配線は、圧電素子磁石体のマイナス磁気に取り付け、映像波取り出し配線として、圧電素子磁石体のマイナス磁気の一番弱い部分に、超小型の銅板配線を取り付けた123のマイナス映像波ノイズを取り除いたマイナス映像波を得る事が出来る35の、軽水素アルゴン圧電素子映像回路チップの構造形態説明に成る。
【００８１】
図8に於いて、本考案の、42の、高出力発電回路型映像ノイズ取り除き回路チップの構造形態説明を始める。
従って、異なった圧電素子磁石体構造に対して、47の、軽水素トリチウム電子入り圧電素子磁石体シートパネルと46の、軽水素トリチウム電子入りチタン酸バリウム複数針穴空きシートと48の、アルゴン軽水素チタン酸バリウム複数針穴空きシートの圧電素子物質シートパネル其々の三種類のシートを交互に、貼りあわせたアルゴンガスの入った高出力圧電素子磁石体に、43の、映像波プラス電気信号を、アルゴンガス内蔵の高出力圧電素子磁石体の、44の、Ａプラス極の高出力圧電素子磁石体の、プラス磁気の一番強い部分に43の、プラス映像波電気信号配線に、アルゴンガス入りの高出力圧電素子磁石体の、44の、Ａプラス極に43の、プラス映像波電気信号を流す事によって、高出力圧電素子磁石体の軽水素トリチウム電子入りの圧電素子磁石体の電気電波打撃発電効果によって、電気増幅電波とプラス映像波の電気ノイズと電波ノイズを取り除いた増幅プラス映像波を、44のＡプラス極の磁気の一番弱い部分に内蔵積載して有る増幅電波取り込み銅板配線を通じて、50の、増幅電圧映像波電気信号を得る事が出来る42の、高出力発電回路型映像ノイズ取り除き回路チップに成り、実用新案登録の、第3168043号の高出力発電7連結以上モーター技術の中の高出力発電回路技術と先著作権技術の、アルゴン圧電素子磁石体の電波ノイズ取り除き装置を、一つの42の高出力発電回路型映像ノイズ取り除き回路チップにした装置に成る。
【００８２】
図9に於いて、本考案の、51の、音声回路ノイズ取り除き圧電素子磁石体チップは、圧電素子磁石体の、プラス磁気の一番強い部分の54の、圧電素磁石体BBのプラス磁気の一番強い部分に52のプラス音声波配線を取り付けると同時に、54の圧電素子磁石体のプラス磁気の一番弱い部分に57の、プラス電波ノイズの取り除いたプラス音声波を引き込む超小型の銅板配線を、54の、プラス圧電素子磁石体BBの磁気の一番弱い部分に取り付け内蔵する事で、52の、ノイズ入りのプラス音声波は、54の、プラス圧電素子磁石体BBのプラス磁気磁極磁界線を通る為、乱れた電波の全自動磁極磁界線構造によって、52の、乱れたプラス音声波を、圧電素子磁石体の磁気整流化現象を利用した音声波の電波プラスノイズの取り方説明に成り、51の、音声回路ノイズ取り除き圧電素子磁石体チップは、圧電素子磁石体の、マイナス磁気の一番強い部分の54の、圧電素子磁石体BBのマイナス磁気の一番強い部分に53のマイナス音声波配線を取り付けると同時に、54の圧電素子磁石体のプラス磁気の一番弱い部分に58の、マイナス電波ノイズの取り除いたマイナス音声波を引き込む超小型の銅板配線を、54の、マイナス圧電素子磁石体BBの磁気の一番弱い部分に取り付け内蔵する事で、53の、ノイズ入りのマイナス音声波は、54の、マイナス圧電素子磁石体BBのマイナス磁気磁極磁界線を通る為、乱れた電波の全自動磁極磁界線構造によって、53の、乱れたマイナス音声波を、圧電素子磁石体の磁気整流化現象を利用した音声波の電波マイナスノイズの取り方説明の51の音声回路ノイズ取り除き圧電素子磁石体チップに成る。
【００８３】
図10に於いて、本考案の、59の、冷却ガス入り電気抵抗取り除き装置は、62の窒素ガス入り圧電素子磁石体構造は、60の、軽水素トリチウム電子入り圧電素子磁石体シートパネルと61の、軽水素トリチウム電子入り窒素ガス入りチタン酸バリウム複数針穴空きシートを、交互に貼りあわせた冷却材入り、高出力圧電素子磁石体に成り、63の、ノイズ入りプラス映像波AAAは、54の、圧電素子磁石体の、プラス磁気の一番弱い部分から圧電素子の磁気の一番強い部分に、63の、ノイズ入りプラス映像波は、圧電素子磁石体の磁気の一番強い部分から、64の、ノイズ無しのプラス映像波AAAを得る事の出来る装置に成る。
そして、59の、冷却ガス入り電気抵抗取り除き装置は、62の窒素ガス入り圧電素子磁石体構造は、60の、軽水素トリチウム電子入り圧電素子磁石体シートパネルと61の、軽水素トリチウム電子入り窒素ガス入りチタン酸バリウム複数針穴空きシートを、交互に貼りあわせた冷却材入り、高出力圧電素子磁石体に成り、65の、ノイズ入りマイナス映像波BBBは、54の、圧電素子磁石体の、マイナス磁気の一番弱い部分から圧電素子の磁気の一番強い部分に、65の、ノイズ入りマイナス映像波は、圧電素子磁石体の磁気の一番強い部分から、66の、ノイズ無しのマイナス映像波BBBを得る事の出る装置に成る。
【００８４】
図11に於いて、本考案の、67の高出力CCDセンサーは、72の、マイクロクリスタルレンズは、71の、カラーフイルターが取りつき次に、70のマスが取り付き、新技術の69の軽水素トリチウム電子入りダイオード受光素子構造に成り、68の、CCDマス表面構造に成り、69の、軽水素トリチウム電子入り、ダイオード受光素子は、軽水素トリチウム電子をダイオード受光素子に入れる事で、ダイオードの光電子の、反応を軽水素トリチウム電子よって、光電子吸収反応を速めているダイオード受光素子がテレビカメラに内蔵されている。
2011年8月15日Pm22時56分寝る時間なのでぺんを置く。
2011年8月16日am8時11分最後の休みの日am10時まで、書く事にする。
【００８５】
図12に於いて、本考案の、73の、ネオン圧電素子映像回路チップは、映像波の色彩度を鮮明にする映像回路素子に成り、ノイズの有る78の、プラス映像波Ｓは、74の、ネオンガスの入った圧電素子磁石体に成り、74の、圧電素子磁石体CCの76の、圧電素子磁石体のプラス極Ｚに78の、プラス映像波配線を繋ぎ、78の、プラス映像波Ｓを、74の、ネオンガスの入った圧電素子磁石体のプラス磁極の一番強い部分から、圧電素子磁石体のプラス磁気の一番弱い部分に、ノイズ入りの、78のプラス映像波を、74の、圧電素子磁石体CCのプラス磁極磁界内を通す事で、圧電素子磁石体の整流効果とネオンガスの超微粒子電波電子の自動色彩修正によって、色彩度の鮮明な79の、プラス映像波ノイズの取り除いたプラス映像波Ｔを得る事が出来る。
そして、73の、ネオン圧電素子映像回路チップは、映像波の色彩度を鮮明にする映像回路素子に成り、ノイズの有る80の、マイナス映像波Ｓは、74の、ネオンガスの入った圧電素子磁石体に成り、74の、圧電素子磁石体CCの77の、圧電素子磁石体のマイナス極ｙに80の、マイナス映像波配線Vを繋ぎ、80の、マイナス映像波Vを、74の、ネオンガスの入った圧電素子磁石体のマイナス磁極の一番強い部分から、圧電素子磁石体のマイナス磁気の一番弱い部分に、ノイズ入りの、80のマイナス映像波Vを、74の、圧電素子磁石体CCのマイナス磁極磁界内を通す事で、圧電素子磁石体の整流効果とネオンガスの超微粒子電波電子の自動色彩修正によって、色彩度の鮮明な81の、マイナス映像波ノイズの取り除いたマイナス映像波Wを得る事が出来る73の、ネオン圧電素子映像回路チップに成る。
【００８６】
図13に於いて、本考案の、82の高いレアーアースのお金を使わない回路基板配線ＯＯＯは、84の、回路基板を通常のより、数ミリ厚いのを、使用して、84の、回路基板に予め83の、回路基板溝を掘り、溝の部分に、86の、アルミニウム鉛合金回路配線を、薄く敷いた回路基板溝に、85の、軽水素固形窒素混合圧電素子磁石体粒子の電気の通るプラスチック混合溶液回路配線を流し込んだ場所に、87の、フロンガス入り固形窒素木材灰プラスチック溶液回路配線を流し込む事で、配線燃焼を避けて入る。
【００８７】
図14に於いて、本考案の、88の高いお金のレアーアースを使わない回路基板配線PPPは、84の、回路基板を通常のより、数ミリ厚いのを、使用して、84の、回路基板に予め83の、回路基板溝を掘り、溝の部分に、89の、銅微粒子鉛合金回路配線を薄く敷いた場所に85の、  軽水素圧電素子磁石体粒子入り電気の通るプラスチック混合溶液回路配線を、83の、回路基板溝に流し込んで90の、フロンガス入り固形窒素プラスチック冷却絶縁体シートを84の回路基板に貼る事によって、回路基板の燃焼を避けて入る88の、高いお金のレアーアースを使わない回路基板配線PPPに成る。
2011年8月16日am9時58分東京の発明協会に行く時間なのでペンを置く。
2011年8月17日Pm19時20分から、寝時間まで書く事にする。
【００８８】
図15に於いて、本考案のテレビ回路91の、電気熱発電絶縁体は、92の、高出力銅筒官電気配線のプラス配線とマイナス配線を、93の、木材灰と粘土合成の軽量絶縁体に、94の、軽水素トリチウム電子入り圧電素子磁石体粒子入りシリコンを、93の、木材灰と粘土合成陶器絶縁体の二つ割りの中に、内蔵して、98の熱瞬間吸収発電体の94の、軽水素トリチウム電子入り圧電素子磁石体粒子入りシリコンを内蔵して、99の、液体セメント流れ入れ凝固接着穴に、96の、液体セメントを流して接着した、91の、電気熱発電絶縁体に成る。
【００８９】
図16に於いて、本考案のテレビ回路の100の、高出力変圧器は、104の高出力磁石合わせ板に、103の高出力銅筒官コイル配線を、104の高出力磁石合わせ板にコイル状に103の高出力銅筒官コイル配線を、巻いた102の高圧側リード線と101の低圧側リード線を取り付けた100の高出力変圧器に成る。
【００９０】
図17に於いて、本考案のテレビ回路の104の、高出力NPNトランジスタの中央に通常のP型半導体シートと33の複数針穴形状の高出力軽水素トリチウム電子入りP型半導体シートを交互に貼りあわせた33の高出力軽水素トリチウム電子入りP型半導体の両サイドに、通常のN型半導体シートと34の複数針穴形状の高出力軽水素トリチウム電子入りN型半導体シートを、交互に貼りあわせた34の、高出力軽水素トリチウム電子入りN型半導体を33の高出力軽水素トリチウム電子入りP型半導体に接合した104の、NPN型トランジスタに成り、106のベース(B)と105のエミッタ(Ｅ)と107のコレクタ(Ｃ)を、104の、高出力NPN型トランジスタに積載したテレビ回路装置。
2011年8月17日Pm20時42分寝る時間なのでペンを置く。
2011年8月19日am9時57分から個人の休みの為、書き始める。
【００９１】
図18に於いて、本考案のテレビ回路の108の、高出力PNP型トランジスタの中央に通常のN型半導体シートと33の複数針穴形状の高出力軽水素トリチウム電子入りN型半導体シートを交互に貼りあわせた33の高出力軽水素トリチウム電子入りN型半導体の両サイドに、通常のP型半導体シートと34の複数針穴形状の高出力軽水素トリチウム電子入りP型半導体シートを、交互に貼りあわせた34の、高出力軽水素トリチウム電子入りP型半導体を33の高出力軽水素トリチウム電子入りN型半導体に接合した104の、PNP型トランジスタに成る。
【００９２】
図19に於いて、本考案のテレビ回路の109の、高出力サイリスタは、通常のN型半導体シートと軽水素トリチウム電子入り複数針穴形状のN型半導体シートを交互に貼りあわせた高出力N型半導体と、通常のP型半導体シートと軽水素トリチウム電子入り複数針穴形状のP型半導体シートを交互に貼りあわせた高出力P型半導体を、二つの高出力N型高出力半導体とP型半導体を二組ずつ交互に接合した装置に、110の、カソード配線と111のアノード配線を取り付けた109の高出力サイリスタに成る。
【００９３】
図20に於いて、本考案の117の高出力FETは、通常の、N型半導体シートに、軽水素トリチウム電子入の、複数針穴形状のN型半導体シートを、交互に貼りあわせた高出力N型半導体の縦長の両サイド部分に、通常のN型半導体シートと軽水素トリチウム電子入り複数針穴形状のN型半導体シートを交互に貼りあわせた高出力N型半導体を、バーベル状に組み込んで、高出力N型半導体に、上下一か所ずつに、118のドレイン配線と120の、ソース配線と115の高出力P型半導体の112にゲート配線を取り付けたのが、117の高出力FET装置に成る。
2011年8月14日PM21時20分再び符号の説明を書き始める。
【符号の説明】
【００９４】
1     低電気消費液晶パネル(別名高出力液晶パネルに成り、軽水素トリチウム電子と圧電素子磁石体粒子とアルゴンガスとネオンガスなどが主要物質として使用する)
2     軽水素アルゴン入り液晶層(この他、ネオン軽水素入り液晶層及び軽水素トリチウム電子入り液晶層及びインシジゥーム及びコバルトなどの気化物質を入れた液晶パネル新技術も存在すると同時に水素入りの液晶パネルは、軽水素入りより増幅電子効果が、少ない)
2011年8月14日PM21時54分寝る時間なのでペンを置く。
2011年8月15日AM7時46分朝飯炊飯器のスイッチによって、炊き上がるまで、書く事にする。
3     配向膜
4     カラーフイルター
5     偏光板通常のN型半導体シートと軽水素トリチウム電子入り複数針穴形状のN型半導体シートを交互に貼りあわせた高出力N型半導体通常のN型半導体シートと軽水素トリチウム電子入り複数針穴形状のN型半導体シートを交互に貼りあわせた高出力N型半導体通常のN型半導体シートと軽水素トリチウム電子入り複数針穴形状のN型半導体シートを交互に貼りあわせた高出力N型半導体
6     ガラス基板(窒素ガス入りクリスタル二枚合わせガラス)
7     高出力液晶デスプレイ
8     発光LED(新技術軽水素トリチウム電子入りとアルゴン混合ガス入りLEDライト)
9     サイドライト
10    魚眼とつ合わせ一つ削りレンズカメラ
11    緊急カメラライト
12    外部テレビ波ジャック配線取り付け口
13    チョウツ貝部分
14    プラスチックガラス部分
15    カードブロックボックス録画再生用
16    テレビ足取り付け型
17    ニッ折り液晶テレビ
18    情報用多画面インターネットテレビ画面
19    はめ込み型インターネット波アンテナ
20    ウイルス防御カード
21    超小型液晶画面
22    スクリュー無線アンテナ
23    他社家電リモコンアンテナ
24    液晶タッチスイッチ(リモコン液晶タッチスイッチ)
25    インターネット用テレビゲーム用防犯用カメラ
26    高出力2連振り子型自動充電池
27    ビデオテレビリモコン装置
28    衝撃吸収用シリコン粒子内蔵ゴム
29    高出力超LSI
30    軽水素トリチウム電子入りN型シリコン
31    軽水素トリチウム電子入りP型シリコン
32    高出力PN接合ダイオード
33    P型ダイオード半導体(軽水素トリチウム電子入りP型半導体)
34    N型ダイオード半導体(軽水素トリチウム電子入りN型半導体)
35    接合部分
36    軽水素アルゴン圧電素子映像回路チップ(映像回路ノイズ取り除き装置)  
37    プラス極(軽水素アルゴン圧電素子映像回路チップの圧電素子のプラス極)
38    マイナス極(軽水素アルゴン圧電素子映像回路チップの圧電素子のマイナス極)
39    軽水素アルゴンガス入り圧電素子磁石体
40    圧電素子(軽水素アルゴン圧電素子映像回路チップの圧電素子部分で有り軽水素とアルゴンガス入りの圧電素子磁石体に成る) 
41    プラス映像波ノイズを取り除いたプラス映像波
42    高出力発電回路型映像ノイズ取り除き回路チップ(回路の電気電波高出力圧電素子磁石体打撃発電と映像波電波ノイズを一度に処理出来る回路発電素子チップの新技術)
43    映像波電気信号
44    Ａプラス極
45    Bマイナス極
46    軽水素トリチウム電子入りチタン酸バリウム複数針穴空きシート
47    軽水素トリチウム電子入り圧電素子磁石体シートパネル 
48    アルゴン入りチタン酸バリウム複数針穴空きシート
49    AA圧電素子磁石
50    増幅電圧映像波電気信号
51    音声回路ノイズ取り除き圧電素子磁石体チップ
52    プラス音声波
53    マイナス音声波
54    圧電素子磁石体BB
55    超小型針穴空き電波吸収銅版板
56    陶器カバー(ガラス木材灰入り絶縁体カバー)
57    プラス電波ノイズの取り除いたプラス音声波
58    マイナス電波ノイズの取り除いたマイナス音声波
59    冷却ガス入り電気抵抗熱電気取り除き装置(別名圧電素子4電子磁気分割装置ナンバー2タイプ)
60    軽水素トリチウム電子入り圧電素子磁石体シートCC
61    軽水素窒素ガス入りチタン酸バリウム複数針穴空きシート
62    窒素ガス入り圧電素子磁石体
63    ノイズ入りプラス映像波AAA
64    ノイズ無プラス映像波AAA
65    ノイズ入りマイナス映像波BBB
66    ノイズ無マイナス映像波BBB
67    高出力CCDセンサー
68    CCDマス表面
69    新技術軽水素トリチウム電子入りダイオード受光素子
70    マスク 
71    カラーフイルター
72    マイクロクリスタルレンズ
73    ネオン圧電素子映像回路チップ
74    圧電素子CC
75    ネオンガス入り
76    プラス極Ｚ
77    マイナス極Ｙ
78    プラス映像波Ｓ
79    プラス映像波ノイズの取り除いたプラス映像波Ｔ
80    マイナス映像波Ｖ
81    マイナス映像波ノイズの取り除いたマイナス映像波W
82    高いレアーアースのお金を使わない回路基板配線ＯＯＯ
83    回路基板溝
84    回路基板
85    軽水素圧電素子磁石体粒子入り電気の通るプラスチック混合溶液回路配線
86    アルミニウム鉛合金回路配線
87    フロンガス入り固形窒素プラスチック木材灰溶液回路配線(圧電素子磁石体粒子入りも有り)
88    高いお金のレアーアースを使わない回路基板配線PPP
89    銅粒子鉛合金回路配線
90    フロンガス入り固形窒素プラスチック冷却絶縁体
91    電気熱発電絶縁体
92    高出力銅筒官電気配線
93    木材灰と粘土合成陶器(木材灰入りガラス溶液の固定乾燥絶縁体なども有り、低熱処理絶縁体も可能に成る)
94    軽水素トリチウム電子入り圧電素子磁石体粒子入りシリコンDDD
95    カバー
96    液体セメント接着
97    電気熱
98    発電電気取り込み配線
99    液体セメント流れ入れ凝固接着穴
100   高出力変圧器
101   低圧側リード線
102   高圧側リード線
103   高出力磁石合わせ板
104   高出力NPN型トランジスタ
105   エミッタ
106   ベース
107   コレクタ
108   高出力PNP型トランジスタ
109   高出力サイリスタ
110   カソード(Ｋ)
111   アノード(Ａ)
112   ゲート(Ｇ)
113   旧N型半導体
114   旧P型半導体
115   高出力N型半導体
116   高出力P型半導体
117   高出力FET
118   ドレイン
119   電子
120   ソース
121   合成液晶
122   マイナス映像波
123   マイナス映像波ノイズの取り除いたマイナス映像波
2011年7月18日Pm19時13分から、請求項を、書く。
【図１】
2013093896.tif 000003
【図２】
2013093896.tif 000004
【図３】
2013093896.tif 000005
【図４】
2013093896.tif 000006
【図５】
2013093896.tif 000007
【図６】
2013093896.tif 000008
【図７】
2013093896.tif 000009
【図８】
2013093896.tif 000010
【図９】
2013093896.tif 000011
【図１０】
2013093896.tif 000012
【図１１】
2013093896.tif 000013
【図１２】
2013093896.tif 000014
【図１３】
2013093896.tif 000015
【図１４】
2013093896.tif 000016
【図１５】
2013093896.tif 000017
【図１６】
2013093896.tif 000018
【図１７】
2013093896.tif 000019
【図１８】
2013093896.tif 000020
【図１９】
2013093896.tif 000021
【図２０】
2013093896.tif 000022
【図２１】
2013093896.tif 000023
【図２２】
2013093896.tif 000024
【図２３】
2013093896.tif 000025